(57)【要約】【課題】特定の相手（恋人や家族など）の現在のお互いの状態や思いをやわらかく知ることができなかった。または、やわらかくお互いの状態や思いを特定の相手に伝えることができなかった。【解決手段】ユーザ識別子送信装置と情報処理端末と中継装置と光出力装置を有する情報処理システムであって、ユーザ識別子送信装置は格納しているユーザ識別子を情報処理端末に送信し、情報処理端末は、外部情報を取得し、ユーザ識別子を受信し、外部情報とユーザ識別子を有する遠隔情報を送信し、中継装置は、情報処理端末から遠隔情報を受信して、光出力装置に遠隔情報を送信し、光出力装置は、中継装置から送信される遠隔情報を受信し、遠隔情報に基づいて、光の出力を３以上の出力状態のうちから１以上の出力状態にするように指示し、光出力することにより、相手の状態を光出力によりやわらかく知ることができる。【選択図】  図１
2004261276.tif 000002
【特許請求の範囲】
【請求項１】
外部から送信される情報である外部情報と、ユーザ識別子を有する遠隔情報を受信する遠隔情報受信部と、
光を出力する光出力部と、
前記外部情報と前記ユーザ識別子に基づいて、前記光出力部における光の出力を３以上の出力状態のうちから１以上の出力状態にするように指示する制御である多段階制御を行う光出力制御部を
具備する光出力装置。
【請求項２】
ユーザ識別子と外部情報を有する遠隔情報を受信し、当該遠隔情報に基づいて光制御するためのパラメータである制御パラメータを構成して、送信する中継装置から、前記制御パラメータを受信し、
前記光出力制御部は、前記制御パラメータに基づいて、前記光出力部における光の出力を３以上の出力状態のうちから１以上の出力状態にするように指示する制御である多段階制御を行う請求項１記載の光出力装置。
【請求項３】
前記光出力部は、光を出力する光出力手段を１以上具備し、
前記外部情報は情報の種類を示す情報である種類情報と当該種類情報に対応する値である情報値を有し、
前記光出力制御部は、前記種類情報と前記情報値と前記ユーザ識別子に基づいて前記１以上の光出力手段における光の出力を制御する
請求項１または請求項２いずれか記載の光出力装置。
【請求項４】
外部情報の種類情報を格納している種類情報格納部をさらに具備し、
前記光出力制御部は、前記遠隔情報受信部が受信する遠隔情報が有する種類情報が前記種類情報格納部に格納されている種類情報と一定の関係がある場合のみ、前記光出力部に光の出力を指示する
請求項３記載の光出力装置。
【請求項５】
前記光出力制御部は、２以上の光出力方法を制御可能であり、前記種類情報格納部は、前記光出力方法を識別する光出力方法識別子と種類情報とを対応付けて格納しており、
前記光出力制御部は、前記遠隔情報受信部が受信する遠隔情報が有する種類情報が前記種類情報格納部に格納されている種類情報と一定の関係がある場合のみ、当該種類情報に対応する光出力方法識別子で識別される光出力方法により光の出力をするように前記光出力部に指示する
請求項４記載の光出力装置。
【請求項６】
前記遠隔情報受信部が受信する遠隔情報を記録する遠隔情報記録部をさらに具備し、
前記光出力制御部は、前記遠隔情報記録部が記録した１以上の遠隔情報または／および前記遠隔情報受信部が受信する遠隔情報に基づいて前記光出力部における光の出力を制御する請求項１、または請求項３から請求項５いずれか記載の光出力装置。
【請求項７】
第一の外部情報とユーザ識別子を有する遠隔情報を受信する遠隔情報受信部と、
第二の外部情報を取得する外部情報取得部と、
光を出力する光出力部と、
前記遠隔情報と前記第二の外部情報に基づいて、前記光出力部における光の出力を３以上の出力状態のうちから１以上の出力状態にするように指示する制御である多段階制御を行う光出力制御部とを
具備する光出力装置。
【請求項８】
前記光出力部は、光を出力する光出力手段を１以上具備し、
前記第一の外部情報および第二の外部情報は、情報の種類を示す情報である種類情報と当該種類情報が示す情報の値である情報値を有し、
前記光出力制御部は、前記遠隔情報が有するユーザ識別子と、前記第一の外部情報が有する種類情報と情報値と、前記第二の外部情報が有する種類情報と情報値に基づいて前記１以上の光出力手段における光の出力を制御する
請求項７記載の光出力装置。
【請求項９】
外部情報の種類情報を格納している種類情報格納部をさらに具備し、
前記光出力制御部は、前記遠隔情報が有する種類情報が前記種類情報格納部に格納されている種類情報と一定の関係がある場合のみ、前記光出力部に光の出力を指示する
請求項８記載の光出力装置。
【請求項１０】
前記光出力制御部は、２以上の光出力方法を制御可能であり、
前記種類情報格納部は、前記光出力方法を識別する光出力方法識別子と種類情報とを対応付けて格納しており、
前記光出力制御部は、前記遠隔情報が有する種類情報が前記種類情報格納部に格納されている種類情報と一定の関係がある場合のみ、当該種類情報に対応する光出力方法識別子で識別される光出力方法により光の出力をするように前記光出力部に指示する
請求項９記載の光出力装置。
【請求項１１】
前記遠隔情報受信部が受信する遠隔情報が有する第一の外部情報と前記外部情報取得部が取得する第二の外部情報を有する外部情報群を記録する外部情報記録部をさらに具備し、
前記光出力制御部は、前記外部情報記録部が記録した１以上の外部情報群に基づいて前記光出力部における光の出力を制御する請求項７から請求項１０いずれか記載の光出力装置。
【請求項１２】
ユーザ識別子を受信するユーザ識別子受信部と、
前記ユーザ識別子と、前記外部情報取得部が取得した第二の外部情報を有する第二の遠隔情報を送信する遠隔情報送信部をさらに具備する請求項７から請求項１１いずれか記載の光出力装置。
【請求項１３】
前記遠隔情報受信部が受信する遠隔情報が有するユーザ識別子が一定のユーザ識別子である場合のみ、光出力する請求項７から請求項１２いずれか記載の光出力装置。
【請求項１４】
第二の外部情報を取得する外部情報取得部と、
ユーザ識別子を受信するユーザ識別子受信部と、
前記第二の外部情報と前記ユーザ識別子を有する遠隔情報を送信する遠隔情報送信部と、
光を出力する光出力部と、
前記光出力部における光出力の方法に関する情報である光制御パラメータを受信するパラメータ受信部と、
前記パラメータ受信部で受信した光制御パラメータに基づいて、前記光出力部における光の出力を３以上の出力状態のうちから１以上の出力状態にするように指示する制御である多段階制御を行う光出力制御部を
具備する光出力装置。
【請求項１５】
前記光出力部は、光を出力する光出力手段を１以上具備し、前記第二の外部情報は情報の種類を示す情報である種類情報と当該種類情報が示す情報の値である情報値を有し、
前記光出力制御部は、前記パラメータ受信部が受信した光制御パラメータが有する種類情報と情報値に基づいて前記１以上の光出力手段における光の出力を制御する
請求項１４記載の光出力装置。
【請求項１６】
外部情報または／および光制御パラメータの種類情報を格納している種類情報格納部をさらに具備し、
前記光出力制御部は、前記パラメータ受信部が受信する光制御パラメータが有する種類情報が前記種類情報格納部に格納されている種類情報と一定の関係がある場合のみ、前記光出力部に光の出力を指示する
請求項１５記載の光出力装置。
【請求項１７】
前記光出力制御部は、２以上の光出力方法を制御可能であり、
前記種類情報格納部は、前記光出力方法を識別する光出力方法識別子と種類情報とを対応付けて格納しており、
前記光出力制御部は、前記パラメータ受信部が受信する光制御パラメータが有する種類情報が前記種類情報格納部に格納されている種類情報と一定の関係がある場合のみ、当該種類情報に対応する光出力方法識別子で識別される光出力方法により光の出力をするように前記光出力部に指示する
請求項１６記載の光出力装置。
【請求項１８】
前記遠隔情報送信部は第二の遠隔情報を２以上送信し、
前記パラメータ受信部は２以上の光制御パラメータである光制御パラメータ群を受信し、
前記光出力制御部は、前記光制御パラメータ群に基づいて前記光出力部における光の出力を制御する請求項１４から請求項１７いずれか記載の光出力装置。
【請求項１９】
前記光出力制御部が行う多段階制御は、３以上の光の強さのうちから１の光の強さを出力するように指示する請求項１から請求項１８いずれか記載の光出力装置。
【請求項２０】
前記光出力制御部が行う多段階制御は、３以上の光の色のうちから１の光の色を出力するように指示する請求項１から請求項１８いずれか記載の光出力装置。
【請求項２１】
前記光出力制御部が行う多段階制御は、３以上の光の点滅方法のうちから１の光の点滅方法で光の出力をするように指示する請求項１から請求項１８いずれか記載の光出力装置。
【請求項２２】
前記光出力制御部が行う多段階制御は、３以上の光源の回転方法のうちから１の光源の回転方法で光を出力するように指示する請求項１から請求項１８いずれか記載の光出力装置。
【請求項２３】
前記光出力制御部が行う多段階制御は、３以上の光源の大きさのうちから１の光源の大きさで光を出力するように指示する請求項１から請求項１８いずれか記載の光出力装置。
【請求項２４】
前記外部情報は、データを入力する入力手段によりデータ入力される速度を示す情報を有することを特徴とする請求項１から請求項２３いずれか記載の光出力装置。
【請求項２５】
前記外部情報は、ＣＰＵの稼動率を示す情報を有することを特徴とする請求項１から請求項２３いずれか記載の光出力装置。
【請求項２６】
前記外部情報は、位置に関する情報である位置情報を有することを特徴とする請求項１から請求項２３いずれか記載の光出力装置。
【請求項２７】
前記外部情報は、場所に関する情報である場所情報を有することを特徴とする請求項１から請求項２３いずれか記載の光出力装置。
【請求項２８】
前記外部情報は、圧力に関する情報である圧力情報を有することを特徴とする請求項１から請求項２３いずれか記載の光出力装置。
【請求項２９】
前記外部情報は、心拍数を示す情報である心拍数情報を有することを特徴とする請求項１から請求項２３いずれか記載の光出力装置。
【請求項３０】
前記外部情報は、体温を示す情報である体温情報を有することを特徴とする請求項１から請求項２３いずれか記載の光出力装置。
【請求項３１】
前記外部情報は、血糖値を示す情報である血糖値情報を有することを特徴とする請求項１から請求項２３いずれか記載の光出力装置。
【請求項３２】
前記外部情報は、健康状態に関する情報である健康状態情報を有することを特徴とする請求項１から請求項２３いずれか記載の光出力装置。
【請求項３３】
前記外部情報は、ＰＨ値に関する情報であるＰＨ値情報を有することを特徴とする請求項１から請求項２３いずれか記載の光出力装置。
【請求項３４】
前記外部情報は、角度に関する情報である角度情報を有することを特徴とする請求項１から請求項２３いずれか記載の光出力装置。
【請求項３５】
前記外部情報は、回転に関する情報である回転情報を有することを特徴とする請求項１から請求項２３いずれか記載の光出力装置。
【請求項３６】
前記外部情報は、脳波に関する情報である脳波情報を有することを特徴とする請求項１から請求項２３いずれか記載の光出力装置。
【請求項３７】
形状が立方体または直方体または球形であることを特徴とする請求項１から請求項３６いずれか記載の光出力装置。
【請求項３８】
外部から遠隔情報を受信して、請求項１、または請求項３から請求項６いずれか記載の光出力装置に前記遠隔情報を送信する中継装置であって、
前記遠隔情報と送信先識別子、または前記遠隔情報と送信元識別子、または前記遠隔情報を受信する遠隔情報受信部と、
前記遠隔情報受信部が受信した情報に基づいて送信先識別子を取得する送信先識別子取得部と、
前記送信先識別子取得部で取得した送信先識別子で識別される送信先に、前記遠隔情報受信部が受信した遠隔情報を送信する遠隔情報送信部を
具備する中継装置。
【請求項３９】
遠隔情報を受信し、当該遠隔情報に基づいて、光制御するためのパラメータである光制御パラメータを決定し、当該光制御パラメータを送信する中継装置。
【請求項４０】
請求項１から請求項６いずれか記載の光出力装置と、情報処理端末とを有する情報処理システムを構成する前記情報処理端末であって、
外部情報を取得する外部情報取得部と、
ユーザ識別子を受信するユーザ識別子受信部と、
前記外部情報と前記ユーザ識別子を有する遠隔情報を送信する情報処理端末。
【請求項４１】
前記外部情報が、種類情報と情報値を有することを特徴とする請求項４０記載の情報処理端末。
【請求項４２】
前記外部情報取得部は、
データを入力する入力手段によりデータ入力される信号を受け付ける入力信号受付手段と、
前記入力信号受付手段で受け付けた信号に基づいて外部情報を生成する外部情報生成手段を具備する
請求項４０または請求項４１いずれか記載の情報処理端末。
【請求項４３】
前記外部情報取得部は、
ＣＰＵの稼働率に関する情報である稼働率情報を取得するＣＰＵ稼働率取得手段を具備し、
前記外部情報が、前記稼働率情報を有することを特徴とする
請求項４０または請求項４１いずれか記載の情報処理端末。
【請求項４４】
前記外部情報取得部は、
情報処理端末の位置に関する情報である位置情報を取得する位置情報取得手段を具備し、
前記外部情報が、前記位置情報を有することを特徴とする
請求項４０または請求項４１いずれか記載の情報処理端末。
【請求項４５】
前記外部情報取得部は、
情報処理端末が存在する場所に関する情報である場所情報を取得する場所情報取得手段を具備し、
前記外部情報が、前記場所情報を有することを特徴とする
請求項４０または請求項４１いずれか記載の情報処理端末。
【請求項４６】
前記外部情報取得部は、
前記情報処理端末に与えられる圧力に関する情報である圧力情報を取得する圧力取得手段を具備し、
前記外部情報が、前記圧力情報を有することを特徴とする
請求項４０または請求項４１いずれか記載の情報処理端末。
【請求項４７】
前記外部情報取得部は、
心拍数情報を取得する心拍数情報取得手段を具備し、
前記外部情報が、前記心拍数情報を有することを特徴とする
請求項４０または請求項４１いずれか記載の情報処理端末。
【請求項４８】
前記外部情報取得部は、
体温情報を取得する体温情報取得手段を具備し、
前記外部情報が、前記体温情報を有することを特徴とする
請求項４０または請求項４１いずれか記載の情報処理端末。
【請求項４９】
前記外部情報取得部は、
血糖値情報を取得する血糖値情報取得手段を具備し、
前記外部情報が、前記血糖値情報を有することを特徴とする
請求項４０または請求項４１いずれか記載の情報処理端末。
【請求項５０】
前記外部情報取得部は、
健康状態情報を取得する健康状態情報取得手段を具備し、
前記外部情報が、前記健康状態情報を有することを特徴とする
請求項４０または請求項４１いずれか記載の情報処理端末。
【請求項５１】
前記外部情報取得部は、
ＰＨ値を取得するＰＨ値取得手段を具備し、
前記前記外部情報が、前記ＰＨ値を有することを特徴とする
請求項４０または請求項４１いずれか記載の情報処理端末。
【請求項５２】
前記外部情報取得部は、
情報処理端末の傾きに関する情報である角度情報を取得する角度情報取得手段を具備し、
前記前記外部情報が、前記角度情報を有することを特徴とする
請求項４０または請求項４１いずれか記載の情報処理端末。
【請求項５３】
前記外部情報取得部は、
回転に関する情報である回転情報を取得する回転情報取得手段を具備し、
前記前記外部情報が、前記回転情報を有することを特徴とする
請求項４０または請求項４１いずれか記載の情報処理端末。
【請求項５４】
前記外部情報取得部は、
脳波を取得する脳波取得手段を具備し、
前記前記外部情報が、前記脳波に関する情報である脳波情報を有することを特徴とする
請求項４０または請求項４１いずれか記載の情報処理端末。
【請求項５５】
形状が立方体または直方体または球形であることを特徴とする請求項４０から請求項５４いずれか記載の情報処理端末。
【請求項５６】
３以上の光の出力状態を制御可能である光出力装置であって、
遠隔情報または光制御パラメータを受信し、当該遠隔情報または光制御パラメータに基づいて、光出力制御を行って、光出力する光出力装置。
【請求項５７】
コンピュータに、
外部から送信される情報である外部情報とユーザ識別子を有する遠隔情報を受信する遠隔情報受信ステップと、
前記遠隔情報に基づいて光の出力を制御する光出力制御ステップを
実行させるためのプログラム。
【請求項５８】
前記外部情報は情報の種類を示す情報である種類情報と当該種類情報が示す情報の値である情報値を有し、
前記光出力制御ステップは、前記遠隔情報受信ステップで受信した遠隔情報が有する種類情報と情報値とユーザ識別子に基づいて光の出力を制御することを特徴とする
コンピュータに実行させるための請求項５７記載のプログラム。
【請求項５９】
外部情報の種類情報を格納しており、
前記光出力制御ステップは、前記遠隔情報受信ステップで受信した遠隔情報が有する種類情報が前記格納されている種類情報と一定の関係がある場合のみ、光の出力を指示する
コンピュータに実行させるための請求項５８記載のプログラム。
【請求項６０】
前記光出力制御ステップにおいて２以上の光出力方法を制御可能であり、
前記光出力方法を識別する光出力方法識別子と種類情報とを対応付けて格納しており、
前記光出力制御ステップは、前記遠隔情報受信ステップで受信した遠隔情報が有する種類情報が前記格納されている種類情報と一定の関係がある場合のみ、当該種類情報に対応する光出力方法識別子で識別される光出力方法により光の出力をするように指示する
コンピュータに実行させるための請求項５９記載のプログラム。
【請求項６１】
前記遠隔情報受信ステップで受信する遠隔情報の全部または一部を記録する遠隔情報記録ステップをさらに具備し、
前記光出力制御ステップは、前記遠隔情報記録ステップで記録した１以上の遠隔情報または／および前記遠隔情報受信ステップで受信した遠隔情報に基づいて光の出力を制御するコンピュータに実行させるための請求項５７から請求項６０いずれか記載のプログラム。
【請求項６２】
外部から遠隔情報を受信して、請求項７から請求項１３いずれか記載の光出力装置に遠隔情報を送信する中継装置であって、
前記遠隔情報と送信先識別子、または前記遠隔情報と送信元識別子、または前記遠隔情報を受信する遠隔情報受信部と、
前記遠隔情報受信部が受信した情報に基づいて送信先識別子を取得する送信先識別子取得部と、
前記送信先識別子取得部で取得した送信先識別子で識別される送信先に、前記遠隔情報受信部が受信した遠隔情報を送信する遠隔情報送信部を
具備する中継装置。
【請求項６３】
複数の外部装置から複数の遠隔情報を受信する遠隔情報受信部と、
前記複数の遠隔情報に基づいて光制御パラメータを決定する光制御パラメータ決定部と、
前記光制御パラメータ決定部で決定した光制御パラメータを送信するパラメータ送信部を
具備する中継装置。
【請求項６４】
外部装置の複数の遠隔情報である履歴情報を複数の外部装置から受信する遠隔情報受信部と、
前記複数の履歴情報に基づいて光制御パラメータを決定する光制御パラメータ決定部と、
前記光制御パラメータ決定部で決定した光制御パラメータを送信するパラメータ送信部を
具備する中継装置。
【請求項６５】
コンピュータに、
外部から送信される情報である第一の外部情報とユーザ識別子を有する遠隔情報を受信する遠隔情報受信ステップと、
第二の外部情報を取得する外部情報取得ステップと、
前記遠隔情報と前記第二の外部情報に基づいて、光の出力を制御する光出力制御ステップを実行させるためのプログラム。
【請求項６６】
前記第一および第二の外部情報は情報の種類を示す情報である種類情報と当該種類情報が示す情報の値である情報値を有し、
前記光出力制御ステップは、前記遠隔情報受信ステップで受信した第一の外部情報が有する種類情報と情報値と、前記第二の外部情報が有する種類情報と情報値と、ユーザ識別子に基づいて光の出力を制御することを特徴とする
請求項６５記載のプログラム。
【請求項６７】
外部情報の種類情報を格納しており、
前記光出力制御ステップは、前記遠隔情報受信ステップで受信した第一の外部情報が有する種類情報が前記格納されている種類情報と一定の関係がある場合のみ、光の出力を指示する請求項６６記載のプログラム。
【請求項６８】
前記光出力制御ステップにおいて２以上の光出力方法を制御可能であり、
前記光出力方法を識別する光出力方法識別子と種類情報とを対応付けて格納しており、
前記光出力制御ステップは、前記遠隔情報受信ステップで受信した第一の外部情報が有する種類情報が前記格納されている種類情報と一定の関係がある場合のみ、当該種類情報に対応する光出力方法識別子で識別される光出力方法により光の出力をするように指示する
請求項６７記載のプログラム。
【請求項６９】
前記遠隔情報受信ステップで受信する第一の外部情報と前記外部情報取得ステップで取得する第二の外部情報を有する外部情報群を記録する外部情報記録ステップをさらに具備し、
前記光出力制御ステップは、前記外部情報記録ステップで記録した１以上の外部情報群とユーザ識別子に基づいて光の出力を制御する請求項６５から請求項６８いずれか記載のプログラム。
【請求項７０】
ユーザ識別子を受信するユーザ識別子受信ステップと、
前記外部情報取得ステップで取得した第二の外部情報と前記ユーザ識別子を有する遠隔情報を送信する遠隔情報送信ステップをさらに具備する請求項６５から請求項６９いずれか記載のプログラム。
【請求項７１】
コンピュータに、
第二の外部情報を取得する外部情報取得ステップと、
ユーザ識別子を受信するユーザ識別子受信ステップと、
前記第二の外部情報と前記ユーザ識別子を有する遠隔情報を送信する遠隔情報送信ステップと、
光出力の方法に関する情報である光制御パラメータを受信するパラメータ受信ステップと、
前記パラメータ受信ステップで受信した光制御パラメータに基づいて、光の出力を３以上の出力状態のうちから１以上の出力状態にするように指示する制御である多段階制御を行う光出力制御ステップを
実行させるためのプログラム。
【請求項７２】
前記第二の外部情報は情報の種類を示す情報である種類情報と当該種類情報が示す情報の値である情報値を有し、
前記光出力制御ステップにおいて、前記パラメータ受信ステップで受信した光制御パラメータが有する種類情報と情報値に基づいて前記２以上の光出力手段における光の出力を制御する
請求項７１記載のプログラム。
【請求項７３】
外部情報または／および光制御パラメータの種類情報を格納しており、
前記光出力制御ステップにおいて、前記パラメータ受信ステップで受信する光制御パラメータが有する種類情報が前記格納されている種類情報と一定の関係がある場合のみ光の出力を指示する
請求項７２記載のプログラム。
【請求項７４】
前記光出力制御ステップにおいて、２以上の光出力方法を制御可能であり、
前記光出力方法を識別する光出力方法識別子と前記種類情報とを対応付けて格納しており、
前記光出力制御ステップにおいて、前記パラメータ受信ステップで受信する光制御パラメータが有する種類情報が前記格納されている種類情報と一定の関係がある場合のみ、当該種類情報に対応する光出力方法識別子で識別される光出力方法により光の出力をするように指示する
請求項７３記載のプログラム。
【請求項７５】
前記遠隔情報送信ステップにおいて送信する遠隔情報は、２以上の第二の外部情報を有し、
前記パラメータ受信ステップにおいて、２以上の光制御パラメータである光制御パラメータ群を受信し、
前記光出力制御ステップは、前記光制御パラメータ群に基づいて光の出力を制御する請求項７１から請求項７４いずれか記載のプログラム。
【請求項７６】
請求項７から請求項３７いずれか記載の光出力装置または請求項４０から請求項５５いずれか記載の情報処理端末にユーザ識別子を送信する、またはユーザ識別子を取得されるユーザ識別子送信装置。
【発明の詳細な説明】
【０００１】
【発明の属する技術分野】
本発明はある装置から他の装置に当該装置の使用者の状態等を光出力によりやわらかく伝える情報処理システムや光出力装置等に関するものである。
【０００２】
【従来の技術】
従来、ある人から別の人へ情報を伝える装置として、携帯電話やインターネットに接続されたコンピュータ等が存在していた。
【０００３】
また、インターネットやブロードバンド技術等の普及により、常時接続で情報を送受信できるようになってきた。
【０００４】
さらに、健康状態を測定して、遠隔端末に送信する健康チェック端末装置があった（特許文献１参照）。かかる健康チェック端末装置は、通信媒体を介して遠隔端末とデータ伝送する通信手段と、健康状態を測定すると共に通信手段により測定データを伝送する測定手段とからなる健康チェック端末装置において、測定手段は、健康状態を測定するひとつ以上のセンサと、センサ毎に測定処理手続きを設定するセンサ毎手続き設定手段と、センサ毎手続き設定手段により設定した測定処理手続きに基づき測定処理を行うセンサ毎測定実行手段とを備えた健康チェック端末装置である。また、遠隔端末は、健康チェック端末装置から健康状態を受信して、健康情報（血圧など）を表示するものである。
【０００５】
【特許文献１】
特開２００２−０００５７３号公報（第１頁、第１図等）
【０００６】
【発明が解決しようとする課題】
しかし、従来の技術によれば、例えば、特定の相手（恋人や家族など）の現在の状態をやわらかく知ることができなかった。または、やわらかく自分の状態を特定の相手に伝えることができなかった。この「やわらかく知る」「やわらかく伝える」というのは、電話で現在の忙しい状態を知ったりすることではなく、また、インターネットを利用した電子メールで現在の仕事振りを特定の相手に伝えたりすることではない。さらに、血圧や血糖値を数値により得ることではない。この「やわらかく知る」「やわらかく伝える」というのは、具体的には、相手が何となく忙しそうだ、ということを知ったり、今相手の方に向かっていることを伝えたり、相手の体の具合が悪そうだということを伝えたりすることを言う。
【０００７】
つまり、携帯電話や電子メールシステムを用いれば積極的に状態を伝えることができるが、状態の伝達を意識せざるを得ない。
【０００８】
本願発明は、どちらかと言うと積極的ではないがゆえに、自分の状態をやわらかく相手に伝達し得るシステムを得ることを目的としている。
【０００９】
【課題を解決するための手段】
以上の課題を解決するために、以下のような情報処理システムを提供する。
【００１０】
ユーザ識別子送信装置と情報処理端末と中継装置と光出力装置を有する情報処理システムであって、ユーザ識別子送信装置は、格納しているユーザ識別子を情報処理端末に送信し、情報処理端末は、外部情報を取得する外部情報取得部と、ユーザ識別子を受信するユーザ識別子受信部と、外部情報とユーザ識別子を有する遠隔情報を送信し、中継装置は、情報処理端末から遠隔情報を受信して、光出力装置に遠隔情報を送信し、光出力装置は、中継装置から送信される遠隔情報を受信する遠隔情報受信部と、光を出力する光出力部と、遠隔情報に基づいて、光出力部における光の出力を３以上の出力状態のうちから１以上の出力状態にするように指示する制御である多段階制御を行う光出力制御部を具備する。かかる情報処理システムにより、相手の状態を光出力によりやわらかく知ることができる。
【００１１】
また、情報処理システムは、ユーザ識別子送信装置と情報処理端末と中継装置と光出力装置を有する情報処理システムであって、ユーザ識別子送信装置は、格納しているユーザ識別子を情報処理端末に送信し、情報処理端末は、外部情報を取得する外部情報取得部と、ユーザ識別子を受信するユーザ識別子受信部と、外部情報とユーザ識別子を有する遠隔情報を送信し、中継装置は、遠隔情報を受信し、当該遠隔情報に基づいて、光制御するためのパラメータである光制御パラメータを決定し、当該光制御パラメータを送信し、光出力装置は、中継装置から光制御パラメータを受信し、光出力制御部は、光制御パラメータに基づいて、光出力部における光の出力を３以上の出力状態のうちから１以上の出力状態にするように指示する制御である多段階制御を行う情報処理システムである。かかる情報処理システムにより、相手の状態を光出力によりやわらかく知ることができる。
【００１２】
また、情報処理システムは、第一光出力装置、中継装置、第二光出力装置、および第一光出力装置に対応するユーザ識別子送信装置、第二光出力装置に対応するユーザ識別子送信装置を具備し、第一光出力装置および第二光出力装置は、第一の外部情報とユーザ識別子を有する遠隔情報を受信する遠隔情報受信部と、第二の外部情報を取得する外部情報取得部と、光を出力する光出力部と、遠隔情報と第二の外部情報に基づいて、光出力部における光の出力を３以上の出力状態のうちから１以上の出力状態にするように指示する制御である多段階制御を行う光出力制御部を具備し、中継装置は、一方の光出力装置から受信した遠隔情報を他方の光出力装置に転送する。かかる情報処理システムにより、両者の状態を光出力によりやわらかく知ることができる。
【００１３】
また、情報処理システムは、第一光出力装置、中継装置、第二光出力装置、および第一光出力装置に対応するユーザ識別子送信装置、第二光出力装置に対応するユーザ識別子送信装置を具備し、第一光出力装置および第二光出力装置の光出力部は、光を出力する光出力手段を１以上具備し、第一の外部情報および第二の外部情報は、情報の種類を示す情報である種類情報と当該種類情報が示す情報の値である情報値を有し、光出力制御部は、遠隔情報が有するユーザ識別子と、第一の外部情報が有する種類情報と情報値と、第二の外部情報が有する種類情報と情報値に基づいて前記１以上の光出力手段における光の出力を制御することにより、両者の種々の状態を光出力によりやわらかく知ることができる。
【００１４】
また、情報処理システムは、第一光出力装置、中継装置、第二光出力装置、および第一光出力装置に対応するユーザ識別子送信装置、第二光出力装置に対応するユーザ識別子送信装置を具備し、光出力装置の光出力制御部は、２以上の光出力方法を制御可能であり、光出力方法を識別する光出力方法識別子と種類情報とを対応付けて格納しており、光出力制御部は、遠隔情報が有する種類情報が格納されている種類情報と一定の関係がある場合のみ、当該種類情報に対応する光出力方法識別子で識別される光出力方法により光の出力をするように光出力部に指示することにより、両者の種々の状態を、種々の光出力方法により表現できる。
【００１５】
また、情報処理システムは、第一光出力装置、中継装置、第二光出力装置、および第一光出力装置に対応するユーザ識別子送信装置、第二光出力装置に対応するユーザ識別子送信装置を具備し、光出力装置の遠隔情報受信部が受信する遠隔情報が有する第一の外部情報と外部情報取得部が取得する第二の外部情報を有する外部情報群を記録する外部情報記録部をさらに具備し、光出力制御部は、外部情報記録部が記録した１以上の外部情報群に基づいて光出力部における光の出力を制御することにより、両者の連続する種々の状態を、やわらかく知ることができる。
【００１６】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１７】
（実施の形態１）
図１は、本実施の形態における情報処理システムのブロック図である。
本情報処理システムは、ユーザ識別子送信装置１１、情報処理端末１２、中継装置１３、光出力装置１４を有する。
【００１８】
ユーザ識別子送信装置１１は、ユーザを識別するユーザ識別子を格納しており、当該ユーザ識別子を情報処理端末１２に送信する。ユーザ識別子送信装置１１は、指輪や時計やネックレスやＩＣカードや携帯電話等であり、ユーザの身に装着する装置であることが好適である。
【００１９】
情報処理端末１２は、当該装置を保持しているユーザの状態を示す情報である外部情報を取得し、ユーザ識別子送信装置１１からユーザ識別子を受信し、当該外部情報とユーザ識別子を有する遠隔情報を送信する。ユーザ識別子は、ユーザ（または情報処理端末１２等）を識別する情報である。中継装置１３は、情報処理端末１２から遠隔情報を受信し、当該遠隔情報を光出力装置１４に送信する。光出力装置１４は、中継装置１３から遠隔情報を受信し、当該遠隔情報に基づいて光を出力する。
【００２０】
ユーザ識別子送信装置１１は、ユーザ識別子格納部１１０１、ユーザ識別子送信部１１０２を具備する。
【００２１】
情報処理端末１２は、ユーザ識別子受信部１２０１、外部情報取得部１２０２、送信元識別子格納部１２０３、および第一遠隔情報送信部１２０４を有する。なお、本明細書において、第一遠隔情報送信部等の「第一」「第二」「第三」の識別情報が付与された構成要素について、当該識別情報を除いて説明している箇所もあるが、その機能は同様である。つまり、第一遠隔情報送信部を、単に遠隔情報送信部と言う場合もある。「第一」「第二」「第三」の識別情報は、説明の都合で、区別する必要がある場合に付与している。
【００２２】
中継装置１３は、第二遠隔情報受信部１３０１、送信管理情報格納部１３０２、送信先識別子取得部１３０３、および第二遠隔情報送信部１３０４を有する。
【００２３】
光出力装置１４は、第三遠隔情報受信部１４０１、光出力部１４０２、および光出力制御部１４０３を有する。
【００２４】
ユーザ識別子格納部１１０１は、ユーザ識別子を格納している。ユーザ識別子のデータの構造や内容は何でも良い。つまり、ユーザ識別子は、ユーザに振られたＩＤや、電話番号や、ユーザ識別子送信装置１１のＩＰアドレスや、ユーザ識別子送信装置１１のＭＡＣアドレス等である。ユーザ識別子格納部１１０１は、不揮発性の記録媒体が好適であるが、揮発性の記録媒体でも実現可能である。
【００２５】
ユーザ識別子送信部１１０２は、ユーザ識別子格納部１１０１のユーザ識別子を、情報処理端末１２に送信する。ユーザ識別子送信部１１０２は、無線の通信手段が好適であるが、放送手段や有線の通信手段でも実現可能である。ただし、ユーザ識別子送信装置１１がＩＣカード等である場合は、情報処理端末１２がユーザ識別子送信装置１１からユーザ識別子を読み出す。かかる場合、ユーザ識別子送信装置１１はユーザ識別子送信部１１０２を具備しない。
【００２６】
ユーザ識別子受信部１２０１は、ユーザ識別子を受信する。ユーザ識別子受信部１２０１は、無線の通信手段が好適であるが、放送を受信する手段や有線の通信手段等でも実現可能である。ユーザ識別子受信部１２０１は、ユーザ識別子送信装置１１からユーザ識別子を取得する手段であれば何でも良い。
【００２７】
外部情報取得部１２０２は、当該情報処理端末１２の使用者の状態に関する情報である外部情報を取得する。外部情報は、使用者の何らかの状態に関する情報であれば何でも良い。外部情報は、例えば、使用者がキーボードを打つ速度の情報（例えば、仕事の忙しさを示す情報）、使用者（端末）が存在する位置を示す位置情報、使用者（端末）が存在する場所を示す場所情報、端末が握られた強さを示す圧力情報、使用者の心拍数を示す情報、使用者の体温を示す情報、端末が振られた際の振られた度合いを示す情報（端末の角度変化に関する情報である角度情報）など種々ある。外部情報取得部１２０２は、上記外部情報によって、実現手段が異なる。詳細は、実施の形態２以降で説明する。
【００２８】
送信元識別子格納部１２０３は、当該情報処理端末１２を識別する情報である送信元識別子を格納している。送信元識別子は、情報処理端末１２の使用者を識別する情報等であっても良い。送信元識別子格納部１２０３は、半導体メモリやハードディスクやＣＤ−ＲＯＭなどの記憶媒体で実現される。通常、不揮発性のメモリで実現されるが、揮発性のメモリでも実現可能である。送信元識別子とは、送信元を識別する情報であれば何でも良く、例えば、本情報処理端末１２に付されたＩＰアドレスがある。ＩＰＶｅｒ６の技術が普及すれば、多くの機器にＩＰアドレスが付され、相互に通信可能になり得る。また、送信元識別子は、情報処理端末１２の使用者のメールアドレス等でも良い。また、情報処理端末１２が携帯電話である場合には、送信元識別子は電話番号でも良い。
【００２９】
第一遠隔情報送信部１２０４は、ユーザ識別子受信部１２０１が受信したユーザ識別子と外部情報取得部１２０２が取得した外部情報を有する遠隔情報と、送信元識別子格納部１２０３に格納されている送信元識別子を送信する。第一遠隔情報送信部１２０４は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【００３０】
第二遠隔情報受信部１３０１は、遠隔情報と当該遠隔情報の送信元を識別する送信元識別子を受信する。第二遠隔情報受信部１３０１は、通常、無線または有線の通信手段により実現され得るが、放送を受信する手段により実現しても良い。
【００３１】
送信管理情報格納部１３０２は、遠隔情報の送信先を識別する送信先識別子と送信元識別子との対である送信管理情報を１組以上格納している。送信管理情報格納部１３０２は、通常は、ハードディスクなどの不揮発性のメモリで実現され得るが、揮発性のメモリを排除するものではない。なお、送信先識別子と送信元識別子は、１対１の対応であるとは限らず、ｎ対１、ｎ対ｎの対応関係にある場合もあり得る。
【００３２】
送信先識別子取得部１３０３は、第二遠隔情報受信部１３０１が受信した送信元識別子と対になる１以上の送信先識別子を送信管理情報格納部１３０２から取得する。送信先識別子取得部１３０３は、通常、ＭＰＵやメモリ等から実現され得る。送信先識別子取得部１３０３が情報を取得するための処理手順は、通常、ソフトウェアで実現され、当該ソフトウェアはＲＯＭ等の記録媒体に記録されている。但し、ハードウェア（専用回路）で実現しても良い。
【００３３】
第二遠隔情報送信部１３０４は、送信先識別子取得部１３０３が取得した送信先識別子で識別される送信先に、第二遠隔情報受信部１３０１が受信した遠隔情報を送信する。第二遠隔情報送信部１３０４は、無線または有線による通信手段（例えば、モデムとそのドライバーソフトウェア等）で実現され得るが、放送手段で実現しても良い。
【００３４】
第三遠隔情報受信部１４０１は、遠隔情報を受信する。第三遠隔情報受信部１４０１は、無線または有線の通信手段で実現され得るが、放送を受信する手段（チューナーおよびそのドライバーソフトウェア等）で実現しても良い。
【００３５】
光出力部１４０２は、光を出力する。ＬＥＤや豆電球や液晶ディスプレイやＣＲＴなど光を出力する媒体であれば何でも良い。但し。光出力部１４０２は、ＯＦＦの状態も含めて３以上の状態を有するもの、つまり多段階（２段階以上）の光を出力できるものでなければならない。つまり、ＯＮとＯＦＦの２つの状態しか有さない光出力媒体は、光出力部１４０２に該当しない。
【００３６】
光出力制御部１４０３は、第三遠隔情報受信部１４０１が受信した遠隔情報に基づいて、光出力部１４０２における光の出力を３以上の出力状態（ＯＦＦも含む）のうちから１以上の出力状態にするように指示する制御である多段階制御を行う。光出力制御部１４０３は、通常、光出力部１４０２を制御するソフトウェアで実現され得るが、ハードウェアで実現しても良い。
【００３７】
以下、本情報処理システムの動作について説明する。まず、ユーザ識別子送信装置１１の動作について説明する。ユーザ識別子送信装置１１は、格納しているユーザ識別子を情報処理端末１２に送信する。ユーザ識別子を送信するタイミングは、問わない。例えば、ユーザ識別子送信装置１１は、常時、定期的にユーザ識別子を送信する。また、例えば、ユーザ識別子送信装置１１は、情報処理端末１２の要求に応じてユーザ識別子を送信する。ただし、ユーザ識別子送信装置１１は、ユーザ識別子を保持しており、情報処理端末１２が当該ユーザ識別子を読み出すような構成でも良い。
【００３８】
次に、情報処理端末１２の動作について図２のフローチャートを用いて説明する。
【００３９】
（ステップＳ２０１）外部情報取得部１２０２が外部情報を取得したか否かを判断する。外部情報を取得すればステップＳ２０２に行き、外部情報を取得しなければステップＳ２０１に戻る。
【００４０】
（ステップＳ２０２）第一遠隔情報送信部１２０４は、ユーザ識別子受信部１２０１が受信したユーザ識別子を取得する。なお、ここでは、例えば、ユーザ識別子送信装置１１が情報処理端末１２と一定距離以内に存在する場合に、ユーザ識別子受信部１２０１は、常時、定期的にユーザ識別子を受信している、とする。
【００４１】
（ステップＳ２０３）第一遠隔情報送信部１２０４は、送信元識別子格納部１２０３から送信元識別子を取得する。
【００４２】
（ステップＳ２０４）第一遠隔情報送信部１２０４は、中継装置１３を識別する情報である中継装置識別子を取得する。中継装置識別子は、図示しない手段により予め格納されている、とする。中継装置識別子は、中継装置１３と通信をするための情報であり、例えば、中継装置１３のＩＰアドレス等である。
【００４３】
（ステップＳ２０５）第一遠隔情報送信部１２０４は、遠隔情報と送信元識別子を中継装置識別子で識別される中継装置１３に送信する。遠隔情報は、ステップＳ２０１で取得した外部情報と、ステップＳ２０２で取得したユーザ識別子を有する。
【００４４】
なお、図２のフローチャートによれば、外部情報の取得は、何らのトリガーもなく行われたが、情報処理端末１２の使用者が開始ボタンを押下するなどのトリガーをかけてから、動作が開始されても良い。また、光出力装置１４や中継装置１３や他の装置からトリガーをかける信号を受信した場合に、ステップＳ２０１の外部情報の取得動作を開始しても良い。
【００４５】
次に、中継装置１３の動作について、図３のフローチャートを用いて説明する。
【００４６】
（ステップＳ３０１）第二遠隔情報受信部１３０１は、情報処理端末１２から遠隔情報と送信元識別子を受信したか否かを判断する。受信すればステップＳ３０２に行き、受信しなければステップＳ３０１に戻る。
【００４７】
（ステップＳ３０２）送信先識別子取得部１３０３は、第二遠隔情報受信部１３０１が受信した情報から送信元識別子を取得する。
【００４８】
（ステップＳ３０３）送信先識別子取得部１３０３は、ステップＳ３０２で取得した送信元識別子と対になるすべての送信先識別子を取得する。なお、取得する送信先識別子は一つでも複数でも良い。
【００４９】
（ステップＳ３０４）第二遠隔情報送信部１３０４は、ステップＳ３０３で取得した送信先識別子で識別される送信先に、ステップＳ３０１に受信した遠隔情報を送信する。その際、送信元識別子も遠隔情報と共に送信しても良いし、遠隔情報のみを送信しても良い。
【００５０】
なお、図３のフローチャートによれば、中継装置１３が遠隔情報を送信するのは、遠隔情報等の受信をトリガーとして行ったが、光出力装置１４からのアクセス要求があった場合に、遠隔情報を送信しても良い。
【００５１】
次に、光出力装置１４の動作について、図４のフローチャートを用いて説明する。
【００５２】
（ステップＳ４０１）第三遠隔情報受信部１４０１が遠隔情報を受信したか否かを判断する。遠隔情報を受信すればステップＳ４０２に行き、受信しなければステップＳ４０１に戻る。
【００５３】
（ステップＳ４０２）光出力制御部１４０３は、ステップＳ４０１で受信した遠隔情報からユーザ識別子を取得する。
【００５４】
（ステップＳ４０３）光出力制御部１４０３は、ステップＳ４０１で受信した遠隔情報から外部情報を取得する。
【００５５】
（ステップＳ４０４）光出力制御部１４０３は、ステップＳ４０２で取得したユーザ識別子とステップＳ４０３で取得した外部情報に基づいて、光制御のためのパラメータ（情報、式なども含む）である制御パラメータを決定する。なお、本明細書において、制御パラメータは光制御パラメータとも言う。
【００５６】
（ステップＳ４０５）光出力部１４０２は、ステップＳ４０４で決定された制御パラメータに従って、光を出力する。
【００５７】
（ステップＳ４０６）光出力制御部１４０３は、外部から終了信号を受信したか否かを判断する。終了信号を受信しなければステップＳ４０３に戻り、終了信号を受信すれば終了する。つまり、終了信号の受信により、光出力が中止され、光が消える。
【００５８】
なお、図４のフローチャートでは、光出力装置１４は、遠隔情報の受信を待っていたが、光出力装置１４から直接的または間接的に情報処理端末１２や中継装置１３に遠隔情報の送信を促しても良い。
【００５９】
また、図４のフローチャートにおいて、光出力装置１４が予め光出力する（反応する）ユーザ識別子を格納しており、当該格納しているユーザ識別子と、受信したユーザ識別子が一定の関係にあるときに、光出力される（反応する）という制御をしても良い。つまり、光出力装置１４において、光出力（反応）するユーザ識別子をカスタマイズ可能としても良い。
【００６０】
また、図４のフローチャートにおいて送信元識別子を受信する場合に、光出力装置１４が予め光出力する（反応する）送信元識別子を格納しており、当該格納している送信元識別子と、受信した送信元識別子が一定の関係にあるときに、光出力される（反応する）という制御をしても良い。つまり、光出力装置１４において、光出力（反応）する送信元識別子をカスタマイズ可能としても良い。
【００６１】
さらに、図４のフローチャートのステップＳ４０６において、終了信号を受信しなければステップＳ４０１に戻っても良い。
【００６２】
以下、本実施の形態における情報処理システムの具体的な動作や、それを構成する光出力装置等の形状等を説明する。
【００６３】
今、図５に示すように、ユーザ識別子送信装置１１は、指輪の形状をしている、とする。そして、ユーザ識別子送信装置１１は、ユーザ識別子を格納している無線タグが貼付されている。また、図６に示すように、情報処理端末１２の形状は、立方体（キューブ形状）であるとする。そして、情報処理端末１２は、無線タグリーダーを保持し、ユーザ識別子送信装置１１が一定距離以内に存在する場合に、ユーザ識別子送信装置１１からユーザ識別子を取得できる。さらに、情報処理端末１２に圧力センサが設置されており、情報処理端末１２を握ると、握った強さを示す圧力情報が外部情報取得部によって取得されるとする。つまり、本例の場合は、外部情報は圧力情報を有し、外部情報取得部は、圧力情報取得部である。なお、図６では、情報処理端末１２には、立方体の各面（６面）に圧力センサが設置されており、使用者が握った場合に、６面の圧力センサにより測定された値が外部情報取得部により取得される。そして、第一遠隔情報送信部が遠隔情報を送信し、中継装置１３を経て、光出力装置１４に送信される。なお、外部情報取得部で取得した外部情報を加工した情報を第一遠隔情報送信部が送信しても良い。かかる場合に送信する情報は、取得した外部情報に基づいて加工された情報であるので、外部情報と言うこととする。そして、光出力装置１４は、遠隔情報に基づいて光を出力する（図７参照）。つまり、光出力装置１４は、遠隔情報が有するユーザ識別子により、発光する光の色を変える。また、図７において、遠隔情報が有する圧力情報に基づいて、電圧制御部が電圧を制御する。つまり、情報処理端末１２が強く握られれば、光出力装置は強い光を発光する。
【００６４】
今、使用者（適宜、「ユーザ」とも言う。）が情報処理端末１２を握った、とする。次に、情報処理端末１２に設置された６つの圧力センサにより、６つの値が取得される。この６つの値を（１０，２０，１０，１０，１０，０）であった、とする。これが図８に示す表の「取得した外部情報」である。そして、情報処理端末１２は６つの値の平均値を求め、この平均値を「送信する外部情報」とする。そして、使用者が身に付けている指輪（ユーザ識別子送信装置１１）からユーザ識別子「１２３４」を取得する。そして、情報処理端末１２は、図９の遠隔情報を構成し、中継装置に送信する。中継装置は、情報処理端末１２の送信元識別子に基づいて、遠隔情報を転送する光出力装置１４を決定する。次に、中継装置は、当該決定した光出力装置１４に、図９の遠隔情報を送信する。ここでは、送信する遠隔情報が有する外部情報は「１０」である。そして、図９の遠隔情報が、光出力装置１４で受信され、当該遠隔情報に基づいて光出力される。
【００６５】
つまり、外部情報は、取得した情報そのままでも良いし、取得した情報を加工した情報でも良い。なお、加工のしかたは問わない。
【００６６】
図７に示すように、光出力装置１４は、電圧制御部が豆電球に繋がっている構成をとる。また、光出力装置１４は、予め格納しているユーザ識別子を有する遠隔情報を受信した場合のみ、光出力する。今、光出力装置１４は、ユーザ識別子「１２３４」「２２３３」のみを格納している、とする。そして、光出力装置１４の電圧制御部は、遠隔情報が有する外部情報の「１０」に基づいて電圧を決定し、豆電球に電圧をかける。そして、光出力される。つまり、情報処理端末１２の使用者は、そのユーザ識別子が光出力装置１４で管理されており、かつ強く情報処理端末１２を握れば、光出力装置１４は明るく輝き、軽く端末を握れば、光出力装置１４はぼんやりと暗く光る。なお、豆電球の代わりにＬＥＤ等を用いても良い。
【００６７】
そして、光出力装置１４の光出力制御部１４０３は、図１０に示すような「受信した外部情報」と「電圧」の関係により、多段階に光の出力を制御する。つまり、「受信した外部情報」が２０以下の場合は、外部情報の値と同じ値の電圧をかけて豆電球を制御する。そして、「受信した外部情報」が２０より大きい場合は、２０の電圧をかけて豆電球を制御する。これにより、光出力制御部１４０３は、消えている（電圧０）状態を含めて３以上の状態の中から１の状態（電圧）で光の強さ（制御パラメータ）を決定し、光出力部１４０２（豆電球）はそのパラメータに応じて光を出力する。
【００６８】
以上、本実施の形態によれば、情報処理端末の使用者の状態である外部情報と、ユーザ識別子を有する遠隔情報を、中継装置を経て光出力装置に送信し、光出力することにより、特定の使用者の状態等を特定の人に、ぼんやりとやわらかく伝えることができる。これにより、特定の人の何からの状態を知った人は、種々の対応が可能である。外部情報の具体的な例と種々の対応等の詳細については、実施の形態２以降で説明する。
【００６９】
なお、情報処理端末の握り具合を光出力装置に伝える意義は以下の通りである。例えば、家に光出力装置を設置している。そして、家族４名が、ユーザ識別子送信装置と情報処理端末を所有している。そして、家族４名のうちの誰かが、もうすぐ帰宅することを、情報処理端末を強く握ることで伝える。光出力装置を見られる場所に居る家族の者が、何となく、家族のメンバーがもうすぐ帰宅することを知ることができる。以上のように、家族の間で、やわらかいコミュニケーションができる。
【００７０】
また、光出力装置が、ユーザ識別子に対応させて、図１０における「受信した外部情報」と「電圧」の関係を示す表を複数保持することにより、ユーザ識別子に対応させて光出力が可能となる。したがって、上記の例で言えば、光出力装置を見られる場所に居る家族の者が、誰がもうすぐ帰宅するかを、やわらかく知ることができる。
【００７１】
また、本実施の形態、および以下で述べるすべての実施の形態において、中継装置は必須ではなく、情報処理端末と光出力装置で直接的に遠隔情報の送受信をしても良い。
【００７２】
また、本実施の形態において、情報処理端末と中継装置の間で、送信元識別子が送受信され、中継装置が受信した送信元識別子から送信先識別子を取得する構成であったが、情報処理端末から送信先識別子が中継装置に送信され、かつ中継装置は、以下の構成でも良い。つまり、中継装置は、遠隔情報の送信先を識別する送信先識別子と遠隔情報を受信する第二遠隔情報受信部と、第二遠隔情報受信部が受信した送信先識別子で識別される送信先に、第二遠隔情報受信部が受信した遠隔情報を送信する第二遠隔情報送信部とを具備する構成でも良い。なお、第二遠隔情報送信部は、自動的に遠隔情報を送信しても、光出力装置からの遠隔情報アクセス要求があった場合に、遠隔情報を送信しても良い。以上の２種類の中継装置がありえるのは、本明細書の全ての実施の形態において言える。
【００７３】
また、本実施の形態において、情報処理端末と中継装置の間で、送信元識別子が送受信され、中継装置が受信した送信元識別子から送信先識別子を取得する構成であったが、中継装置は受信した遠隔情報が有するユーザ識別子に基づいて送信先識別子を取得しても良い。かかる場合、中継装置は、遠隔情報を受信する第二遠隔情報受信部と、第二遠隔情報受信部が受信した遠隔情報が有するユーザ識別子に基づいて取得した送信先識別子で識別される送信先に、第二遠隔情報受信部が受信した遠隔情報を送信する第二遠隔情報送信部とを具備する。
【００７４】
また、本実施の形態によれば、光出力制御部１４０３は、遠隔情報に基づいて光の強さを制御したが、他の光の制御をしても良い。他の光の制御には、以下のようなものがある。
【００７５】
まず、光出力制御部１４０３は、遠隔情報が有するユーザ識別子に基づいて、光の色を決定する。そして、光出力制御部１４０３は、遠隔情報が有する外部情報に基づいて、光の強さを決定する。具体的には、例えば、図１１に示すように、光出力部１４０２を構成する光源は「赤」「青」「緑」の３つのＬＥＤが束ねてある構成であるとする。そして、光出力制御部１４０３は、第三遠隔情報受信部１４０１が受信した遠隔情報が有するユーザ識別子に基づいて、「赤」「青」「緑」のうちの色を決定する。そして、光出力制御部１４０３は、遠隔情報が有する外部情報に基づいて、かける電圧を決定する。そして、光出力部１４０２は、一の色のＬＥＤを、上記の決められた光の強度で出力する。以上により、ユーザ識別子により光の色を制御し、外部情報により光の強さを制御できる。
【００７６】
また、３以上の光の点滅方法のうちから１の光の点滅方法で光の出力をするように指示しても良い。つまり、例えば、図１２に示すような「受信したユーザ識別子」「受信した外部情報」と「点滅パターン」の情報を光出力制御部１４０３が管理している。そして、受信したユーザ識別子と外部情報に基づいて、豆電球のＯＮ／ＯＦＦのパターンを決定する。なお、光出力装置１４が管理していないユーザ識別子を受信した場合は、光出力装置１４は光を出力しない。
【００７７】
また、光出力装置１４は、ユーザ識別子と外部情報に基づいて、３以上の光源の回転方法のうちから１の光源の回転方法で光を出力するように指示しても良い。具体的には、例えば、光出力部１４０２は、以下の構成をとる。つまり、図１３に示すように、例えば、光出力部１４０２の横に回転可能な反射鏡が設置されている、とする。そして、モータ等の動力により反射鏡が回転する。そして、反射鏡の回転パターンや回転速度等が受信したユーザ識別子と外部情報に基づいて決められる。例えば、受信した外部情報の値をパラメータとする回転速度を算出し、当該回転速度で、反射鏡が回転する。なお、受信した外部情報の値をパラメータとする回転速度を算出する算出式は、ユーザ識別子ごとに保持している。また、光源の回転が視覚的に認識できれば、その構成を問わない良い。つまり、反射鏡の回転により、光源が回転しているように認識できても良いし、光を遮断する遮蔽板が光源の横にあって、その遮蔽板が回転しても良いし、拡散しない光源があり、その光源自体が回転しても良い。
【００７８】
さらに、光出力装置１４は、ユーザ識別子と外部情報に基づいて、３以上の光源の大きさのうちから１の光源の大きさで光を出力するよう指示しても良い。具体的には、例えば、以下の構成をとる。つまり、図１４に示すように、立方体の中にさらに立方体を構成して、光を出力するディスプレイ（例えば、液晶ディスプレイ）が６つ存在している。この６つのディスプレイが光出力部１４０２である。そして、ディスプレイに出力する光（例えば、赤色、円形グラフィックス表示）により光出力装置１４がぼんやり赤く光っているように見える。そして、受信したユーザ識別子と外部情報に基づいてディスプレイに出力する光（グラフィック表示）の大きさを変更することにより、光出力制御を行う。
【００７９】
また、本実施の形態において、情報処理端末と光出力装置の形状は、立方体であったが、球状や人形、動物の形など、何でも良い。これも、すべての実施の形態において同様である。
【００８０】
また、本実施の形態において、情報処理端末は、ユーザ識別子送信装置からユーザ識別子を受信したが、情報処理端末は、予めユーザ識別子を格納していても良い。かかる場合、情報処理システムは、ユーザ識別子送信装置を具備しない。また、情報処理端末は、ユーザ識別子を着脱可能な記録媒体に格納していても良い。これも、すべての実施の形態において同様である。
【００８１】
さらに、本実施の形態において説明した動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことも、すべての実施の形態において同様である。なお、本実施の形態において説明した光出力装置を実現するプログラムは、以下の構成になる。つまり、コンピュータに、外部から送信される情報である外部情報とユーザ識別子を有する遠隔情報を受信する遠隔情報受信ステップと、遠隔情報に基づいて光の出力を制御する光出力制御ステップを実行させるためのプログラム、である。
【００８２】
図１５は、本実施の形態における情報処理システムのブロック図である。
本情報処理システムは、ユーザ識別子送信装置１１、情報処理端末１５０２、中継装置１５０３、光出力装置１５０４を有する。
【００８３】
情報処理端末１５０２は、ユーザ識別子受信部１２０１、外部情報取得部１５０２１、第一遠隔情報送信部１５０２３を有する。外部情報取得部１５０２１は、圧力取得手段１５０２１１、位置情報取得手段１５０２１２、および外部情報構成手段１５０２１３を有する。
【００８４】
中継装置１５０３は、第二遠隔情報受信部１３０１、送信管理情報格納部１３０２、送信先識別子取得部１５０３１、および第二遠隔情報送信部１３０４を有する。
【００８５】
光出力装置１５０４は、第三遠隔情報受信部１４０１、光出力部１５０４１、種類情報格納部１５０４２、光出力制御１５０４３を有する。
【００８６】
圧力取得手段１５０２１１は、圧力に関する情報である圧力情報を取得する。圧力情報は、圧力に関する情報であれば何でも良く、強・中・弱の３段階の情報でも良い。また、圧力情報の単位やデータ構造等は問わない。圧力取得手段１５０２１１は、１以上の圧力センサにより実現され得る。圧力取得手段１５０２１１は、例えば、実施の形態１で述べたように、６つの圧力センサの値を取得する、とする。
【００８７】
位置情報取得手段１５０２１２は、情報処理端末１５０２が存在する位置に関する情報である位置情報を取得する。位置情報取得手段１５０２１２は、例えば、ＧＰＳシステムの受信機で構成され得る。かかる場合、位置情報は、ＧＰＳ座標値である。ただし、位置情報のデータ構造や内容は問わない。
【００８８】
外部情報構成手段１５０２１３は、圧力取得手段１５０２１１が取得した圧力情報および／または位置情報取得手段１５０２１２が取得した位置情報に基づいて外部情報を構成する。外部情報は、情報の種類を示す情報である種類情報と当該種類情報に対応する値である情報値の組を１組以上有する。
【００８９】
第一遠隔情報送信部１５０２３は、外部情報構成手段１５０２１３が構成した外部情報と、ユーザ識別子受信部１２０１が受信したユーザ識別子を有する遠隔情報を中継装置１５０３に送信する。第一遠隔情報送信部１５０２３は、通信手段で実現され得るが、放送手段で実現しても良い。通信手段は、無線通信手段でも、有線の通信手段でも良い。送信する遠隔情報によって、無線通信手段が適するか、有線の通信手段が適するかが決まると考えられる。
【００９０】
光出力部１５０４１は、２以上の光出力手段を具備する。ここでは、２つの光出力手段を具備しているとし、各々第一光出力手段１５０４１１、第二光出力手段１５０４１２とする。第一光出力手段１５０４１１、および第二光出力手段１５０４１２は、実施の形態１で述べた種々の光出力の手段のうちの１つ、または２以上を組み合わせた構成により、実装され得る。実施の形態１で述べた種々の光出力の手段とは、以下の５種類の光出力手段を言う。第一は、３以上の光の強さ（光らないＯＦＦの場合も含めて）のうちから１の光の強さを出力する手段である。第二は、３以上の光の色（ＯＦＦも含めて）のうちから１の光の色を出力する手段（光の強さの制御も同時に行っても良い）である。第三は、３以上の光の点滅方法（点滅しないＯＦＦも含めて）のうちから１の光の点滅方法で光の出力をする手段である。第四は、３以上の光源の回転方法（ＯＦＦも含めて）のうちから１の光源の回転方法で光を出力する手段である。第五は、３以上の光源の大きさ（ＯＦＦも含めて）のうちから１の光源の大きさで光を出力する手段である。本明細書において、５種類の上記の光出力方法を各種光出力方法と言う場合がある。なお、各種光出力方法については、実施の形態１で説明済みである。
【００９１】
種類情報格納部１５０４２は、外部情報の種類情報を格納している。種類情報格納部１５０４２は、ハードディスクなどの不揮発性の記録媒体だけではなく、不揮発性の記録手段でも実現し得る。
【００９２】
光出力制御部１５０４３は、第三遠隔情報受信部１４０１が受信する遠隔情報が有するユーザ識別子と外部情報に基づいて光出力を制御する。具体的には、第三遠隔情報受信部１４０１が受信したユーザ識別子が管理されているユーザ識別子であり、かつ第三遠隔情報受信部１４０１が受信した外部情報に含まれる種類情報が種類情報格納部１５０４２に格納されている種類情報と一定の関係がある場合のみ、光出力部１５０４１に光の出力を指示する。また、光出力制御部１５０４３は、第三遠隔情報受信部１４０１が受信した外部情報が有する種類情報と情報値に基づいて２以上の光出力部１５０４１における光の出力を制御する。光出力制御部１５０４３は、通常、ＭＰＵやメモリ等から実現され得る。光出力制御部１５０４３の処理手順は、通常、ソフトウェアで実現され、当該ソフトウェアはＲＯＭ等の記録媒体に記録されている。但し、ハードウェア（専用回路）で実現しても良い。
【００９３】
以下、本情報処理システムの動作について説明する。まず。情報処理端末１５０２の動作について図１６のフローチャートを用いて説明する。
【００９４】
（ステップＳ１６０１）位置情報取得手段１５０２１２は、位置情報を取得する。
【００９５】
（ステップＳ１６０２）圧力取得手段１５０２１１は、圧力の入力があったか否かを判断する。圧力の入力があれば、ステップＳ１６０３に行き、圧力情報の入力がなければステップＳ１６０４に飛ぶ。
【００９６】
（ステップＳ１６０３）圧力取得手段１５０２１１は、圧力情報を生成する。圧力情報の生成とは、１以上の圧力センサの測定結果から送信する圧力情報を構成することを言う。「圧力情報を構成する」とは、例えば、圧力センサが６つある場合に、６つのセンサの測定値の平均をとる処理を言う。また、「圧力情報を構成する」とは、例えば、圧力センサが６つある場合に、圧力を検知できたセンサの数によって、情報処端末をどのように触ったかがわかり、その触った状態を推測して情報として生成するような処理がある。具体的には、５つのセンサが０より大きな値を検知した場合は、使用者は情報処理装置をわし掴みしていると判断する。また、４つのセンサから値を検知できた場合は、使用者は情報処理装置を普通に掴んでいる、と判断する。さらに、１つのセンサのみ値を検知できた場合は、使用者は情報処理装置を指等で触っている（押している）だけである、と判断する。そして、圧力取得手段１５０２１１は、触り方（例えば、０より大きな値を示したセンサの数が触り方を示す値である、とする。）と圧力の大きさ（例えば、「０より大きな値を示したセンサの測定値の総和」／「０より大きな値を示したセンサの数」を圧力の大きさとする。）の２つの情報を圧力情報として生成する、ことが考えられる。
【００９７】
（ステップＳ１６０４）外部情報構成手段１５０２１３は、位置情報および／または圧力情報から外部情報を構成する。なお、この外部情報は、情報の種類を示す情報である種類情報と当該種類情報が示す情報の値である情報値の組を１組以上有する。
【００９８】
（ステップＳ１６０５）第一遠隔情報送信部１５０２３は、ユーザ識別子受信部１２０１が受信したユーザ識別子を取得する。
【００９９】
（ステップＳ１６０６）第一遠隔情報送信部１５０２３は、ステップＳ１６０４で構成した外部情報と、ステップＳ１６０５で取得したユーザ識別子を有する遠隔情報を送信する。なお、この遠隔情報の送信は、中継装置への送信を言うが、中継装置が存在しない場合は、光出力装置への送信を言う。
【０１００】
なお、図１６のフローチャートによれば、位置情報や圧力情報等の外部情報の取得は、何らのトリガーもなく行われたが、情報処理端末１５０２の使用者が開始ボタンを押下するなどのトリガーをかけてから、動作が開始されても良い。また、光出力装置１５０４や中継装置１５０３や他の装置からトリガーをかける信号を受信した場合に、ステップＳ１６０１の外部情報の取得動作を開始しても良い。
【０１０１】
次に、中継装置１５０３の動作について、図１７のフローチャートを用いて説明する。
【０１０２】
（ステップＳ１７０１）第二遠隔情報受信部１３０１は、情報処理端末１５０２から遠隔情報を受信したか否かを判断する。受信すればステップＳ１７０２に行き、受信しなければステップＳ１７０１に戻る。
【０１０３】
（ステップＳ１７０２）送信先識別子取得部１３０３は、ステップＳ１７０１で受信した情報からユーザ識別子を取得する。
【０１０４】
（ステップＳ１７０３）送信先識別子取得部１５０３１は、ステップＳ１７０２で取得したユーザ識別子と対になるすべての送信先識別子を、送信管理情報格納部１３０２から取得する。なお、取得する送信先識別子は一つでも複数でも良い。なお、送信管理情報格納部１３０２は、ここでは、ユーザ識別子と送信先識別子を対で管理している。ユーザ識別子と送信先識別子は、１対１であるとは限らない。
【０１０５】
（ステップＳ１７０４）第二遠隔情報送信部１３０４は、ステップＳ１７０３で取得した送信先識別子で識別される送信先に、ステップＳ１７０１に受信した遠隔情報を送信する。
【０１０６】
なお、図１７のフローチャートによれば、中継装置１５０３が遠隔情報を送信するのは、遠隔情報等の受信をトリガーとして行ったが、光出力装置１５０４からのアクセス要求があった場合に、遠隔情報を送信しても良い。
【０１０７】
次に、光出力装置１５０４の動作について、図１８のフローチャートを用いて説明する。
【０１０８】
（ステップＳ１８０１）第三遠隔情報受信部１４０１が、遠隔情報を受信したか否かを判断する。遠隔情報を受信すればステップＳ１８０２に行き、遠隔情報を受信しなければステップＳ１８０１に戻る。
【０１０９】
（ステップＳ１８０２）光出力制御部１５０４３は、ステップＳ１８０１で受信した遠隔情報からユーザ識別子を取得する。
【０１１０】
（ステップＳ１８０３）光出力制御部１５０４３は、ステップＳ１８０２で取得したユーザ識別子が管理しているユーザ識別子に含まれるか否かを判断する。管理しているユーザ識別子に含まれればステップＳ１８０４に行き、管理しているユーザ識別子に含まれなければ処理を終了する。つまり、ここでは、管理しているユーザ識別子に含まれなければ、光出力装置１５０４は光らない。
【０１１１】
（ステップＳ１８０４）カウンタｉに１を代入する。
【０１１２】
（ステップＳ１８０５）光出力制御部１５０４３は、受信した外部情報中に、ｉ番目の情報種類と情報値が存在するか否かを判断する。存在さればステップＳ１８０６に行き、存在しなければステップＳ１８０９に飛ぶ。
【０１１３】
（ステップＳ１８０６）光出力制御部１５０４３は、ｉ番目の情報種類と情報値を取得する。
【０１１４】
（ステップＳ１８０７）光出力制御部１５０４３は、ｉ番目の情報種類が、種類情報格納部１５０４２に格納されている情報種類と一定の関係があるか否かを判断する。一定の関係があればステップＳ１８０８に行き、一定の関係がなければステップＳ１８１０に飛ぶ。
【０１１５】
（ステップＳ１８０８）光出力制御部１５０４３は、ｉ番目の情報種類と情報値とユーザ識別子に基づいて光出力するための制御パラメータを決定する。制御パラメータを決定する詳細なアルゴリズムは、後述する。なお、光出力制御部１５０４３は、ｉ番目の情報種類と情報値のみに基づいて制御パラメータを決定しても良い。
【０１１６】
（ステップＳ１８０９）光出力部１５０４１は、ステップＳ１８０８で決定された制御パラメータに基づいて光を出力する。
【０１１７】
（ステップＳ１８１０）ｉを１増加させる。
【０１１８】
（ステップＳ１８１１）終了信号が入力されたか否かを判断する。終了信号が入力されれば光出力を終了する。終了信号が入力されなければステップＳ１８０５に戻る。
【０１１９】
なお、図１８のフローチャートでは、光出力装置１５０４は、遠隔情報の受信を待っていたが、光出力装置１５０４から直接的または間接的に情報処理端末１５０２や中継装置１５０３に遠隔情報の送信を促しても良い。
【０１２０】
また、図１８のフローチャートでは、すべての種類情報に対応する情報値の制御パラメータを決定して光出力した後は、ステップＳ１８１０により、無意味にカウンタｉをインクリメントすることとなるが、すべての種類情報に対応する情報値の制御パラメータを決定して光出力した後は、ステップＳ１８１０の処理を飛ばすなどの工夫をしても良い。かかる工夫は、本明細書において関連する全てのフローチャートに当てはまる。なお、本明細書における全てのフローチャートは、当然ながら、処理の一形態を説明するものである。
【０１２１】
以下、本実施の形態における情報処理システムの具体的な動作等を説明する。
【０１２２】
今、情報処理システムの概念図を図１９に示す。図１９によれば、ユーザ識別子送信装置１１は、携帯電話である。ユーザ識別子送信装置１１が格納しており、送信するユーザ識別子は、携帯電話の電話番号である。また、図１９において、情報処理端末１５０２と光出力装置１５０４の形状が、それぞれ立方体（キューブ形状）であるとする。そして、情報処理端末１５０２は、６面の各面に１つずつ、合計６つの圧力センサと、１つのＧＰＳの受信機を有している。かかる設備を有する情報処理端末１５０２は、図２０に示すような構造の情報を圧力情報取得手段によって得る。具体的な圧力情報の例は、図２１に示す。また、情報処理端末１５０２は、ＧＰＳ座標値の構造を有する位置情報（Ｘ，Ｙ，Ｚ）を位置情報取得手段によって得る。具体的な位置情報の例は、図２２に示す。外部情報構成手段１３０１１３は、６つの圧力情報に基づいて送信する圧力情報を得る。具体的には、「０以外の情報の総和」／「０以外の情報の数」を情報値として計算する。この例の場合は、（０＋０＋２０＋５＋５＋２０）／４により１２．５の値を得る。そして圧力情報として、「＜情報種類＞圧力情報、＜ＩＤ＞１、＜情報値＞１２．５」を得る。
【０１２３】
以上より、外部情報構成手段１５０２１３は、図２３に示すような２つの種類情報と情報値とＩＤを有するレコードを２組構成する。つまり、外部情報は、「種類情報」と「情報値」と「ＩＤ」を有するレコードが１組以上存在する構成となる。なお、「ＩＤ」は、種類情報を識別する情報であり、「ＩＤ」を「種類情報」としても良い。
【０１２４】
また、ユーザ識別子受信部１２０１は、ユーザ識別子送信装置１１からユーザ識別子「０５０−１２３４−５５５５」を受信している、とする。
【０１２５】
そして、第一遠隔情報送信部１５０２３は、上記外部情報とユーザ識別子「０５０−１２３４−５５５５」から図２４に示す遠隔情報を構成する。そして、第一遠隔情報送信部１５０２３は、図２４に示す遠隔情報を中継装置１５０３経由で光出力装置１５０４に送信する。光出力装置１５０４の第三遠隔情報受信部１４０１は、遠隔情報を受信する。
【０１２６】
なお、中継装置１５０３は、情報処理端末１５０２から受信した遠隔情報が有するユーザ識別子「０５０−１２３４−５５５５」に基づいて、遠隔情報を送信する光出力装置１５０４を決定する。具体的には、例えば、中継装置１５０３は、光出力装置１５０４を識別する光出力装置識別子とユーザ識別子を対で保持している。そして、受信したユーザ識別子と対になる１以上の光出力装置識別子を取得し、当該光出力装置識別子で識別される光出力装置に遠隔情報を送信する。ここで、光出力装置識別子とは、例えば、光出力装置のＩＰアドレスやＭＡＣアドレスや電話番号等である。
【０１２７】
次に、種類情報格納部１５０４２は、情報種類として、「位置情報」と「圧力情報」を格納している、とする。かかる場合、図２４に示す情報は、２レコードとも光制御の対象になる。そして、本実施の形態において、光出力制御部１５０４３は、情報種類「位置情報」の値に応じて、第一光出力手段１５０４１１を制御し、情報種類「圧力情報」の値に応じて、第二光出力手段１５０４１２が制御する、とする。そして、第一光出力手段１５０４１１は、青のＬＥＤで構成され、加える電圧を強くするほど強く光る。また、第二光出力手段１５０４１２は、赤のＬＥＤで構成され、加える電圧を強くするほど強く光る。
【０１２８】
また、光出力装置１５０４は、ユーザ識別子に対応する光の点滅パターンの情報を保持している、とする（図２５参照）。そして、光出力装置１５０４は、図２５のパターンにしたがって、光を点滅させて出力する。今、光出力装置１５０４が受信したユーザ識別子が「０５０−１２３４−５５５５」であるので、光出力装置１５０４はＯＮとＯＦＦの間隔が１対１の点滅を行う。つまり、光出力装置１５０４は、情報種類「位置情報」の値に応じて、第一光出力手段１５０４１１を光制御する際に、対応する情報値からＯＮの場合の光の強さを決定し、ユーザ識別子から点滅パターンを決定する。そして、光出力装置１５０４は、決定した光の強さと点滅パターンにしたがって、対応する光出力手段（ここでは、第一光出力手段１５０４１１または第二出力手段１５０４１１２）を制御する。
【０１２９】
ここで、簡単な光出力装置１５０４の外観を図２６に示す。また、図２７は、光出力している光出力装置１５０４の様子を示した図である。なお、もし受信した外部情報に「位置情報」と「圧力情報」以外の情報種類のレコードが含まれていれば、そのレコード（情報値など）は無視される。
【０１３０】
また、かかる場合、光出力制御部１５０４３は、光出力装置１５０４の位置情報を持っており（例えば、情報処理端末と同じＧＰＳ受信機を保持している。）、受信した位置情報（本例の場合は、（１３６，１１０，５））と保持している位置情報に基づいて、情報処理端末と光出力装置の距離を算出し、当該距離に基づいて出力する光の強さを制御する。例えば、両装置が近づけば近づくほど、光の強さは増す、という制御をする。かかる光の制御により、情報処理端末を持っている人と光出力装置を持っている人の距離がやわらかく伝わる。従って、上述した「外部情報に基づいて光出力を制御する」というのは、外部情報以外の情報を利用しても良い。
【０１３１】
また、複数の位置情報と位置情報を取得した時刻に基づいて、情報処理端末の動く方向が取得できる。かかる方向により、情報処理端末が光出力装置に近づいているのか遠ざかっているのかが判断できる。この方向の情報に基づく判断により、光出力装置が光の強さを変えたり、光の色を変えたり、点滅パターンを変えたりするなどの光制御を行っても良い。なお、移動する方向を取得する技術として、地磁気センサ等を利用した公知技術等を用いても良い。
【０１３２】
また、情報処理端末を握る強さを、第二光出力手段に出力する。その場合、握る強さを光出力の強さとして出力することが考えられる。
【０１３３】
例えば、恋人どうしが会うために接近しており、かつ情報処理端末を持っている人が当該端末を強く握っていた場合に、上記の光出力動作により、立方体の形状を有する光出力装置の青い出力（位置情報の出力）と赤い出力（圧力情報）はどんどん強くなって、相手に会いたい、という気持ちが、やわらかく伝わる。
【０１３４】
以上、本実施の形態によれば、複数の種類の情報が情報処理端末から光出力装置に伝わり、多数の情報が人から人へのやわらかく伝わる通信システムを提供できる。また、ユーザ識別子に基づいて光出力を制御することにより、誰から送信された情報をやわらかく出力しているかが分かり、好適である。
【０１３５】
なお、本実施の形態において、外部情報を構成するものとして、位置情報と圧力情報を選択したが、情報処理端末を保持する者の状態を示す情報であれば他でも良い。
【０１３６】
また、光出力制御は、光の強さを制御する態様で説明したが、実施の形態１で述べた他の態様でも（５種類の光制御方法のうちどれでも）良い。これは、すべての実施の形態において適用される。
【０１３７】
また、光出力部１５０４１が有する光出力出段は２つであったが、３以上でも良いし、１つでも良い。
【０１３８】
また、本実施の形態において、位置情報の取得は、ＧＰＳを用いておこなったが、携帯電話の基地局からの電波を利用して位置情報を取得するなど、他の手段でも良い。かかる技術は公知技術であるので、詳細な説明は省略する。
【０１３９】
また、本実施の形態において、ユーザ識別子に基づいて光の点滅パターンを制御したが、光の強さや色など、ユーザ識別子に基づいて他の光の属性値を制御しても良い。なお、光出力装置が管理していないユーザ識別子を受信した場合は、当該ユーザ識別子を有する遠隔情報は無視される。ただし、光出力装置が管理していないユーザ識別子を受信した場合でも、光出力装置はデフォルトのパターン等で光出力しても良い。
【０１４０】
また、本実施の形態において、固定的に、位置情報に基づいて第一光出力手段を制御し、圧力情報に基づいて第二光出力手段を制御していたが、どの情報に基づいてどの光出力手段を制御するかについてカスタマイズ可能であっても良い。
【０１４１】
また、本実施の形態において、中継装置は、受信したユーザ識別子に基づいて遠隔情報を送信する光出力装置を決定したが、実施の形態１で述べたように、送信元識別子に基づいて遠隔情報を送信する光出力装置を決定しても良い。かかる場合、情報処理端末は、送信元識別子も中継装置に送信する。かかることは、他の実施の形態においても同様である。
【０１４２】
さらに、光出力装置１５０４が受信する遠隔情報が有する種類情報が種類情報格納部１５０４２に格納されている場合（つまり、遠隔情報が有する種類情報と種類情報格納部１５０４２に格納されている種類情報が一致する場合）に光制御の対象としたが、遠隔情報が有する種類情報と種類情報格納部１５０４２に格納されている種類情報が一定の関係にあれば光出力制御の対象として良い。
【０１４３】
（実施の形態３）
図２８は、本実施の形態における情報処理システムのブロック図である。
本情報処理システムは、ユーザ識別子送信装置１１、情報処理端末１５０２、中継装置１５０３、光出力装置２８０４を有する。
【０１４４】
光出力装置２８０４は、第三遠隔情報受信部１４０１、光出力部１５０４１、種類情報格納部２８０４２、光出力制御部２８０４３およびを有する。
【０１４５】
種類情報格納部２８０４２は、光出力方法を識別する光出力方法識別子と種類情報とを対応付けて格納している。
【０１４６】
光出力制御部２８０４３は、第三遠隔情報受信部１４０１が受信する遠隔情報が有する種類情報が種類情報格納部２８０４２に格納されている種類情報と一定の関係があり、かつ第三遠隔情報受信部１４０１が受信する遠隔情報が有するユーザ識別子が、保持しているユーザ識別子と一定の関係がある場合のみ、当該種類情報または、当該種類情報およびユーザ識別子に対応する光出力方法識別子で識別される光出力方法により光の出力をするように光出力部１５０４１に指示する。
【０１４７】
次に、光出力装置２８０４の動作について、図２９のフローチャートを用いて説明する。
【０１４８】
（ステップＳ２９０１）第三遠隔情報受信部１４０１が、遠隔情報を受信したか否かを判断する。遠隔情報を受信すればステップＳ２９０２に行き、遠隔情報を受信しなければステップＳ２９０１に戻る。
【０１４９】
（ステップＳ２９０２）光出力制御部１５０４３は、ステップＳ２９０１で受信した遠隔情報からユーザ識別子を取得する。
【０１５０】
（ステップＳ２９０３）光出力制御部１５０４３は、ステップＳ２９０２で取得したユーザ識別子が管理しているユーザ識別子に含まれるか否かを判断する。管理しているユーザ識別子に含まれればステップＳ２９０４に行き、管理しているユーザ識別子に含まれなければ処理を終了する。
【０１５１】
（ステップＳ２９０４）カウンタｉに１を代入する。
【０１５２】
（ステップＳ２９０５）光出力制御部２３０３３は、受信した遠隔情報中に、ｉ番目の情報種類と情報値が存在するか否かを判断する。存在さればステップＳ２９０６に行き、存在しなければステップＳ２９０９に飛ぶ。
【０１５３】
（ステップＳ２９０６）光出力制御部２３０３３は、ｉ番目の情報種類と情報値を取得する。
【０１５４】
（ステップＳ２９０７）光出力制御部２３０３３は、ｉ番目の情報種類が、種類情報格納部２３０３２に格納されている情報種類と一定の関係があるか否かを判断する。一定の関係があればステップＳ２９０６に行き、一定の関係がなければステップＳ２９０８に飛ぶ。
【０１５５】
（ステップＳ２９０８）光出力制御部２３０３３は、ｉ番目の情報種類と情報値と、ユーザ識別子に基づいて光出力するための制御パラメータを決定する。この制御パラメータの決定は、詳細には、例えば、以下のように決定する。種類情報格納部２３０３２には、例えば、ユーザ識別子と、光出力手段を識別する「光出力手段識別子」と、「種類情報」と、光出力方法を識別する「光出力方法識別子」を有する光出力制御レコードを複数有する光出力制御表を格納している。そして、光出力制御部２３０３３は、受信したユーザ識別子とｉ番目の種類情報と対になる「光出力手段識別子」識別される光出力手段を、受信したユーザ識別子とｉ番目の種類情報と対になる「光出力方法識別子」で識別される光出力方法で光出力の制御をする。その際、光出力制御部２３０３３は、ｉ番目の情報値をパラメータとして与えて、光出力制御する。
【０１５６】
（ステップＳ２９０９）光出力部１５０４１が有する上記ｉ番目のレコードの「光出力手段識別子」で識別される光出力手段は、ステップＳ２９０８で決定された制御パラメータに基づいて光を出力する。
【０１５７】
（ステップＳ２９１０）ｉを１増加させる。
【０１５８】
（ステップＳ２９１１）終了信号が入力されたか否かを判断する。終了信号が入力されれば光出力を終了する。終了信号が入力されなければステップＳ２９０５に戻る。
【０１５９】
なお、図２９のフローチャートでは、光出力装置２８０４は、遠隔情報の受信を待っていたが、光出力装置２８０４から直接的または間接的に情報処理端末１５０２や中継装置１５０３に遠隔情報の送信を促しても良い。
【０１６０】
以下、本実施の形態における情報処理システムの具体的な動作等を説明する。ユーザ識別子送信装置１１は、非接触のＩＣカードである。情報処理端末１５０２は非接触ＩＣカードリーダを具備する。ＩＣカードには、ユーザ識別子「１２３４５」が格納されており、情報処理端末は、定期的に当該ユーザ識別子を読み出しにいっている。
【０１６１】
また、図３０に示すような光出力制御表が、種類情報格納部２３０３２に格納されている。光出力制御表は、上述したように、例えば、「ユーザ識別子」、「光出力手段識別子」、「種類情報」、および「光出力方法識別子」を有する光出力制御レコードを複数有する。そして、図３１に示すような５種類の光出力制御方法識別子で識別される光制御方法に第一光出力手段、第二光出力手段は対応可能である、とする。この図３１のデータは、例えば予め種類情報格納部に格納されている、とする。そして、図３０の表の「光出力方法識別子」は、図３１に示す５種類の光出力制御方法識別子のうちから選択可能である。つまり、図３２に示すような「種類情報・光出力方法識別子の設定パネル」により、図３２の表の「種類情報」、「光出力方法識別子」のカスタマイズが可能である。図３２は、第二光出力手段の光出力方法識別子をカスタマイズするパネルとメニューの表示例を示す図である。
【０１６２】
以上により、１以上の光出力手段毎に設定された「種類情報」「光出力方法識別子」と第三遠隔情報受信部が受信した外部情報とユーザ識別子に基づいて光出力制御される。
【０１６３】
具体的には、例えば、図２４に示す遠隔情報が情報処理端末から中継装置を経由して光出力装置に送信されたとする。かかる場合、ユーザ識別子「１２３４５」、位置情報（１３６，１１０，５）に基づいて、第二光出力手段が、光を回転させる方法により上記位置情報を示す。つまり、ユーザ識別子「１２３４５」に基づいて、図３０の表から選択される可能性のあるレコードを絞り込む。次に、例えば、光出力装置も位置情報を取得する手段（例えば、ＧＰＳ受信機）を持っていて、光出力装置が取得する位置情報と受信した位置情報に基づいて、情報処理端末と光出力装置の距離を算出する。そして、その距離が近いほど、例えば、第二光出力手段の光の回転（回転する反射鏡の回転により実現し得るのであるが。）を速くする。また、情報処理端末と光出力装置の距離が遠い場合は、遅く回転する。
【０１６４】
また、光出力装置が、図２４に示す遠隔情報の圧力情報「１２．５」を受信する。そして、ユーザ識別子「１２３４５」と「圧力情報１２．５」に基づいて、第一光出力手段が点滅により光出力制御される。具体的には、圧力情報が大きいほど点滅の間隔が短く光を発生する。例えば、圧力情報がＸの値をとる場合、１０／Ｘの間隔で光出力のＯＮ／ＯＦＦを切り替える。
【０１６５】
以上、本実施の形態によれば、複数の種類の情報が情報処理端末から光出力装置に伝わり、多数の情報が人から人へとやわらかく伝わる通信システムを提供できる。また、情報を発しているユーザによって光の出力制御ができることにより、誰の情報が伝わってきているかが分かる。さらに、種類情報と光出力方法識別子をカスタマイズすることにより、光出力装置の使用者の好みにあった光出力方法を取り得、また情報処理端末の情報を取得する能力に合った光出力装置が実現可能である。
【０１６６】
なお、本実施の形態において、外部情報を構成するものとして、位置情報と圧力情報を選択したが、情報処理端末を保持する者の状態を示す情報であれば他でも良い。
【０１６７】
また、本実施の形態において、光出力装置は、同一のユーザ識別子の２以上の外部情報を一度に光出力したが、異なるユーザ識別子の外部情報を同時に光出力しても良い。
【０１６８】
また、光出力部１３０３１が有する光出力出段は２つであったが、３以上でも良いし、１つでも良い。光出力出段が一つの場合は、種類情報格納部に格納されている光出力制御表の「光出力手段識別子」の属性は必要がない。光出力する対象は決まるからである。
【０１６９】
また、本実施の形態において、光出力装置における光出力制御部が「ユーザ識別子」「光出力手段識別子」「種類情報」「光出力方法識別子」を有するレコードから構成される表を保持していたが、当該表は中継装置で管理され、当該表に基づいて制御パラメータを決定する処理を中継装置で行っても良い。かかる場合、中継装置は、受信した遠隔情報に基づいて決定した制御パラメータを光出力装置に送信する。そして、制御パラメータを受信した光出力装置は、単に当該光制御パラメータに基づいて光出力すれば良い。このような構成にすることにより、簡単な構成の光出力装置が実現できる。本明細書における他の実施の形態においても同様のことが言える。つまり、光出力装置で行う処理（例えば、光制御パラメータの決定等の処理）を中継装置が行って、光出力装置は単に光を出力する装置として機能しても良い。
【０１７０】
さらに、光出力装置２８０４が受信する遠隔情報が有する種類情報と種類情報格納部２３０３２に格納されている種類情報が一致する場合に光制御の対象としたが、遠隔情報が有する種類情報と種類情報格納部１３０３２に格納されている種類情報が一定の関係にあれば光出力制御の対象として良い。一定の関係とは、例えば、種類情報がグループ化されており、遠隔情報が有する種類情報と種類情報格納部２３０３２に格納されている種類情報が同一のグループに属する場合を言う。一定の関係とは、その他、種々考えられる。
【０１７１】
（実施の形態４）
図３３は、本実施の形態における情報処理システムの概念図を示す。本情報処理システムは、ユーザ識別子送信装置１１、情報処理端末３３０２、中継装置１５０３、光出力装置３３０４、および入力手段３３０５を具備する。
【０１７２】
ここで、ユーザ識別子送信装置１１は、例えば、非接触ＩＣカードである。
【０１７３】
また、情報処理端末３３０２は、非接触ＩＣカードリーダを具備するコンピュータである。そして、情報処理端末３３０２は、キーボードを打つ信号を検知して一定の時間にキーボードを打った数を算出して、キーボードを打つ速度の情報であるキーボード情報を求める。そして、キーボード情報とユーザ識別子送信装置１１から受信したユーザ識別子を有する遠隔情報を中継装置１５０３に送信する。
【０１７４】
光出力装置３３０４は、中継装置１５０３を経由して受信したキーボード情報を有する遠隔情報を蓄積して、キーボード情報の履歴を光出力により外部に知らせる。
【０１７５】
入力手段３３０５は、キーボード、マウス、またはリモコンなどの情報を入力する手段である。
【０１７６】
次に、本情報処理システムのブロック図を図３４に示す。
【０１７７】
情報処理端末３３０２は、ユーザ識別子受信部１２０１、外部情報取得部３３０２１、第一遠隔情報送信部１５０２３を有する。
【０１７８】
外部情報取得部３３０２１は、入力信号受付手段３３０２１１、入力速度情報生成手段３３０２１２、外部情報構成手段３３０２１３を有する。
【０１７９】
外部情報取得部３３０２１は、外部情報を取得する。本実施の形態における外部情報は、キーボードなどのデータ入力手段によりデータを入力する速度を示す情報である入力速度情報から外部情報を構成する。
【０１８０】
入力信号受付手段３３０２１１は、入力手段３３０５からの入力信号を受け付ける。例えば、キーボード入力の信号を取得するハードウェアおよびソフトウェアにより構成され得る。
【０１８１】
入力速度情報生成手段３３０２１２は、入力信号受付手段３３０２１１が受け付けた入力信号に基づいて情報の入力速度を示す情報である入力速度情報を生成する。入力速度情報生成手段３３０２１２は、通常、ソフトウェアで実現され得るが、専用回路（ハードウェア）で実現しても良い。
【０１８２】
外部情報構成手段３３０２１３は、入力速度情報生成手段３３０２１２が生成した入力速度情報を有する外部情報を構成する。但し、外部情報と入力速度情報が同一のデータの場合もあり得る。かかる場合、外部情報構成手段３３０２１３は何もしない、つまり「ｎｏｐ」である。
【０１８３】
光出力装置３３０４は、第三遠隔情報受信部１４０１、遠隔情報記録部３３０４１、光出力部３３０４２、および光出力制御部３３０４３を具備する。
【０１８４】
遠隔情報記録部３３０４１は、第三遠隔情報受信部１４０１が受信した遠隔情報を記録する。遠隔情報の記録先は、図示しない記録媒体である。この記録媒体は、例えば、遠隔情報記録部３３０４１に存在する。この記録媒体は、ハードディスクや半導体メモリなどの不揮発性のメモリでも、揮発性メモリでも良い。遠隔情報記録部３３０４１は、通常、情報を記録するソフトウェアで実現されるが、専用回路（ハード）で実現しても良い。
【０１８５】
光出力部３３０４２は、パラメータに従って、光を出力する。なお、このパラメータは、遠隔情報記録部３３０４１が記録した１以上の遠隔情報または／および第三遠隔情報受信部１４０１が受信する遠隔情報に基づいて決められる。従って、光出力部３３０４２は、受信した遠隔情報の履歴について視覚的に分かるように光出力する。
【０１８６】
光出力制御部３３０４３は、光出力部３３０４２の光出力を制御する。具体的には、遠隔情報記録部３３０４１が記録した１以上の遠隔情報または／および第三遠隔情報受信部１４０１が受信する遠隔情報に基づいて光出力部３３０４２における光の出力を制御するパラメータを決定する。
【０１８７】
以下、本情報処理システムの動作についてフローチャートを用いて説明する。まず、情報処理端末３３０２の動作を図３５のフローチャートを用いて説明する。
【０１８８】
（ステップＳ３５０１）図示しないタイマーを０に設定する。このタイマーは、情報処理端末３３０２の種々の処理とは無関係にカウントアップされる。
【０１８９】
（ステップＳ３５０２）入力信号受付手段３３０２１１は、入力信号の受け付けがあったか否かを判断する。なお、入力信号があれば、図示しないキューに蓄積される。そして、入力信号受付手段３３０２１１は、このキューの中にデータが存在するか否かを定期的に見に行く。
【０１９０】
（ステップＳ３５０３）入力信号受付手段３３０２１１は、一定期間にあった全ての入力信号を取得する。具体的には、入力信号受付手段３３０２１１は、キューの中のデータを全て取得し、キューを空にする。なお、入力信号受付手段３３０２１１は、キューの中のデータの数を算出するだけでも良い。
【０１９１】
（ステップＳ３５０４）入力速度情報生成手段３３０２１２は、ステップＳ３５０３で取得したデータまたはデータの数に基づいて入力速度情報を生成する。
【０１９２】
（ステップＳ３５０４）外部情報構成手段３３０２１３は、ステップＳ３５０４で生成した入力速度情報に基づいて、外部情報を構成する。
【０１９３】
（ステップＳ３５０６）第一遠隔情報送信部１５０２３は、ユーザ識別子受信部１２０１が受信したユーザ識別子を取得する。なお、ユーザ識別子受信部１２０１は、ユーザ識別子送信装置１１が一定の範囲内に存在する間、常時、ユーザ識別子を受信し得る。
【０１９４】
（ステップＳ３５０７）第一遠隔情報送信部１５０２３は、中継装置１５０３を識別する情報である中継装置識別子を取得する。中継装置識別子は、図示しない手段により予め格納されている、とする。中継装置識別子は、中継装置１５０３と通信をするための情報であり、例えば、中継装置１５０３のＩＰアドレス等である。
【０１９５】
（ステップＳ３５０８）第一遠隔情報送信部１５０２３は、外部情報とユーザ識別子を有する遠隔情報を、中継装置識別子で識別される中継装置１５０３に送信する。
【０１９６】
（ステップＳ３５０９）別途カウントアップしているタイマーが一定の値（ｎ）になるまで待つ（つまり、ＷＡＩＴする。）。
【０１９７】
（ステップＳ３５１０）終了信号を受信したか否かを判断する。受信すれば終了し、受信しなければステップＳ３５０１に戻る。
【０１９８】
なお、図３５のフローチャートによれば、外部情報の取得（ステップＳ３５０１からの処理）は、何らのトリガーもなく行われたが、情報処理端末３３０２の使用者が開始ボタンを押下するなどのトリガーをかけてから、動作が開始されても良い。また、光出力装置３３０４や中継装置１５０３や他の装置からトリガーをかける信号を受信した場合に、ステップＳ３５０１からの外部情報の取得動作を開始しても良い。
【０１９９】
次に、光出力装置３３０４の動作について、図３６のフローチャートを用いて説明する。
【０２００】
（ステップＳ３６０１）第三遠隔情報受信部１４０１が遠隔情報を受信したか否かを判断する。遠隔情報を受信すればステップＳ３６０２に行き、受信しなければステップＳ３６０１に戻る。
【０２０１】
（ステップＳ３６０２）遠隔情報記録部３３０４１は、ステップＳ３６０１で受信した遠隔情報を記録する。
【０２０２】
（ステップＳ３６０３）光出力制御部３３０４３は、遠隔情報記録部３３０４１が記録した遠隔情報を全て（履歴情報）を読み出す。
【０２０３】
（ステップＳ３６０４）光出力制御部３３０４３は、ステップＳ３６０３で取得した履歴情報と、ユーザ識別子に基づいて、光制御のためのパラメータである制御パラメータを決定する。
【０２０４】
（ステップＳ３６０５）光出力部３３０４２は、ステップＳ３６０４で決定された制御パラメータに従って、光を出力する。
【０２０５】
（ステップＳ３６０６）光出力制御部３３０４３は、外部から終了信号を受信したか否かを判断する。終了信号を受信しなければステップＳ３６０１に戻り、終了信号を受信すれば終了する。つまり、終了信号の受信により、光出力が中止され、光が消える。
【０２０６】
なお、図３６のフローチャートでは、光出力装置３３０４は、遠隔情報の受信を待っていたが、光出力装置３３０４から直接的または間接的に情報処理端末３３０２や中継装置１５０３に遠隔情報の送信を促しても良い。
【０２０７】
また、図３６のフローチャートでは、光出力制御部は、遠隔情報記録部が記録した１以上の遠隔情報に基づいて光出力部における光の出力を制御していたが、遠隔情報記録部が記録した１以上の遠隔情報および遠隔情報受信部が受信した遠隔情報に基づいて光出力部における光の出力を制御しても良い。つまり、遠隔情報記録部が遠隔情報を記録するタイミングは、光出力をする前でも後でも良い。
【０２０８】
以下、本実施の形態における情報処理システムの具体的な動作等を説明する。
【０２０９】
今、今、光出力装置は、ユーザ識別子「１２３４」を登録している。そして、ユーザ識別子「１２３４」が格納されたＩＣカード（ユーザ識別子送信装置）を保持しているユーザが、情報処理端末のキーボード（入力手段）で、情報を入力する仕事をしている、とする。そして、情報処理端末は、ユーザ識別子「１２３４」を受信し、外部情報（キーボードで入力する速度を示す情報）を取得する。次に、情報処理端末は、ユーザ識別子「１２３４」と外部情報を有する遠隔情報が次々と、中継装置を経由して光出力装置に送信される。そして、光出力装置は、図３７に示すような遠隔情報の履歴（履歴情報）を、遠隔情報記録部によって記録する。履歴情報は、ユーザ識別子と外部情報を有する遠隔情報と当該遠隔情報が送信された時刻を有するレコードからなる。図３７に示す履歴情報は、９時１分から１０時までに光出力装置に送信された外部情報とユーザ識別子により構成されている。
【０２１０】
光出力制御部は、上記の遠隔情報を読み出し、登録されているユーザ識別子を有する遠隔情報の値の変遷が視覚的に分かるように光出力制御を行う。なお、光出力装置は、ユーザ識別子「１２３４」と外部情報を有する遠隔情報を受信した際に、受信した時刻も一緒に記録する。
【０２１１】
図３７によれば、情報処理端末で取得する入力速度情報は、だんだん速くなっている。従って、図３８に示すように、光出力装置の立方体の右側にいくほど、光が強く放出されている。なお、光出力装置は、立方体であり、左側の表示が過去の入力速度情報で、右側にいくほど最近の入力速度情報を示している。
【０２１２】
なお、光出力装置の光出力部は、図３９に示すように６面のディスプレイ（例えば、液晶ディスプレイ）で構成されても良いし、図４０に示すような構造でも良い。光出力部が６面のディスプレイで構成されている場合は、例えば、図３８のようなグラジュエーションで光の強さが視覚的にぼんやり表される。また、図４０に示す構造とは、立方体がある間隔で間仕切りがされており、各間においてＬＥＤが設置されている。そして、光出力制御部は、履歴情報に基づいて各間のＬＥＤの光の強さを制御する。具体的には、最右側のＬＥＤは、一番最近の外部情報に基づいて光の強さが決定され、光出力される。また、各間の仕切りにより、光は隣の間に漏れないようになっている。
【０２１３】
以上、本実施の形態によれば、データを入力する入力手段によりデータ入力される速度を示す情報が連続的に情報処理端末から光出力装置に伝わり、ぼんやりと光出力することにより、予め登録されたユーザ識別子を格納しているユーザ識別子送信装置を保持している情報処理端末を使用する人の仕事の状態が、光出力装置を持っている人にやわらかく伝えることができる。例えば、情報処理端末を使用する人が仕事をする夫であり、光出力装置を持っている人が妻である場合に、夫の仕事ぶりが何となく妻に伝わることにより、妻はおいしい料理を作って待っていよう、という気持ちになる。このように、仕事の様子をぼんやり伝えられることにより、特定の相手とのコミュニケーションがうまくいく。
【０２１４】
なお、本実施の形態において、入力速度の情報が連続的に伝わり、光出力したが、１つの入力速度情報の値に基づいて光出力しても良い。かかる場合、光出力装置において、外部情報記録部がない構成となる。
【０２１５】
また、本実施の形態において、光出力装置が受信した遠隔情報が有するユーザ識別子が、予め登録されたユーザ識別子である場合のみ、光出力装置は光出力した。しかし、光出力装置が受信した遠隔情報が有するユーザ識別子により、光出力装置は光出力の方法を変えても良い。光出力の方法は、他の実施の形態で説明したように、種々の方法がある。かかることは、他の実施の形態においても同様である。
【０２１６】
（実施の形態５）
図４１は、本実施の形態における情報処理システムのブロック図を示す。本情報処理システムは、ユーザ識別子送信装置１１、情報処理端末４１０２、中継装置１３、光出力装置１４を具備する。情報処理端末４１０２は、外部情報取得部４１０２１、送信元識別子格納部１２０３、第一遠隔情報送信部１２０４を有する。
【０２１７】
外部情報取得部４１０２１は、ＣＰＵ稼働率取得手段４１０２１１、および外部情報構成手段４１０２１２を有する。
【０２１８】
ＣＰＵ稼働率取得手段４１０２１１は、情報処理端末４１０２のＣＰＵの稼働率を取得する。ＣＰＵ稼働率は、通常、０（％）から１００（％）までの数字で表される。ＣＰＵ稼働率を取得する技術は、公知のオペレーティングシステム（ＯＳ）等が有する既存の技術であるので、ここでの詳細な説明は省略する。ＣＰＵ稼働率取得手段４１０２１１は、通常、ソフトウェアで実現され得るがハードウェアで実現しても良い。なお、情報処理端末４１０２はＣＰＵを有する電気機器を想定している。代表的な情報処理端末４１０２は、コンピュータである。
【０２１９】
外部情報構成手段４１０２１２は、ＣＰＵ稼働率取得手段４１０２１１が取得したＣＰＵ稼働率から外部情報を構成する。外部情報構成手段４１０２１２は、通常、ソフトウェアで実現され得るがハードウェアで実現しても良い。
【０２２０】
以下、本情報処理システムを構成する情報処理端末４１０２の動作を図４２のフローチャートを用いて説明する。
【０２２１】
（ステップＳ４２０１）外部情報の構成、送信の処理を開始するための開始信号を受け付けたか否かを、外部情報取得部４１０２１が判断する。開始信号を受け付ければステップＳ４２０２に行き、開始信号を受け付けていなければステップＳ４２１０に飛ぶ。開始信号とは、使用者が開始ボタンを押下することにより発生しても良いし、外部（例えば、光出力装置１４や中継装置１３や他の装置）から送信されてきても良い。
【０２２２】
（ステップＳ４２０２）ＣＰＵ稼働率取得手段４１０２１１は、情報処理端末４１０２のＣＰＵ稼働率を取得する。
【０２２３】
（ステップＳ４２０３）外部情報構成手段４１０２１２は、ステップＳ４２０２で取得したＣＰＵ稼働率から外部情報を構成する。
【０２２４】
（ステップＳ４２０４）第一遠隔情報送信部１２０４は、送信元識別子格納部１２０３から送信元識別子を取得する。
【０２２５】
（ステップＳ４２０５）第一遠隔情報送信部１２０４は、蓄積しているユーザ識別子を取得する。このユーザ識別子は、ステップＳ４２１０で受信したユーザ識別子である。
【０２２６】
（ステップＳ４２０６）第一遠隔情報送信部１２０４は、ステップＳ４２０３で構成した外部情報とステップＳ４２０５で取得したユーザ識別子を有する遠隔情報と、ステップＳ４２０４で取得した送信元識別子に基づいて、送信する情報を構成する。
【０２２７】
（ステップＳ４２０７）第一遠隔情報送信部１２０４は、中継装置１３を識別する情報である中継装置識別子を取得する。中継装置識別子は、図示しない手段により予め格納されている、とする。
【０２２８】
（ステップＳ４２０８）第一遠隔情報送信部１２０４は、ステップＳ４２０６で構成した情報を中継装置識別子で識別される中継装置に送信する。
【０２２９】
（ステップＳ４２０９）終了信号を受信したか否かを判断する。受信すれば終了し、受信しなければステップＳ４２０２に戻る。
【０２３０】
（ステップＳ４２１０）ユーザ識別子受信部１２０１は、ユーザ識別子送信装置１１からユーザ識別子を受信したか否かを判断する。ユーザ識別子を受信すればステップＳ４２１１に行き、ユーザ識別子を受信しなければステップＳ４２０１に戻る。
【０２３１】
（ステップＳ４２１１）第一遠隔情報送信部１２０４は、ステップＳ４２１０で受信したユーザ識別子を一時的に蓄積する。ステップＳ４２０１に戻る。
【０２３２】
中継装置１３、光出力装置１４の動作については、既に説明済みである。
【０２３３】
以上、本実施の形態によれば、特定の登録されたユーザ識別子で識別される使用者が情報処理端末を利用している場合、当該情報処理端末のＣＰＵ稼働率が光出力装置に伝わり、ぼんやりと光出力することにより、情報処理端末を使用する人の擬似的な仕事の状態が、光出力装置を持っている人にやわらかく伝えることができる。
【０２３４】
ＣＰＵ稼働率を取得するためのインターフェイスは、通常の情報処理装置（コンピュータ、ＯＳ）で公開されている。従って、実施の形態４で述べた、キーボード等の入力手段によりデータ入力する速度を取得するよりも簡易な構成で実現可能である。つまり、ＣＰＵ稼働率は擬似的な仕事の状態を示す情報であるが、簡易な構成で、情報処理端末を使用する人の仕事の状態が、光出力装置を持っている人にやわらかく伝えることができる。
【０２３５】
なお、本実施の形態において、一つのＣＰＵ稼働率の情報が光出力装置に伝わるごとに、光出力装置における光出力が変化する構成であったが、ＣＰＵ稼働率の情報が連続的に伝わり、その複数のＣＰＵ稼働率を示す情報（履歴情報）に基づいて光出力しても良い。かかる場合の構成や処理の詳細は、実施の形態４で述べた。つまり、遠隔情報記録部が必要である。
【０２３６】
（実施の形態６）
図４３は、本実施の形態における情報処理システムのブロック図を示す。本情報処理システムは、ユーザ識別子送信装置１１、情報処理端末４３０２、中継装置１５０３、光出力装置４３０４を具備する。
【０２３７】
情報処理端末４３０２は、ユーザ識別子受信部１２０１、外部情報取得部４３０２１、第一遠隔情報送信部１５０２３を有する。外部情報取得部４３０２１は、場所情報取得手段４３０２１１、および外部情報構成手段４３０２１２を具備する。
【０２３８】
光出力装置４３０４は、第三遠隔情報受信部１４０１、光出力部１４０２、地図情報格納部４３０２１、距離算出部４３０２２、および光出力制御部４３０２３を具備する。
【０２３９】
場所情報取得手段４３０２１１は、情報処理端末４３０２が存在する場所に関する情報である場所情報を取得する。場所情報取得手段４３０２１１は、例えば、場所情報が記憶されたＦＲＩＤタグからの無線信号を受信する手段で実現される。但し、場所情報取得手段４３０２１１は、場所情報を取得できれば、他の手段でも良い。他の手段とは、例えば、場所情報を取得するための無線通信手段が考えられる。
【０２４０】
外部情報構成手段４３０２１２は、場所情報取得手段４３０２１１が取得した場所情報から外部情報を構成する。外部情報構成手段４３０２１２は、通常、ソフトウェアで実現され得るがハードウェアで実現しても良い。
【０２４１】
地図情報格納部４３０４１は、地図に関する情報である地図情報を格納している。地図情報格納部４３０４１は、通常、ハードディスクや光ディスクなどの不揮発性の記録媒体により実現され得るが、揮発性の記録媒体を排除するものではない。
【０２４２】
距離算出部４３０４２は、第三遠隔情報受信部１４０１が受信した遠隔情報（場所情報を含む）と、地図情報格納部４３０４１に格納されている地図情報に基づいて、情報処理端末と光出力装置の距離を算出する。距離算出部４３０４２は、通常、ＭＰＵやメモリ等から実現され得る。距離算出部４３０４２が距離を算出するための処理手順は、通常、ソフトウェアで実現され、当該ソフトウェアはＲＯＭ等の記録媒体に記録されている。但し、ハードウェア（専用回路）で実現しても良い。
【０２４３】
光出力制御部４３０４３は、距離算出部４３０４２で算出した距離と、ユーザ識別子に基づいて光出力部１４０２の光出力を制御する。光出力制御部４３０４３は、通常、ＭＰＵやメモリ等から実現され得る。光出力制御部４３０４３の処理手順は、通常、ソフトウェアで実現され、当該ソフトウェアはＲＯＭ等の記録媒体に記録されている。但し、ハードウェア（専用回路）で実現しても良い。
【０２４４】
以下、本情報処理システムの動作について説明する。まず。情報処理端末４３０２の動作について図４４のフローチャートを用いて説明する。
【０２４５】
（ステップＳ４４０１）場所情報取得手段４３０２１１が場所情報を含む信号を受け付けたか否かを判断する。信号を受け付ければステップＳ４４０２に行き、信号を受け付けなければステップＳ４４０８に飛ぶ。
【０２４６】
（ステップＳ４４０２）場所情報取得手段４３０２１１は、ステップＳ４４０１で受け付けた信号中から場所情報を取り出す。
【０２４７】
（ステップＳ４４０３）外部情報構成手段４３０２１２は、ステップＳ４４０２で取得した場所情報から外部情報を構成する。
【０２４８】
（ステップＳ４４０４）第一遠隔情報送信部１５０２３は、ステップＳ４４０９で一時的に蓄積したユーザ識別子を取得する。
【０２４９】
（ステップＳ４４０５）第一遠隔情報送信部１５０２３は、中継装置を識別する情報である中継装置識別子を取得する。中継装置識別子は、図示しない手段により予め格納されている、とする。
【０２５０】
（ステップＳ４４０６）第一遠隔情報送信部１５０２３は、ステップＳ４４０４で取得したユーザ識別子と、ステップＳ４４０３で構成した外部情報を有する遠隔情報を、中継装置識別子で識別される中継装置に送信する。
【０２５１】
（ステップＳ４４０７）終了信号を受信したか否かを判断する。受信すれば終了し、受信しなければステップＳ４４０１に戻る。
【０２５２】
（ステップＳ４４０８）ユーザ識別子受信部１２０１は、ユーザ識別子送信装置１１からユーザ識別子を受信したか否かを判断する。ユーザ識別子を受信すればステップＳ４４０９に行き、ユーザ識別子を受信しなければステップＳ４４０７に行く。
【０２５３】
（ステップＳ４４０９）ユーザ識別子受信部１２０１は、ユーザ識別子を一時的に蓄積する。ステップＳ４４０７に行く。
【０２５４】
なお、図４４のフローチャートによれば、外部情報の取得は、何らのトリガーもなく行われたが、情報処理端末４３０２の使用者が開始ボタンを押下するなどのトリガーをかけてから、動作が開始されても良い。また、光出力装置４３０４や中継装置１５０３や他の装置からトリガーをかける信号を受信した場合に、ステップＳ４４０１の外部情報の取得動作を開始しても良い。
【０２５５】
次に、光出力装置４３０４の動作について、図４５のフローチャートを用いて説明する。
【０２５６】
（ステップＳ４５０１）第三遠隔情報受信部１４０１が遠隔情報を受信したか否かを判断する。遠隔情報を受信すればステップＳ４５０２に行き、受信しなければステップＳ４５０１に戻る。
【０２５７】
（ステップＳ４５０２）距離算出部３８０３２は、地図情報格納部３８０３１に格納されている地図情報を読み出す。
【０２５８】
（ステップＳ４５０３）距離算出部３８０３２は、ステップＳ４５０２で読み出した地図情報とステップＳ４５０１で受信した外部情報（場所情報）に基づいて、情報処理端末４３０２と光出力装置４３０４の距離を算出する。
【０２５９】
（ステップＳ４５０４）光出力制御部４３０４３は、ステップＳ４５０３で算出した距離と、ユーザ識別子に基づいて、光制御のためのパラメータである制御パラメータを決定する。なお、ユーザ識別子は、ステップＳ４５０１で受信した遠隔情報に含まれる。
【０２６０】
（ステップＳ４５０５）光出力部１４０２は、ステップＳ４５０２で決定された制御パラメータに従って、光を出力する。
【０２６１】
（ステップＳ４５０６）光出力制御部４３０４３は、外部から終了信号を受信したか否かを判断する。終了信号を受信しなければステップＳ４５０１に戻り、終了信号を受信すれば終了する。つまり、終了信号の受信により、光出力が中止され、光が消える。
【０２６２】
なお、図４５のフローチャートでは、光出力装置４３０４は、遠隔情報の受信を待っていたが、光出力装置４３０４から直接的または間接的に情報処理端末４３０２や中継装置１５０３に遠隔情報の送信を促しても良い。
【０２６３】
以下、本実施の形態における情報処理システムの具体的な動作等を説明する。
【０２６４】
今、情報処理端末４１０２が無線タグの情報を受信できる携帯電話であるとする。また、携帯電話は、非接触のＩＣカードリーダを具備している。また、携帯電話のユーザは、ユーザ識別子が格納されている非接触ＩＣカード（ユーザ識別子送信装置１１）を首からぶら下げている、とする。そして、ＡＢＣ電鉄のＸ路線を走る電車が駅に停車すると、電車内のＩＲモジュールに停車駅を識別する情報である駅識別子がホームに設置された情報処理装置４６０１から電車に送信される。そして、電車内の無線タグの情報を携帯電話が読み取る（図４６参照）。図４６は、ホームに設置された情報処理装置４６０１から電車に向かって駅識別子が送信され、電車内の携帯電話が当該駅識別子を取得する。そして、携帯電話は、ＩＣカードから受信したユーザ識別子と駅識別子を有する遠隔情報を構成する。次に、携帯電話は、当該遠隔情報を中継装置に送信する。ここで、駅識別子は外部情報であり、例えば「Ａ駅」という情報である。
【０２６５】
次に、中継装置は、遠隔情報を受信し、遠隔情報が有するユーザ識別子に基づいて、遠隔情報を送信する光出力装置を決定する。そして、中継装置は、当該光出力装置に遠隔情報を送信する。
【０２６６】
次に、光出力装置は、遠隔情報を受信し、遠隔情報に対応する光出力を行う。具体的には、光出力装置は、以下のような動作を行う。
【０２６７】
光出力装置は、図４７に示すような「ＡＢＣ電鉄のＸ路線の距離管理表」を地図情報格納部に格納している。距離管理表は、「駅識別子」と「最初の駅識別子からの距離」を有する情報が複数格納されている。そして、地図情報格納部には、別途、光出力装置が存在する場所の最寄駅が格納されている。今、最寄駅は、「Ｄ駅」の駅識別子が格納されているとする。
【０２６８】
かかる場合、光出力装置は、受信した遠隔情報が有するユーザ識別子が、管理しているユーザ識別子に含まれるか否かを判断する。そして、管理しているユーザ識別子に含まれる場合に次のステップに移る。
【０２６９】
また、遠隔情報に含まれる場所情報として「Ａ駅」が情報処理端末から中継装置を経由して光出力装置に送信されてきたとする。次に、距離算出部は、遠隔情報に含まれる「Ａ駅」と最寄駅の「Ｄ駅」の距離を距離管理表から算出する。本例の場合は、「８．４ｋｍ−０ｋｍ＝８．４ｋｍ」を算出する。
【０２７０】
次に、光出力制御部は、上記算出した距離とユーザ識別子に基づいて光制御のパラメータを決定する。今、光出力部は、光の強さ（強度）の具合により、ぼんやりと情報処理端末の使用者の状態を表現するものとすると、光出力制御部は、光の強さをパラメータとして決定する。今、光出力制御部が決定する「光の強さ＝ｎ／算出した距離」とする。つまり、光出力部は、距離が近づくほど強い光を発生することとなる。また、ユーザ識別子により、光を点滅させたり、点灯させたり、回転させたりする。
【０２７１】
以上より、情報処理端末を保持する人が光出力装置に近づいている、または遠ざかっていることが光出力装置の前にいる人に伝わる。また、情報処理端末を保持する人により、光の出力方法を変えることにより、誰が近づいている、または遠ざかっているかが容易に判断できる。
【０２７２】
以上、本実施の形態によれば、情報処理端末から光出力装置に場所情報を送ることにより、特定のユーザが光出力装置に近づく様子が視覚的に光でやわらかく出力できる。
【０２７３】
なお、本実施の形態において、光出力部１４０２が有する光出力出段は１つであったが、２以上でも良い。２以上の場合の制御方法については、上述した実施の形態で詳細に述べた。
【０２７４】
また、本実施の形態において、場所情報から距離の情報を算出する処理を光出力装置で行った。しかし、場所情報から距離の情報を算出する処理を情報処理装置や中継装置で行っても良い。かかる場合、地図情報格納部と距離算出部は、各々情報処理装置や中継装置に存在する。そして、中継装置等における距離算出部の算出結果（距離情報）を外部情報として光出力装置が受信し、当該外部情報に基づいて光出力装置が光を出力する。
【０２７５】
さらに、光出力装置が情報処理端末から複数の場所情報を受信することにより、情報処理端末が光出力装置に近づいているか遠ざかっているかがわかる。この「近づいているか」または「遠ざかっているか」を識別し、光出力制御に利用しても良い。つまり、近づいているときは「暖色系」で光出力し、遠ざかっているときは「寒色系」で光出力する、などが考えられる。そして、近づいて、距離が非常に近くなったときに、「真赤」の光出力をし、遠ざかって、非常に距離が遠くなったときに、「深い青」の光出力をする。
【０２７６】
（実施の形態７）
図４８は、本実施の形態における情報処理システムのブロック図を示す。本情報処理システムは、ユーザ識別子送信装置１１、情報処理端末４８０２、中継装置１５０３、光出力装置１４を具備する。
【０２７７】
情報処理端末４８０２は、ユーザ識別子受信部１２０１、外部情報取得部４８０２１、第一遠隔情報送信部１５０２３を有する。
【０２７８】
外部情報取得部４８０２１は、心拍数情報取得手段４８０２１１、体温情報取得手段４８０２１２、血糖値情報取得手段４８０２１３、血圧情報取得手段４８０２１４、健康状態情報取得手段４８０２１５、および外部情報構成手段４８０２１６を有する。
【０２７９】
心拍数情報取得手段４８０２１１は、心拍数に関する情報である心拍数情報を取得する。体温情報取得手段４８０２１２は、体温に関する情報である体温情報を取得する。血糖値情報取得手段４８０２１３は、血糖値に関する情報である血糖値情報を取得する。血圧情報取得手段４８０２１４は、血圧に関する情報である血圧情報を取得する。以上の拍数情報、体温情報、血糖値情報および血圧情報を取得する装置は、例えば、松下電器産業（株）のから発売されている電子健康チェッカーにより実現可能であり、上記情報を取得する技術は公知技術である。従って、拍数情報、体温情報、血糖値情報および血圧情報を取得する技術については、説明を省略する。また、拍数情報、体温情報、血糖値情報および血圧情報のデータ構造や内容を問わない。各情報は、程度を示す情報（例えば、三段階）でも良い。
【０２８０】
健康状態情報取得手段４８０２１５は、心拍数情報取得手段４８０２１１、体温情報取得手段４８０２１２、血糖値取得手段４８０２１３、血圧情報取得手段４８０２１４等が取得した情報の全部または一部に基づいて、健康状態を総合的に表す情報である健康状態情報を生成する。健康状態のデータ構造や内容を問わない。情報健康状態情報取得手段４８０２１５は、通常、ＭＰＵやメモリ等から実現され得る。健康状態情報取得手段４８０２１５が情報を生成するための処理手順は、通常、ソフトウェアで実現され、当該ソフトウェアはＲＯＭ等の記録媒体に記録されている。但し、ハードウェア（専用回路）で実現しても良い。
【０２８１】
外部情報構成手段４８０２１６は、心拍数情報取得手段４８０２１１、体温情報取得手段４８０２１２、血糖値取得手段４８０２１３、血圧情報取得手段４８０２１４、健康状態情報取得手段４８０２１５が取得した情報の全部または一部に基づいて、中継装置１５０３に送信する外部情報を構成する。外部情報構成手段４８０２１６は、通常、ＭＰＵやメモリ等から実現され得る。外部情報構成手段４８０２１６が外部情報を構成するための処理手順は、通常、ソフトウェアで実現され、当該ソフトウェアはＲＯＭ等の記録媒体に記録されている。但し、ハードウェア（専用回路）で実現しても良い。
【０２８２】
以下、情報処理端末４８０２の動作について図４９のフローチャートを用いて説明する。
【０２８３】
（ステップＳ４９０１）外部情報取得部４８０２１は、外部情報の取得指示の入力があったか否かを判断する。指示入力があればステップＳ４９０２に行き、指示入力がなければステップＳ４９０１に戻る。
【０２８４】
（ステップＳ４９０２）ユーザ識別子受信部１２０１は、ユーザ識別子送信装置１１から、ユーザ識別子を受信したか否かを判断する。ユーザ識別子を受信すればステップＳ４９０３に行き、ユーザ識別子を受信しなければステップＳ４９０２に戻る。
【０２８５】
（ステップＳ４９０３）心拍数情報取得手段４８０２１１は、心拍数情報を取得する。
【０２８６】
（ステップＳ４９０４）体温情報取得手段４８０２１２は、体温情報を取得する。
【０２８７】
（ステップＳ４９０５）血糖値情報取得手段４８０２１３は、血糖値情報を取得する。
【０２８８】
（ステップＳ４９０６）血圧情報取得手段４８０２１４は、血圧情報を取得する。
【０２８９】
（ステップＳ４９０７）健康状態情報取得手段４８０２１５は、ステップＳ４９０３からステップＳ４９０４で取得した情報に基づいて健康状態情報を生成する。
【０２９０】
（ステップＳ４９０８）外部情報構成手段４８０２１６は、ステップＳ４９０２からステップＳ４９０６で取得した情報に基づいて外部情報を構成する。
【０２９１】
（ステップＳ４９０９）第一遠隔情報送信部１５０２３は、外部情報とユーザ識別子から遠隔情報を構成する。
【０２９２】
（ステップＳ４９１０）第一遠隔情報送信部１５０２３は、中継装置を識別する情報である中継装置識別子を取得する。中継装置識別子は、図示しない手段により予め格納されている、とする。
【０２９３】
（ステップＳ４９１１）第一遠隔情報送信部１５０２３は、遠隔情報を中継装置識別子で識別される中継装置に送信する。
【０２９４】
なお、図４９のフローチャートによれば、外部情報の取得は、使用者の外部情報取得指示の入力に基づいて行われたが、何のトリガーもなく行われても良い。かかる場合、例えば、情報処理端末を病院に設置し、入院している人の状態が定期的に光出力装置に出力される、ことが考えられる。
【０２９５】
中継装置１５０３、光出力装置１４の動作については、既に述べたので説明を省略する。
【０２９６】
以下、本情報処理システムの具体的な動作について説明する。本情報処理システムは、図５０に示すように、ユーザ識別子送信装置（指輪）、情報処理端末（電子健康チェッカー）、中継装置、光出力装置を有し、それぞれ通信手段または放送手段により、情報の送受信が可能である。指輪には、例えば、ユーザ識別子「５４３２１」が格納されている無線タグが貼付されている。
【０２９７】
また、電子健康チェッカーは、無線タグリーダーを具備し、指輪からユーザ識別子「５４３２１」を取得する。そして、電子健康チェッカーは上述したように、心拍数情報、体温情報、血糖値情報、血圧情報を取得できる。そして、健康状態情報取得手段には、図５１に示すような、心拍数等の値の範囲に対する点数が入っているとする。そして、健康状態情報取得手段は、前ステップで取得した心拍数情報、体温情報、血糖値情報、血圧情報の値に対応する点数を合計した値を健康状態情報とする。今、心拍数情報が「７８」、体温情報が「３６．５」、血糖値情報が「８０」、血圧情報が「上：１３３、下：７０」であった場合は、心拍数情報に対する点数は「１０」、体温情報に対する点数は「２５」、血糖値情報に対する点数は「２５」、血圧情報に対する点数は「２５」となり、合計「８５」となる。この合計「８５」が健康状態情報である。この数値は、１００点満点のうちのどれぐらい体全体として健康であるかを示す値である。なお、各情報（心拍数情報など）に対する点数は他の算出方法でも良いし、健康状態情報の算出方法も各種考えられ、特に限定しない。
【０２９８】
そして、外部情報構成手段は、心拍数情報、体温情報、血糖値情報、血圧情報、および健康状態情報のうちから全部、または一部に基づいて外部情報を構成する。構成した外部情報の例を図５２に示す。なお、図５２は、外部情報をタグ付きの情報で表したが、外部情報のデータ形式、データ構造は問わない。
【０２９９】
次に、電子健康チェッカーは、ユーザ識別子「５４３２１」と図５２の外部情報を中継装置に送信する。
【０３００】
そして、中継装置は、ユーザ識別子「５４３２１」と図５２の外部情報を有する遠隔情報を受信する。次に、中継装置は、ユーザ識別子「５４３２１」から、遠隔情報を送信する光出力装置を決定する。かかる決定のアルゴリズムは、上述した通りである。
【０３０１】
次に、上記の光出力装置がユーザ識別子「５４３２１」と図５２の外部情報を有する遠隔情報を受信する。そして、まず、光出力装置はユーザ識別子「５４３２１」が管理されているユーザ識別子であるか否かを判断する。管理されているユーザ識別子であれば、光出力装置は、受信した遠隔情報の全部または一部の情報に基づいて、光出力する。この光出力の態様は、上記の実施の形態で述べた５種類の形態が考えられる。但し、やわらかく光で状態を知らせる態様であれば、他の態様でも良いのは言うまでもない。なお、この場合、通常、ユーザ識別子によって、光出力装置の光の発生の仕方が異なる。例えば、ユーザ識別子が「５４３２１」である場合、光出力装置は赤い色の発光をする。また、例えば、ユーザ識別子が「２２３３４」である場合、光出力装置は青い色の発光をする。さらに、外部情報の値によって、光の強さが異なるなどの光出力制御が行われることが好適である。
【０３０２】
以上、本実施の形態によれば、体の健康状態に関する情報が情報処理端末から光出力装置に伝わり、特定の送信者の健康に関する情報がやわらかく受信者に伝わる通信システムを提供できる。
【０３０３】
本実施の形態の具体的な使用例を説明する。例えば、情報処理端末は年老いた母親が持っている。そして、光出力装置は親孝行な子供が持っている。そして、母親が１日に何度か血圧等を測定し、健康状態が子供に送信され、子供はやわらかい光出力で、それとなく母親の健康状態を知ることができる。
【０３０４】
また、情報処理端末と光出力装置は、恋人同士がそれぞれ持っている。かかる場合、恋人の一方が、情報処理装置を握り、その体温が光出力装置に伝わる。そして、恋人の体温が光として出力され、気持ちが恋人に伝わることとなる。
【０３０５】
なお、本実施の形態において、情報処理端末の形状は、図５０によれば既存の電子健康チェッカーの形状であるが、キューブ形（立方体）等、形状は問わない。キューブ形であれば、握ることが可能で、握ったことにより、「心拍数情報」「体温情報」等が伝われば、さらに利用価値が高い。つまり、キューブ形の情報処理端末をぎゅっと握ると、握った人の心の高ぶり（心拍数情報）やその人の暖かさ（体温情報）が光出力装置に伝わり、光としてやわらかく出力される。
【０３０６】
また、本実施の形態において、光出力装置１４が有する光出力出段は１つであったが、２以上でも良い。２以上の光出力出段があれば、「心拍数情報」「体温情報」「健康状態情報」等の複数の情報が光として出力され得る。
【０３０７】
さらに、本実施の形態において、心拍数情報、体温情報、血糖値情報、血圧情報、健康状態情報を送受信したが、そのうち１つ以上の情報を送受信すれば良い。また、他に体脂肪率などの人体や動物等に関して測定可能な情報を送受信しても良い。
【０３０８】
（実施の形態８）
図５３は、本実施の形態における情報処理システムのブロック図を示す。本情報処理システムは、ユーザ識別子送信装置１１、情報処理端末５３０２、中継装置１３、光出力装置１４を具備する。
【０３０９】
情報処理端末５３０２は、ユーザ識別子受信部１２０１、外部情報取得部５３０２１、送信元識別子格納部１２０３、第一遠隔情報送信部１２０４を有する。
【０３１０】
外部情報取得部５３０２１は、ＰＨ値取得手段５３０２１１、および外部情報構成手段５３０２１２を有する。
【０３１１】
ＰＨ値取得手段５３０２１１は、情報処理端末５３０２のＰＨ値を測定する。ＰＨ値取得手段５３０２１１は、既存技術により構成され得るので、詳細は説明しない。
【０３１２】
外部情報構成手段５３０２１２は、ＰＨ値取得手段５３０２１１が計測したＰＨ値に基づいて外部情報を構成する。
【０３１３】
以下、情報処理端末５３０２の動作について図５３のフローチャートを用いて説明する。
【０３１４】
（ステップＳ５４０１）ＰＨ値取得手段５３０２１１は、情報処理端末５３０２のＰＨ値を取得する。
【０３１５】
（ステップＳ５４０２）外部情報構成手段５３０２１２に予め格納されているＰＨ値（ここでは、便宜上「通常のＰＨ値」とも言う。）を読み出す。
【０３１６】
（ステップＳ５４０３）ステップＳ５４０１で取得したＰＨ値と、ステップＳ５４０２で読み出したＰＨ値の差が一定以上であるか否かを判断する。一定以上であれば、ステップＳ５４０４に行き、一定以上であければステップＳ５４０１に戻る。
【０３１７】
（ステップＳ５４０４）ユーザ識別子受信部１２０１は、ユーザ識別子送信装置１１からユーザ識別子を受信したか否かを判断する。ユーザ識別子を受信すればステップＳ５４０５に行き、ユーザ識別子を受信しなければステップＳ５４０４に戻る。
【０３１８】
（ステップＳ５４０５）外部情報構成手段５３０２１２は、ステップＳ５４０１で取得したＰＨ値に基づいて外部情報を構成する。
【０３１９】
（ステップＳ５４０６）第一遠隔情報送信部１２０４は、送信元識別子格納部１２０３から送信元識別子を取得する。
【０３２０】
（ステップＳ５４０７）第一遠隔情報送信部１２０４は、中継装置を識別する情報である中継装置識別子を取得する。中継装置識別子は、図示しない手段により予め格納されている、とする。
【０３２１】
（ステップＳ５４０８）第一遠隔情報送信部１２０４は、ステップＳ５４０４で受信したユーザ識別子と、ステップＳ５４０５で構成した外部情報から遠隔情報を構成する。
【０３２２】
（ステップＳ５４０９）第一遠隔情報送信部１２０４は、遠隔情報と送信元識別子を中継装置識別子で識別される中継装置に送信する。
【０３２３】
（ステップＳ５４１０）終了信号を受信したか否かを判断する。受信すれば終了し、受信しなければステップＳ５４０９に行く。
【０３２４】
（ステップＳ５４１１）一定時間待つ（ＷＡＩＴする）。ステップＳ５４０１に戻る。
【０３２５】
なお、図５４のフローチャートによれば、ＰＨ値の取得は、何らのトリガーもなく行われたが、情報処理端末５３０２の使用者が開始ボタンを押下するなどのトリガーをかけてから、動作が開始されても良い。また、光出力装置１４や中継装置１３や他の装置からトリガーをかける信号を受信した場合に、ステップＳ５４０１のＰＨ値の取得動作を開始しても良い。
【０３２６】
また、図５４のフローチャートによれば、取得したＰＨ値が通常のＰＨ値と比較して一定以上の差がある場合に、ＰＨ値を中継装置経由で光出力装置に送信したが、取得したＰＨ値を無条件で光出力装置に送信しても良い。
【０３２７】
以下、本実施の形態における情報処理システムの具体的な動作等を説明する。本情報処理システムの情報処理端末は、上述のようにＰＨ値を測定できる構成になっている。そして、この情報処理端末を舐めた場合には、通常、ＰＨ値が大きく変化する、と考えられる。そして、特定のユーザが情報処理端末を舐めた場合に、この舐めた行為（情報）が光出力装置に伝わり、光として表現される。そして、舐めた時にＰＨ値が光でやわらかく出力される。
【０３２８】
以上、本実施の形態によれば、ユーザ識別子送信装置を保持している特定のユーザが情報処理端末の近くにおり、当該情報処理端末から光出力装置にユーザ識別子とＰＨ値を含む遠隔情報を送ることにより、情報処理端末のユーザが情報処理端末を舐めたこと、およびその際のＰＨ値が光出力装置に視覚的に光でやわらかく出力される。これを特定の相手間で行えば、舐めるという愛情表現がやわらかく光により伝わる。
【０３２９】
また、ユーザ識別子送信装置を保持しているペットに情報処理端末を用いれば、ペットが情報処理端末を舐めた際のＰＨ値が光出力装置に伝わり、やわらかく光で表現される。つまり、ペットの健康状態をそれとなく知ることができる。
【０３３０】
さらに、ユーザ識別子送信装置を保持している赤ん坊に情報処理端末を用いれば、赤ん坊の情報処理端末を舐めるかわいい行為が、遠隔地の祖父母や、場合によっては遠隔地にいる両親に、やわらかく光で伝わり、祖父母等に微笑ましさと安心を与えることができる。
【０３３１】
なお、本実施の形態において、ＰＨ値で光の強さや色などを変化させても良い。また、上述したように、光出力装置は、ユーザ識別子によって基づいて光の強さや色や光り方（点灯、点滅など）などを変化させても良い。
【０３３２】
（実施の形態９）
図５５は、本実施の形態における情報処理システムのブロック図を示す。本情報処理システムは、ユーザ識別子送信装置１１、情報処理端末５５０２、中継装置１３、光出力装置１４を具備する。
【０３３３】
情報処理端末５５０２は、ユーザ識別子受信部１２０１、外部情報取得部５５０２１、送信元識別子格納部１２０３、第一遠隔情報送信部１２０４を有する。外部情報取得部５５０２１は、角度情報取得手段５５０２１１、および外部情報構成手段５５０２１２を有する。
【０３３４】
角度情報取得手段５５０２１１は、情報処理端末５５０２の角度に関する情報である角度情報を取得する。なお、角度情報とは、例えば、角度（傾き）の変化量である。また、角度情報とは、角速度でも良い。また、角度情報とは、角度変化ではなく、角度の情報でも良い。角度情報取得手段５５０２１１は、例えば、ジャイロにより実現され得る。角度情報取得手段５５０２１１は、傾斜計でも良い。ジャイロと傾斜計は従来技術であるので、ここでの詳細な説明は省略する。なお、角度情報取得手段５５０２１１に用いるジャイロは、機械式ジャイロでも、光ファイバ・ジャイロでも良い。
【０３３５】
外部情報構成手段５５０２１２は、角度情報取得手段５５０２１１が計測した角度情報に基づいて外部情報を構成する。
【０３３６】
以下、情報処理端末５５０２の動作について図５６のフローチャートを用いて説明する。
【０３３７】
（ステップＳ５６０１）角度情報取得手段５５０２１１は、角度変化を検出したか否かを判断する。角度変化を検出すればステップＳ５６０２に行き、検出しなければステップＳ５６０１に戻る。
【０３３８】
（ステップＳ５６０２）ユーザ識別子受信部１２０１は、ユーザ識別子送信装置１１からユーザ識別子を受信したか否かを判断する。ユーザ識別子を受信すればステップＳ５６０３に行き、ユーザ識別子を受信しなければステップＳ５６０２に戻る。
【０３３９】
（ステップＳ５６０３）角度情報取得手段５５０２１１は、角度情報を取得する。
【０３４０】
（ステップＳ５６０４）外部情報構成手段５５０２１２は、ステップＳ５６０３で取得した角度情報に基づいて外部情報を構成する。
【０３４１】
（ステップＳ５６０５）第一遠隔情報送信部１２０４は、送信元識別子格納部１２０３から送信元識別子を取得する。
【０３４２】
（ステップＳ５６０６）第一遠隔情報送信部１２０４は、中継装置を識別する情報である中継装置識別子を取得する。中継装置識別子は、図示しない手段により予め格納されている、とする。
【０３４３】
（ステップＳ５６０７）第一遠隔情報送信部１２０４は、ステップＳ５６０２で受信したユーザ識別子とステップＳ５６０４で構成した外部情報とを有する遠隔情報と、送信元識別子を中継装置識別子で識別される中継装置に送信する。
【０３４４】
（ステップＳ５６０８）終了信号を受信したか否かを判断する。受信すれば終了し、受信しなければステップＳ５６０１に戻る。
【０３４５】
なお、図５６のフローチャートによれば、角度変化の検出をトリガーに角度情報を取得したが、何らのトリガーもなく角度情報を取得して光出力装置に送信しても良い。また、光出力装置１４や中継装置１３や他の装置からトリガーをかける信号を受信した場合に、角度情報を取得して光出力装置に送信しても良い。
【０３４６】
以下、本実施の形態における情報処理システムの具体的な動作等を説明する。本情報処理システムのユーザ識別子送信装置は、指輪である。指輪には無線タグが添付されている。また、本情報処理システムの情報処理端末は、キューブ形（立方体）の形状を有している。そして、情報処理端末は、無線タグリーダーを具備しており、指輪からユーザ識別子を受信する。かかる場合、情報処理端末の使用者が、キューブを持って振ったとする（図５７参照）。かかる場合、情報処理端末から中継装置を経由して、ユーザ識別子と外部情報（角度情報から構成されている）を有する遠隔情報が、光出力装置に送信される。
【０３４７】
光出力装置は、遠隔情報を受信し、ユーザ識別子と外部情報に基づいて光出力制御を行う。具体的には、光出力装置は、ユーザ識別子と角度情報から種々の光り方をする。
【０３４８】
以上、本実施の形態によれば、情報処理端末を振った場合に、その動作の度合いが光出力装置に送信され、振ったユーザと振る動作の激しさがやわらかく光で出力される。つまり、例えば、ユーザ識別子を格納している無線タグ付きの指輪をした恋人の一方が情報処理端末を保持し、他方が光出力装置を保持しているとする。かかる場合、情報処理端末を振ることで、他方の恋人に会いたい気持ちを伝える、という使い方がある。そして、光出力装置を保持している他方の恋人は、一方の恋人が自分に会いたがっていることをやわらかく知ることができる。
【０３４９】
なお、本実施の形態において、角度情報取得手段は、主として角度変化に関する情報を取得したが、角度の情報を取得して、中継装置等で角度変化を算出しても良い。つまり、情報処理装置は、簡易な構成で角度を取得し、その角度情報を中継装置に送信する。中継装置は複数の角度情報（時系列の情報）に基づいて角度変化量等を算出して、情報処理装置が振られていることを示す情報を算出し、光出力装置に送信する。そして、光出力装置は当該情報に基づいて光出力しても良い。かかる構成によると、情報処理端末が簡易な構成になる。
【０３５０】
（実施の形態１０）
図５８は、本実施の形態における情報処理システムのブロック図を示す。本情報処理システムは、ユーザ識別子送信装置１１、情報処理端末５８０２、中継装置１３、光出力装置１４を具備する。
【０３５１】
情報処理端末５８０２は、外部情報取得部５８０２１、送信元識別子格納部１２０３、第一遠隔情報送信部１２０４を有する。
【０３５２】
外部情報取得部５８０２１は、回転情報取得手段５８０２１１、および外部情報構成手段５８０２１２を有する。
【０３５３】
回転情報取得手段５８０２１１は、例えば、情報処理端末５８０２に設置された風車等の回転に関する情報である回転情報を取得する。回転情報とは、回転速度や回転数などが含まれる。なお、回転速度や回転数を検知する技術は公知技術であるので、ここでの詳細な説明は省略する。
【０３５４】
外部情報構成手段５８０２１２は、回転情報取得手段５８０２１１が検出した回転情報に基づいて外部情報を構成する。外部情報構成手段５８０２１２は、通常、ＭＰＵやメモリ等から実現され得る。外部情報構成手段５８０２１２が情報を構成するための処理手順は、通常、ソフトウェアで実現され、当該ソフトウェアはＲＯＭ等の記録媒体に記録されている。但し、ハードウェア（専用回路）で実現しても良い。
【０３５５】
以下、情報処理端末５８０２の動作について図５９のフローチャートを用いて説明する。
【０３５６】
（ステップＳ５９０１）回転情報取得手段５８０２１１は、回転を検出したか否かを判断する。回転を検出すればステップＳ５９０２に行き、検出しなければステップＳ５９０１に戻る。
【０３５７】
（ステップＳ５９０２）ユーザ識別子受信部１２０１は、ユーザ識別子送信装置１１からユーザ識別子を受信したか否かを判断する。ユーザ識別子を受信すればステップＳ５９０３に行き、ユーザ識別子を受信しなければステップＳ５９０２に戻る。
【０３５８】
（ステップＳ５９０３）回転情報取得手段５８０２１１は、回転情報を取得する。
【０３５９】
（ステップＳ５９０４）外部情報構成手段５８０２１２は、ステップＳ５９０３で取得した回転情報に基づいて外部情報を構成する。
【０３６０】
（ステップＳ５９０５）第一遠隔情報送信部１５０２３は、送信元識別子格納部１２０３から送信元識別子を取得する。
【０３６１】
（ステップＳ５９０６）第一遠隔情報送信部１５０２３は、中継装置を識別する情報である中継装置識別子を取得する。中継装置識別子は、図示しない手段により予め格納されている、とする。
【０３６２】
（ステップＳ５９０７）第一遠隔情報送信部１５０２３は、ステップＳ５９０２で受信したユーザ識別子とステップＳ５９０４で構成した外部情報を有する遠隔情報と、ステップＳ５９０５で取得した送信元識別子を中継装置識別子で識別される中継装置に送信する。
【０３６３】
（ステップＳ５９０８）終了信号を受信したか否かを判断する。受信すれば終了し、受信しなければステップＳ５９０１に戻る。
【０３６４】
なお、図５９のフローチャートによれば、回転の検出をトリガーに回転情報を取得したが、何らのトリガーもなく回転情報（０の値である場合も含めて）を取得して光出力装置に送信しても良い。また、光出力装置１４や中継装置１３や他の装置からトリガーをかける信号を受信した場合に、回転情報を取得して光出力装置に送信しても良い。
【０３６５】
以下、本実施の形態における情報処理システムの具体的な動作等を説明する。本情報処理システムのユーザ識別子送信装置は、携帯電話であり、ユーザ識別子を常時外部に送信している。そして、本情報処理システムの情報処理端末は、例えば図５５に示すように、キューブ形（立方体）の形状であり、携帯電話からユーザ識別子を受信できる。また情報処理端末は、風車が電気的に接続されている。そして、風車が風を受けて回転する時に回転速度を検出する仕組みが、情報処理端末に設置されている、とする。そして、回転速度に関する情報である回転情報とユーザ識別子を有する遠隔情報が情報処理端末から光出力装置に送信される。次に、光出力装置は、遠隔情報を受信し、遠隔情報に基づいて光出力を行う。具体的には、受信した遠隔情報が有するユーザ識別子が管理しているユーザ識別子である場合、ユーザ識別子と外部情報に基づいて光を出力する。それにより、特定の人が情報処理端末の近くに居る場合に、情報処理端末の回転速度をやわらかく光で出力する。
【０３６６】
以上、本実施の形態によれば、特定の人が近くにいる情報処理端末が風を受けた場合に、風車が回転し、その回転速度がやわらかく光出力装置に伝わる。例えば、特定の人が情報処理端末を持っており、外でかつ高度の高いところで作業する人の場合、それを心配する人が光出力装置を持っており、回転情報が光の強さや点滅度合い等の変化で伝わる。そのことにより、光出力装置を持っている人は、風の強いところで作業をしている相手の様子を何となく想像することができる。
【０３６７】
また、例えば、お付き合いをしている彼女が情報処理端末を持っており、彼が光出力装置を持っている、とする。彼女は、彼に会いたい気持ちを情報処理端末の風車に息を吹きかけて伝える。そして、彼女が風車に息を吹きかけた場合、光出力装置は、上述した光出力制御により光り、彼に彼女の会いたがっている気持ちがそれとなく、やわらかく伝わる。
【０３６８】
また、光出力装置は、上述の実施の形態において説明したように、通常、ユーザ識別子により異なる光出力をする。
【０３６９】
（実施の形態１１）
図６１は、本実施の形態における情報処理システムのブロック図を示す。本情報処理システムは、ユーザ識別子送信装置１１、情報処理端末６１０２、中継装置１３、光出力装置１４を具備する。
【０３７０】
情報処理端末６１０２は、ユーザ識別子受信部１２０１、外部情報取得部６１０２１、送信元識別子格納部１２０３、第一遠隔情報送信部１２０４を有する。外部情報取得部６１０２１は、脳波情報取得手段６１０２１１、および外部情報構成手段５３０１１２を有する。
【０３７１】
脳波情報取得手段６１０２１１は、脳波を測定し、脳波情報を得る。脳波を測定する技術は公知技術であるので、ここでの詳細な説明は省略する。
【０３７２】
外部情報構成手段６１０２１２は、脳波情報取得手段６１０２１１が取得した脳波情報に基づいて外部情報を構成する。外部情報構成手段６１０２１２は、通常、ＭＰＵやメモリ等から実現され得る。外部情報構成手段６１０２１２の処理手順は、通常、ソフトウェアで実現され、当該ソフトウェアはＲＯＭ等の記録媒体に記録されている。但し、ハードウェア（専用回路）で実現しても良い。
【０３７３】
以下、情報処理端末６１０２の動作について図６２のフローチャートを用いて説明する。
【０３７４】
（ステップＳ６２０１）脳波情報取得手段６１０２１１は、脳波測定開始の指示があったか否かを判断する。指示があればステップＳ６２０２に行き、指示がなければステップＳ６２０２に戻る。
【０３７５】
（ステップＳ６２０２）ユーザ識別子受信部１２０１は、ユーザ識別子送信装置１１からユーザ識別子を受信したか否かを判断する。ユーザ識別子を受信すればステップＳ６２０３に行き、ユーザ識別子を受信しなければステップＳ６２０２に戻る。
【０３７６】
（ステップＳ６２０３）脳波情報取得手段６１０２１１は、脳波情報を取得する。
【０３７７】
（ステップＳ６２０４）外部情報構成手段６１０２１２は、ステップＳ６２０３で取得した脳波情報に基づいて外部情報を構成する。
【０３７８】
（ステップＳ６２０５）第一遠隔情報送信部１２０４は、送信元識別子格納部１２０３から送信元識別子を取得する。
【０３７９】
（ステップＳ６２０６）第一遠隔情報送信部１２０４は、中継装置を識別する情報である中継装置識別子を取得する。中継装置識別子は、図示しない手段により予め格納されている、とする。
【０３８０】
（ステップＳ６２０７）第一遠隔情報送信部１２０４は、ステップＳ６２０２で受信したユーザ識別子とステップＳ６２０４で構成した外部情報を有する遠隔情報と、送信元識別子を中継装置識別子で識別される中継装置に送信する。
【０３８１】
（ステップＳ６２０８）終了信号を受信したか否かを判断する。受信すれば終了し、受信しなければステップＳ６２０１に戻る。
【０３８２】
なお、図６２のフローチャートによれば、脳波の測定を測定開始指示により開始したが、何らのトリガーもなく脳波情報を取得して光出力装置に送信しても良い。また、光出力装置１４や中継装置１３や他の装置からトリガーをかける信号を受信した場合に、脳波情報を取得して光出力装置に送信しても良い。
【０３８３】
以上、本実施の形態によれば、特定の人の脳波の測定値が他の人に伝わり、光でやわらかく知らせることにより、ある人の脳の状態が他の人にそれとなく分かる。例えば、特定の人からα波が多く出ているのか、β波が多くでているのかが光出力により分かり、特定の人の緊張度、ストレスの度合いなどがやさしく、他の人に伝わる。例えば、本情報処理装置を夫に持たせておき、光出力装置を妻が持っている、とする。すると、夫の仕事中のストレス度合いを妻にそれとなく伝えることができ、妻のその日の夫のストレス度合いに応じた食事を考えることができる、または帰宅後の各種サービスを考えることができる、などの効果がある。
【０３８４】
（実施の形態１２）
図６３は、本実施の形態における情報処理システムのブロック図である。
本情報処理システムは、第一光出力装置６３０２、中継装置１５０３、第二光出力装置６３０４、および第一光出力装置６３０２に対応するユーザ識別子送信装置１１、第二光出力装置６３０４に対応するユーザ識別子送信装置１１を有する。
【０３８５】
第一光出力装置６３０２および第二光出力装置６３０４は、各装置を保持している使用者の状態を示す情報である外部情報を取得し、かつユーザ識別子送信装置１１からユーザ識別子を受信し、外部情報とユーザ識別子を有する遠隔情報を、お互いに送信しあう。そして、第一光出力装置６３０２および第二光出力装置６３０４は、受信した相手の遠隔情報と自ら取得した外部情報に基づいて光を出力する。中継装置１５０３は、第一光出力装置６３０２から遠隔情報を受信し、当該遠隔情報を第二光出力装置６３０４に送信する。また、中継装置１５０３は、第二光出力装置６３０４から遠隔情報を受信し、当該遠隔情報を第一光出力装置６３０２に送信する。
【０３８６】
第一光出力装置６３０２は、ユーザ識別子受信部１２０１、第一外部情報取得部６３０２１、第一遠隔情報送信部６３０２３、第一遠隔情報受信部６３０２４、第一光出力制御部６３０２５、および第一光出力部６３０２６を有する。
【０３８７】
第一外部情報取得部６３０２１は、第一光出力装置６３０２の使用者の状態に関する情報である第一の外部情報を取得する。外部情報は、使用者の何らかの状態に関する情報であれば何でも良い。外部情報は、例えば、使用者がキーボードを打つ速度の情報（例えば、仕事の忙しさを示す情報）、使用者（端末）が存在する位置を示す位置情報、使用者（端末）が存在する場所を示す場所情報、端末が握られた強さを示す圧力情報、使用者の心拍数を示す情報、使用者の体温を示す情報、端末が振られた際の振られた度合いを示す情報など種々ある。第一外部情報取得部６３０２１は、上記外部情報によって、実現手段が異なる。詳細は、実施の形態２以降で説明する。
【０３８８】
第一遠隔情報送信部６３０２３は、第一外部情報取得部６３０２１で取得した第一の外部情報とユーザ識別子受信部が受信したユーザ識別子を有する第一の遠隔情報を送信する。第一遠隔情報送信部６３０２３は、通信手段で実現され得るが、放送手段で実現しても良い。通信手段は、無線通信手段でも、有線の通信手段でも良い。送信する遠隔情報によって、無線通信手段が適するか、有線の通信手段が適するかが決まると考えられる。
【０３８９】
第一遠隔情報受信部６３０２４は、第二光出力装置６３０４から中継装置１５０３を経て送信された第二の遠隔情報を受信する。第二の遠隔情報は、第二光出力装置６３０４で取得された外部情報とユーザ識別子を有する情報である。第一遠隔情報受信部６３０２４は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【０３９０】
第一光出力制御部６３０２５は、第一の外部情報と第二の遠隔情報に基づいて第一光出力部６３０２６を制御する。この光出力制御は、第一光出力部６３０２６における光の出力を３以上の出力状態（ＯＦＦも含む）のうちから１以上の出力状態にするように指示する制御である多段階制御である。第一光出力制御部６３０２５は、通常、ソフトウェアで実現され得るが、専用回路（ハードウェア）で実現しても良い。
【０３９１】
第一光出力部６３０２６は、第一光出力制御部６３０２５の制御に従って、光を出力する。第一光出力部６３０２６は、ＬＥＤや豆電球や液晶ディスプレイやＣＲＴなど光を出力する媒体であれば何でも良い。但し、第一光出力部６３０２６は、ＯＦＦの状態も含めて３以上の状態を有するもの、つまり多段階（２段階以上）の光を出力できるものでなければならない。つまり、ＯＮとＯＦＦの２つの状態しか有さない光出力媒体は、第一光出力部６３０２６に該当しない。
【０３９２】
第二光出力装置６３０４は、ユーザ識別子受信部１２０１、第三外部情報取得部６３０４１、第三遠隔情報送信部６３０４３、第三遠隔情報受信部６３０４４、第三光出力制御部６３０４５、および第三光出力部６３０４６を有する。
【０３９３】
なお、第二光出力装置６３０４の第三外部情報取得部６３０４１、第三遠隔情報送信部６３０４３、第三遠隔情報受信部６３０４４、第三光出力制御部６３０４５、および第三光出力部６３０４６は、各々第一光出力装置６３０２の第一外部情報取得部６３０２１、第一遠隔情報送信部６３０２３、第一遠隔情報受信部６３０２４、第一光出力制御部６３０２５、および第一光出力部６３０２６と同様の機能を果たす。従って、本明細書において、第一外部情報取得部と第三外部情報取得部を外部情報取得部と言い、第一遠隔情報送信部と第三遠隔情報送信部を遠隔情報送信部と言い、第一遠隔情報受信部と第三遠隔情報受信部を遠隔情報受信部と言い、第一光出力制御部と第三光出力制御部を光出力制御部と言い、および第一光出力部と第三光出力部を光出力部と言う場合がある。
【０３９４】
第三外部情報取得部６３０４１は、第二の外部情報を取得する。第三外部情報取得部６３０４１は、第一外部情報取得部６３０２１と同様の機能を果たす。
【０３９５】
第三遠隔情報送信部６３０４３は、第三外部情報取得部６３０４１で取得した第二の外部情報とユーザ識別子受信部１２０１が受信したユーザ識別子を有する第二の遠隔情報を送信する。第三遠隔情報送信部６３０４３は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【０３９６】
第三遠隔情報受信部６３０４４は、第一光出力装置６３０２から中継装置１５０３を経て送信された第一の遠隔情報を受信する。第一の遠隔情報は、第一光出力装置６３０２で取得された外部情報とユーザ識別子を有する情報である。第三遠隔情報受信部６３０４４は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【０３９７】
第三光出力制御部６３０４５は、第一の遠隔情報と第二の外部情報に基づいて第三光出力部６３０４６を制御する。この光出力制御は、第三光出力部６３０４６における光の出力を３以上の出力状態（ＯＦＦも含む）のうちから１以上の出力状態にするように指示する制御である多段階制御を行う。第三光出力制御部６３０４５は、通常、第三光出力部６３０４６を制御するソフトウェアで実現され得るが、ハードウェアで実現しても良い。
【０３９８】
第三光出力部６３０４６は、光を出力する。ＬＥＤや豆電球や液晶ディスプレイやＣＲＴなど光を出力する媒体であれば何でも良い。但し、第三光出力部６３０４６は、ＯＦＦの状態も含めて３以上の状態を有するもの、つまり多段階（２段階以上）の光を出力できるものでなければならない。つまり、ＯＮとＯＦＦの２つの状態しか有さない光出力媒体は、第三光出力部６３０４６に該当しない。
【０３９９】
以上、説明したように第一光出力装置６３０２と第二光出力装置６３０４は同様の構成からなる。
【０４００】
以下、本情報処理システムの動作について説明する。まず。第一光出力装置６３０２の動作について図６４のフローチャートを用いて説明する。
【０４０１】
（ステップＳ６４０１）第一外部情報取得部６３０２１が、外部情報の取得の開始指示を受け付けたか否かを判断する。開始指示を受け付ければステップＳ６４０２に行き、開始指示を受け付けなければステップＳ６４０１に戻る。なお、この開始指示は、外部情報の取得の開始指示とも言えるが、図６４のフローチャート全体の処理の開始指示とも言える。
【０４０２】
（ステップＳ６４０２）第一外部情報取得部６３０２１が、自方の外部情報（第一外部情報）を取得する。
【０４０３】
（ステップＳ６４０３）ユーザ識別子受信部１２０１は、ユーザ識別子を受信したか否かを判断する。ユーザ識別子を受信すればステップＳ６４０４に行き、ユーザ識別子を受信しなければステップＳ６４０３に戻る。
【０４０４】
（ステップＳ６４０４）第一遠隔情報送信部６３０２３は、中継装置を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【０４０５】
（ステップＳ６４０５）第一遠隔情報送信部６３０２３は、自方の外部情報とステップＳ６４０３で取得したユーザ識別子を有する遠隔情報を中継装置に送信する。
【０４０６】
（ステップＳ６４０６）第一遠隔情報受信部６３０２４は、他方の遠隔情報（第二遠隔情報）を受信したか否かを判断する。受信すればステップＳ６４０７に行き、受信しなければステップＳ６４０６に戻る。
【０４０７】
（ステップＳ６４０７）第一光出力制御部は、ステップＳ６４０２で取得した自方の外部情報とステップＳ６４０６で受信した他方の遠隔情報から光出力制御するための制御パラメータを決定する。なお、他方の遠隔情報が有するユーザ識別子によっては、光出力しない場合がある。かかる制御は、他の実施の形態（例えば、実施の形態１など）と同様である。また、制御パラメータには種々あることも、他の実施の形態と同様である。
【０４０８】
（ステップＳ６４０８）第一光出力部６３０２６は、ステッ実施の形態プＳ６４０７で決定した制御パラメータに基づいて、光を出力する。光を出力の態様には種々あることも、他の実施の形態と同様である。
【０４０９】
（ステップＳ６４０９）第一光出力装置６３０２は、終了信号を受信したか否かを判断する。終了信号を受信すれば終了し、受信しなければステップＳ６４０１に戻る。
【０４１０】
なお、図６４のフローチャートによれば、外部情報の取得は、開始指示の受け付けをトリガーにして行われた。この開始指示は、具体的には、第一光出力装置６３０２の使用者が開始ボタンを押下することにより発生する。また、第二光出力装置６３０４や中継装置１５０３や他の装置から開始指示が送信され得る。但し、図６４のフローチャートの動作は、何のトリガーもなく開始しても良い。
【０４１１】
次に、第二光出力装置６３０４の動作については、第一光出力装置６３０２の動作と同様であるので、説明を省略する。
【０４１２】
以下、本実施の形態における情報処理システムの具体的な動作や、それを構成する光出力装置等の形状等を説明する。
【０４１３】
今、第一光出力装置６３０２と第二光出力装置６３０４の構造は全く同じであり、その形状は、例えば、図７の光出力装置のように立方体（キューブ形状）であるとする。そして、両光出力装置の６面に圧力センサが設置されており、両光出力装置を握った場合に、握った強さを示す圧力情報が両装置の外部情報取得部によってそれぞれ取得される。そして、各外部情報と、ユーザ識別子送信装置１１から受信したユーザ識別子を有する遠隔情報が中継装置を経由して他方の装置に送信される。つまり、本例の場合は、両光出力装置が取得して他方の装置に送信する遠隔情報は圧力情報を有し、外部情報取得部は、圧力情報取得部である。
【０４１４】
また、両光出力装置は、自方の圧力情報と他方から送信された圧力情報に基づいて、光制御のパラメータを決定する。また、光出力装置は、管理しているユーザ識別子でないユーザ識別子を有する遠隔情報を受信した場合は、光出力せずに、無視する。
【０４１５】
今、各光出力装置の光出力制御手段が光制御パラメータを決定するための表を図６５に示す。図６５の表は、「電圧」「自方の圧力情報（ｎ）」「他方の圧力情報（ｍ）」を属性に有する表である。「電圧」は、光出力するときの電圧を示す。電圧が大きいほど、各光出力部は明るく光る。図６５によれば、自方の圧力情報または他方の圧力情報が「０」である場合は、「電圧」は「０」である。つまり、第一光出力装置と第二光出力装置の両方に圧力がかからなければ、光出力部は反応しない、つまり、光は出力されない。そして、自方の圧力情報または他方の圧力情報が「１〜９」であれば、自方の圧力情報または他方の圧力情報のうち小さい方の値が「電圧」の値になる。このことを「ｍｉｎ（ｎ，ｍ）」と表す。なお、ｎは自方の圧力情報を言い、ｍは他方の圧力情報を言う。さらに、自方の圧力情報および他方の圧力情報が１０以上の場合は、「電圧」は「ｎ＋ｍ（但し、最大３０）」となる。
【０４１６】
以上より、各光出力装置を持っている特定の両者（ユーザ識別子が各光出力装置で管理されている者）が強い力で光出力装置を握った場合には、強い光を発し、一方でも握っていなければ光は出力されない。
【０４１７】
その様子を図６６に示す。両者が各光出力装置を握っているので、各光出力装置は強く光っている。図６６の両名の指輪が、ユーザ識別子送信装置１１である。
【０４１８】
なお、両光出力装置には、立方体の各面（６面）に圧力センサが設置されており、使用者が握った場合に、６面の圧力センサにより測定された値が各外部情報取得部により取得される。そして、各遠隔情報送信部が遠隔情報を送信し、中継装置１５０３を経て、他方の光出力装置に送信される。かかる場合、各外部情報取得部で取得した外部情報を加工した情報を各遠隔情報送信部が送信しても良い。送信する遠隔情報を構成する外部情報は、取得した外部情報に基づいて加工された情報であるので、外部情報と言うこととする。そして、他方の光出力装置は、受信した他方からの外部情報と取得した自方の外部情報に基づいて光を出力する。図６５、図６６によれば、電圧制御部が圧力情報に基づいて電圧を制御する。
【０４１９】
そして、各光出力装置の光出力制御部は、「受信した遠隔情報が有する外部情報」「自方の外部情報」と「電圧」の関係により、多段階に光の出力を制御する。
【０４２０】
以上、本実施の形態によれば、各光出力装置の使用者であり、予め登録された特定の使用者の状態を示す情報である外部情報を含む遠隔情報を、中継装置を経て他方の光出力装置に送信し、各光出力装置で光出力することにより、お互いの状態を加味した情報をぼんやりとやわらかく出力することができる。
【０４２１】
これにより、例えば、特定の恋人同士で両光出力装置を持っており、両者が他方に会いたい気持ちを込めて、各光出力装置を握った場合に、各光出力装置はひかり輝く。そして、両者は、他方が自分に会いたがっていることが分かり、満足を得られる。
【０４２２】
なお、本実施の形態、および以下で述べるすべての実施の形態において、中継装置は必須ではなく、第一光出力装置と第二光出力装置で直接的に外部情報の送受信をしても良い。
【０４２３】
また、本実施の形態において、各光出力装置と中継装置の間で、ユーザ識別子が送受信され、中継装置が受信したユーザ識別子から送信先識別子を取得する構成であったが、各光出力装置から送信先識別子が中継装置に送信され、かつ中継装置は、以下の構成でも良い。
【０４２４】
つまり、中継装置は、外部情報の送信先を識別する送信先識別子と遠隔情報を受信する第二遠隔情報受信部と、第二遠隔情報受信部が受信した送信先識別子で識別される送信先に、第二遠隔情報受信部が受信した遠隔情報を送信する第二遠隔情報送信部とを具備する構成でも良い（この中継装置を適宜、第一の中継装置と言う。）。なお、第二遠隔情報送信部は、自動的に遠隔情報を送信しても、光出力装置からの遠隔情報アクセス要求があった場合に、遠隔情報を送信しても良い。なお、この中継装置を適宜、第二の中継装置と言う。
【０４２５】
また、本実施の形態において、光制御パラメータを決定したのは、各光出力装置であったが、中継装置が第一遠隔情報と第二遠隔情報から光制御パラメータを決定しても良い。かかる場合、中継装置で決定した光制御パラメータは各光出力装置に送信され、各光出力装置は当該光制御パラメータに基づいて光出力する。このことは、以下の他の実施の形態においても同様である。なお、かかる第三の中継装置については、実施の形態２で述べる。
【０４２６】
以上の３種類の中継装置がありえるのは、以下のすべての実施の形態において言えることである。
【０４２７】
また、本実施の形態において、光出力装置は、ユーザ識別子送信装置からユーザ識別子を受信したが、光出力装置は、予めユーザ識別子を格納していても良い。かかる場合、情報処理システムは、ユーザ識別子送信装置を具備しない。また、光出力装置は、ユーザ識別子を着脱可能な記録媒体に格納していても良い。これも、以下のすべての実施の形態において同様である。
【０４２８】
さらに、本実施の形態において、光出力装置をソフトウェアで実現した場合のプログラムは、コンピュータに、外部から送信される情報である第一の外部情報とユーザ識別子を有する遠隔情報を受信する遠隔情報受信ステップと、第二の外部情報を取得する外部情報取得ステップと、遠隔情報と第二の外部情報に基づいて、光の出力を制御する光出力制御ステップを実行させるためのプログラム、である。
【０４２９】
（実施の形態１３）
図６７は、本実施の形態における情報処理システムのブロック図である。
本情報処理システムは、第一光出力装置６７０２と中継装置６７０３と第二光出力装置６７０４、および第一光出力装置６７０２に対応するユーザ識別子送信装置１１、第二光出力装置６７０４に対応するユーザ識別子送信装置１１を有する。
【０４３０】
第一光出力装置６７０２は、第一外部情報取得部６３０２１、第一遠隔情報送信部６３０２３、第一光出力部６３０２６、第一パラメータ受信部６７０２１、および第一光出力制御部６７０２５を有する。
【０４３１】
中継装置６７０３は、第二遠隔情報受信部１３０１、送信管理情報格納部１３０２、送信先識別子取得部１５０３１、光制御パラメータ決定部６７０３１、およびパラメータ送信部６７０３２を有する。
【０４３２】
第二光出力装置６７０４は、第三外部情報取得部６３０４１、第三遠隔情報送信部６３０４３、第三光出力部６３０４６、第三パラメータ受信部６７０４１、および第三光出力制御部６７０４５を有する。
【０４３３】
第一パラメータ受信部６７０２１は、中継装置６７０３から光制御パラメータを受信する。第一パラメータ受信部６７０２１は、通常、無線の通信手段により実現され得るが、有線の通信手段でも良い。また、第一パラメータ受信部６７０２１は、放送を受信する手段、例えばチューナーとそのドライバーソフトウェアにより実現されても良い。
【０４３４】
第一光出力制御部６７０２５は、第一パラメータ受信部６７０２１が受信した光制御パラメータに基づいて光出力するように光出力部６３０２６に指示する。第一光出力制御部６７０２５は、通常、ソフトウェアで実現され得るが、専用回路（ハードウェア）で実現しても良い。
【０４３５】
光制御パラメータ決定部６７０３１は、第二遠隔情報受信部１３０１が受信した第一遠隔情報と第二遠隔情報に基づいて光出力制御パラメータを決定する。光制御パラメータは、通常、ソフトウェアで実現され得るが、専用回路（ハードウェア）で実現しても良い。光制御パラメータ決定部６７０３１がどのようなアルゴリズムで光出力制御パラメータを決定するかは問わない。当該アルゴリズムの例は、以下で詳細に述べる。
【０４３６】
パラメータ送信部６７０３２は、光制御パラメータ決定部６７０３１が決定した光制御パラメータを各光出力装置に送信する。パラメータ送信部６７０３２は、通常、無線または有線の通信手段で実現され得るが、放送手段で実現しても良い。
【０４３７】
第三パラメータ受信部６７０４１は、中継装置６７０３から光制御パラメータを受信する。第三パラメータ受信部６７０４１は、通常、無線の通信手段により実現され得るが、有線の通信手段で実現しても良い。また、第三パラメータ受信部６７０４１は、放送を受信する手段（チューナーとドライバソフト等）により実現しても良い。
【０４３８】
第三光出力制御部６７０４５は、第三パラメータ受信部６７０４１が受信した光制御パラメータに基づいて光出力するように第三光出力部６３０４６に指示する。第三光出力制御部６７０４５は、通常、ソフトウェアで実現され得るが、専用回路（ハードウェア）で実現しても良い。
【０４３９】
以下、本情報処理システムの動作について説明する。まず。第一光出力装置６７０２の動作について図６８のフローチャートを用いて説明する。
【０４４０】
（ステップＳ６８０１）第一外部情報取得部６３０２１が、外部情報の取得の開始指示を受け付けたか否かを判断する。開始指示を受け付ければステップＳ６８０２に行き、開始指示を受け付けなければステップＳ６８０１に戻る。なお、この開始指示は、外部情報の取得の開始指示とも言えるが、図６８のフローチャート全体の処理の開始指示とも言える。
【０４４１】
（ステップＳ６８０２）第一外部情報取得部６３０２１が、自方の外部情報（第一外部情報を取得する。
【０４４２】
（ステップＳ６８０３）ユーザ識別子受信部１２０１は、ユーザ識別子を受信したか否かを判断する。ユーザ識別子を受信すればステップＳ６８０４に行き、ユーザ識別子を受信しなければステップＳ６８０３に戻る。
【０４４３】
（ステップＳ６８０４）第一遠隔情報送信部６３０２３は、中継装置を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【０４４４】
（ステップＳ６８０５）第一遠隔情報送信部６３０２３は、自方の外部情報とユーザ識別子を有する遠隔情報を、中継装置識別子で識別される中継装置に送信する。
【０４４５】
（ステップＳ６８０６）第一パラメータ受信部６７０２１が光制御パラメータを受信したか否かを判断する。光制御パラメータを受信すればステップＳ６８０７に行き、受信していなければステップＳ６８０６に戻る。
【０４４６】
（ステップＳ６８０７）第一光出力制御部６７０２５は、第一パラメータ受信部６７０２１が受信した光制御パラメータに従って光出力するように第一光出力部６３０２６に指示する。
【０４４７】
（ステップＳ６８０８）第一光出力部６３０２６は、光制御パラメータに従って光出力する。
【０４４８】
（ステップＳ６８０９）第一光出力装置６７０２は、終了信号を受信したか否かを判断する。終了信号を受信すれば終了し、受信しなければステップＳ６８０２に戻る。
【０４４９】
なお、図６８のフローチャートによれば、外部情報の取得は、開始指示の受け付けをトリガーにして行われた。この開始指示は、具体的には、第一光出力装置６７０２の使用者が開始ボタンを押下することにより発生する。また、第二光出力装置６７０４や中継装置６７０３や他の装置から開始指示が送信され得る。但し、図６８のフローチャートの動作は、何のトリガーもなく開始しても良い。
【０４５０】
次に、中継装置６７０３の動作について、図６９のフローチャートを用いて説明する。
【０４５１】
（ステップＳ６９０１）第二遠隔情報受信部１３０１は、光出力装置から遠隔情報を受信したか否かを判断する。受信すればステップＳ６９０２に行き、受信しなければステップＳ６９０１に戻る。
【０４５２】
（ステップＳ６９０２）光制御パラメータ決定部６７０３１は、ステップＳ６９０１で受信した遠隔情報からユーザ識別子を取得する。
【０４５３】
（ステップＳ６９０３）光制御パラメータ決定部６７０３１は、ステップＳ６９０２で取得したユーザ識別子に対応する遠隔情報が格納されているか否かを判断する。ユーザ識別子に対応する遠隔情報が格納されていればステップＳ６９０４に行き、ユーザ識別子に対応する遠隔情報が格納されていなければステップＳ６９１２に飛ぶ。なお、格納されている遠隔情報とは、ステップＳ６９１２で蓄積した遠隔情報である。
【０４５４】
（ステップＳ６９０４）光制御パラメータ決定部６７０３１は、ユーザ識別子に対応する遠隔情報の数を変数ｎに代入する。
【０４５５】
（ステップＳ６９０５）カウンタｉに１を代入する。
【０４５６】
（ステップＳ６９０６）光制御パラメータ決定部６７０３１は、ｉ番目の対応する遠隔情報が存在するか否かを判断する。ｉ番目の対応する遠隔情報が存在すればステップＳ６９０７に行き、ｉ番目の対応する遠隔情報が存在しなければステップＳ６９０１に戻る。
【０４５７】
（ステップＳ６９０７）光制御パラメータ決定部６７０３１は、ｉ番目の対応する遠隔情報を取得する。
【０４５８】
（ステップＳ６９０８）光制御パラメータ決定部６７０３１は、ステップＳ６９０１で受信した遠隔情報と、ステップＳ６９０７で取得した遠隔情報に基づいて光制御パラメータを決定する。光制御パラメータを決定するアルゴリズムは、後述する。
【０４５９】
（ステップＳ６９０９）一方の相手先（ステップＳ６９０７で取得した遠隔情報を送信してきた光出力装置）にステップＳ６９０８で決定した光制御パラメータを送信する。
【０４６０】
（ステップＳ６９１０）他方の相手先（ステップＳ６９０１で受信した遠隔情報を送信してきた光出力装置）にステップＳ６９０７で決定した光制御パラメータを送信する。
【０４６１】
（ステップＳ６９１１）カウンタｉを１インクリメントする。ステップＳ６９０６に戻る。
【０４６２】
（ステップＳ６９１２）ステップＳ６９０１で受信した遠隔情報を蓄積する。なお、この遠隔情報は、通常、一時的な蓄積であり、一定時間が経過すれば削除される。
【０４６３】
なお、図６９のフローチャートによれば、中継装置が光制御パラメータを送信するのは、遠隔情報の受信をトリガーとして行ったが、第二光出力装置６７０４または第一光出力装置６７０２からのアクセス要求があった場合に、光制御パラメータを送信しても良い。
【０４６４】
なお、第二光出力装置６７０４の動作は、第一光出力装置６７０２と同様であるので、説明を省略する。
【０４６５】
以下、本実施の形態における情報処理システムの具体的な動作や、それを構成する光出力装置等の形状等を説明する。
【０４６６】
今、第一光出力装置６７０２と第二光出力装置６７０４の構造は全く同じであり、その形状は、図７の光出力装置のように立方体（キューブ形状）であるとする。
【０４６７】
そして、中継装置６７０３の光制御パラメータ決定部６７０３１は、図７０に示すような光制御パラメータ決定表を格納している。かかる場合、第一光出力装置６７０２と第二光出力装置６７０４から外部情報（圧力情報）が中継装置６７０３に送信され、光制御パラメータ決定部６７０３１は、図７０の表に基づいて電圧を決定する。
【０４６８】
光制御パラメータ決定表は、「電圧」「一方の遠隔情報」「他方の遠隔情報」を有するレコードを１以上格納している。「一方の遠隔情報」および「他方の遠隔情報」は、ユーザ識別子、圧力情報を有する。以下、光制御パラメータ決定表の見方を具体的に説明する。
【０４６９】
今、ユーザ識別子「１２３４」の情報が格納されているユーザ識別子送信装置（指輪）をユーザＡが保持している。そして、ユーザＡは、当該指輪を身に付けて、自分の光出力装置をギュッと握ったとする。その際に取得できた外部情報が「５」であった、とする。かかる場合、ユーザＡの光出力装置は、ユーザ識別子「１２３４」と外部情報「５」を有する遠隔情報を中継装置に送信する。
【０４７０】
次に、ユーザ識別子「２２２５」の情報が格納されているユーザ識別子送信装置（指輪）をユーザＢが保持している。そして、ユーザＢは、自分の光出力装置をギュッと握ったとする。その際に取得できた外部情報が「１０」であった、とする。かかる場合、ユーザＢの光出力装置は、ユーザ識別子「２２２５」と外部情報「１０」を有する遠隔情報を中継装置に送信する。
【０４７１】
また、ユーザ識別子「２２３３」の情報が格納されているユーザ識別子送信装置（指輪）をユーザＣが保持している。そして、ユーザＣは、自分の光出力装置をギュッと握ったとする。その際に取得できた外部情報が「１０」であった、とする。かかる場合、ユーザＣの光出力装置は、ユーザ識別子「２２３３」と外部情報「１０」を有する遠隔情報を中継装置に送信する。
【０４７２】
さらに、ユーザ識別子「２２５８」の情報が格納されているユーザ識別子送信装置（指輪）をユーザＤが保持している。そして、ユーザＤは、自分の光出力装置をギュッと握ったとする。その際に取得できた外部情報が「１０」であった、とする。かかる場合、ユーザＤの光出力装置は、ユーザ識別子「２２５８」と外部情報「１０」を有する遠隔情報を中継装置に送信する。
【０４７３】
以上の場合、中継装置は、以下のように制御パラメータを決定する。まず、ユーザ識別子「１２３４」とユーザ識別子「２２２５」の圧力情報「５」（ｎ）、「１０」（ｍ）を表の属性値「電圧」に代入する。表の中の該当するレコードの電圧は「ｍ」であるので、中継装置は電圧を「１０」と決定する。そして、ユーザ識別子「１２３４」とユーザ識別子「２２２５」を含む遠隔情報を送信してきたユーザＡ，ユーザＢの光出力装置にパラメータ「１０」を送信する。そして、ユーザＡ，ユーザＢの光出力装置は、両者「１０」の電圧で光出力する。
【０４７４】
次に、中継装置は、ユーザ識別子「１２３４」とユーザ識別子「２２３３」の圧力情報「５」（ｎ）、「１０」（ｍ）を表の属性値「電圧」に代入する。表の中の該当するレコードの電圧は「ｎ＋ｍ」であるので、中継装置は電圧を「１５」と決定する。そして、ユーザ識別子「１２３４」とユーザ識別子「２２３３」を含む遠隔情報を送信してきたユーザＡ，ユーザＣの光出力装置にパラメータ「１５」を送信する。そして、ユーザＡ，ユーザＣの光出力装置は、両者「１５」の電圧で光出力する。
【０４７５】
さらに、中継装置は、ユーザ識別子「１２３４」とユーザ識別子「２２５８」の圧力情報「５」（ｎ）、「１０」（ｍ）を表の属性値「電圧」に代入する。表の中の該当するレコードの電圧は「（ｎ＋ｍ）＊２」であるので、中継装置は電圧を「３０」と決定する。そして、ユーザ識別子「１２３４」とユーザ識別子「２２５８」を含む遠隔情報を送信してきたユーザＡ，ユーザＣの光出力装置にパラメータ「３０」を送信する。そして、ユーザＡ，ユーザＤの光出力装置は、両者「３０」の電圧で光出力する。以上のように、両者が同じ値の圧力をかけても、ユーザ識別子により、光り方が異なる。
【０４７６】
以上、本実施の形態によれば、各光出力装置の使用者の状態を示す情報である外部情報を含む遠隔情報を、中継装置に送信し、中継装置で光制御するためのパラメータを決定した。そして、当該パラメータを各光出力装置に送信し、各光出力装置で光出力することにより、お互いの状態を加味した情報をぼんやりとやわらかく出力することができる。また、かかる場合、ユーザ識別子により、光出力の態様が異なった。
【０４７７】
これにより、例えば、複数の友人、恋人を有する人、および当該友人、恋人が、それぞれ光出力装置を持っており、友人、恋人がその人に会いたい気持ちを込めて、両者が各光出力装置を握った場合に、各光出力装置はひかり輝く。その際に、光り方は、人によって異なる。つまり、付き合いの深さによって、光り方を異なるように設定できる。以上により、付き合い方に応じた、やわらかな意思疎通ができる。
【０４７８】
また、本実施の形態によれば、光出力装置は、外部情報を取得して中継装置に送信する構成要素（外部情報取得部、遠隔情報送信部、ユーザ識別子受信部）と、光出力するための構成要素（光出力部、パラメータ受信部、光出力制御部）は、物理的に一の装置の中に存在したが、外部情報を取得して中継装置に送信する構成要素と光出力するための構成要素は物理的に分離していても良い。これは、以下の他の実施の形態で述べる光出力装置においても同様である。
【０４７９】
また、本実施の形態において、情報処理システムを構成する光出力装置は２つであり、中継装置は２つの遠隔情報に基づいて光制御パラメータを決定したが、３以上の光出力装置から送信される遠隔情報により光制御パラメータを決定しても良い。このことは、実施の形態１を含め、以下の他の実施の形態においても該当する。
【０４８０】
また、本実施の形態において、外部情報は圧力情報に限らない。外部情報は、上述した、データを入力する入力手段によりデータ入力される速度を示す情報でも良い。また、外部情報は、ＣＰＵの稼動率を示す情報でも良い。また、外部情報は、位置に関する情報である位置情報でも良い。また、外部情報は、場所に関する情報である場所情報でも良い。また、外部情報は、心拍数を示す情報である心拍数情報でも良い。また、外部情報は、体温を示す情報である体温情報でも良い。また、外部情報は、血糖値を示す情報である血糖値情でも良い。また、外部情報は、健康状態に関する情報である健康状態情報でも良い。また、外部情報は、ＰＨ値に関する情報であるＰＨ値情報でも良い。また、外部情報は、角度に関する情報である角度情報でも良い。また、外部情報は、回転に関する情報である回転情報でも良い。また、外部情報は、脳波に関する情報である脳波情報でも良い。
【０４８１】
さらに、本実施の形態において、光出力装置をソフトウェアで実現した場合のプログラムは、コンピュータに、第二の外部情報を取得する外部情報取得ステップと、ユーザ識別子を受信するユーザ識別子受信ステップと、第二の外部情報とユーザ識別子を有する遠隔情報を送信する遠隔情報送信ステップと、光出力の方法に関する情報である光制御パラメータを受信するパラメータ受信ステップと、パラメータ受信ステップで受信した光制御パラメータに基づいて、光の出力を３以上の出力状態のうちから１以上の出力状態にするように指示する制御である多段階制御を行う光出力制御ステップを実行させるためのプログラム、である。
【０４８２】
（実施の形態１４）
図７１は、本実施の形態における情報処理システムのブロック図である。
本情報処理システムは、第一光出力装置７１０２と中継装置６７０３と第二光出力装置７１０４、および第一光出力装置７１０２に対応するユーザ識別子送信装置１１、第二光出力装置７１０４に対応するユーザ識別子送信装置１１を有する。
【０４８３】
第一光出力装置７１０２は、ユーザ識別子受信部１２０１、第一外部情報取得部７１０２１、第一種類情報格納部７１０２２、第一光出力部７１０２３、第一パラメータ受信部７１０２４、第一光出力制御部７１０２５、および第一遠隔情報送信部６３０２３を有する。
【０４８４】
第二光出力装置７１０４は、ユーザ識別子受信部１２０１、第三外部情報取得部７１０４１、第三種類情報格納部７１０４２、第三光出力部７１０４３、第三パラメータ受信部７１０４４、第三光出力制御部７１０４５、および第三遠隔情報送信部６３０４３を有する。
【０４８５】
第一外部情報取得部７１０２１は、外部情報を取得する。第一外部情報取得部７１０２１は、第一圧力取得手段７１０２１１、第一位置情報取得手段７１０２１２、および第一外部情報構成手段７１０２１３を有する。
【０４８６】
第一圧力取得手段７１０２１１は、圧力に関する情報である圧力情報を取得する。第一圧力取得手段７１０２１１は、１以上の圧力センサにより実現され得る。第一圧力取得手段７１０２１１は、例えば、実施の形態１で述べたように、６つの圧力センサの値を取得する、とする。
【０４８７】
第一位置情報取得手段７１０２１２は、第一光出力装置７１０２が存在する位置に関する情報である位置情報を取得する。第一位置情報取得手段７１０２１２は、例えば、ＧＰＳシステムの受信機で構成され得る。かかる場合、位置情報は、ＧＰＳ座標値である。また、第一位置情報取得手段７１０２１２は、携帯電話の３つの局装置からの電波の強さを認識して、位置を特定する手段で実現しても良い。
【０４８８】
第一外部情報構成手段７１０２１３は、第一圧力取得手段７１０２１１が取得した圧力情報および／または第一位置情報取得手段７１０２１２が取得した位置情報に基づいて外部情報を構成する。外部情報は、情報の種類を示す情報である種類情報と当該種類情報が示す情報の値である情報値の組を１組以上有する。
【０４８９】
第一種類情報格納部７１０２２は、第一光出力装置７１０２が処理の対象とする情報の種類である種類情報を格納している。この処理とは、光出力処理である。つまり、第一光出力装置７１０２が反応する情報が、第一種類情報格納部７１０２２に格納されている種類情報により判断できる。第一種類情報格納部７１０２２は、ハードディスクなどの不揮発性の記録媒体でも良いが、揮発性の記録媒体でも良い。
【０４９０】
第一光出力部７１０２３は、光を出力する。第一光出力部７１０２３は、上記の実施の形態で述べたＬＥＤや豆電球などの光出力媒体で実現され得る。第一光出力部７１０２３は、第一一光出力手段７１０２３１と第一二光出力手段７１０２３２の２つの光出力手段を具備する。
【０４９１】
第一パラメータ受信部７１０２４は、中継装置６７０３から送信された光制御パラメータを受信する。第一パラメータ受信部７１０２４は、無線または有線の通信手段により実現され得るが、放送を受信する手段（チューナーおよびドライバソフト）で実現しても良い。
【０４９２】
第一光出力制御部７１０２５は、第一パラメータ受信部７１０２４が受信した光制御パラメータに基づいて光出力部７１０２３に光出力することを指示する。圧力情報についての光制御パラメータは、第一一光出力手段７１０２３１を制御し、位置情報についての光制御パラメータは、第一二光出力手段７１０２３２を制御する。第一光出力制御部７１０２５は、通常、ソフトウェアで実現され得るが、専用回路（ハードウェア）で実現しても良い。
【０４９３】
第三外部情報取得部７１０４１と第一外部情報取得部７１０２１、第三種類情報格納部７１０４２と第一種類情報格納部７１０２２、第三光出力部７１０４３と第一光出力部７１０２３、第三パラメータ受信部７１０４４と第一パラメータ受信部７１０２４、第三光出力制御部７１０４５と第一光出力制御部７１０２５、および第三遠隔情報送信部６３０４３と第一遠隔情報送信部６３０２３は同じ機能をはたすのでここでの説明は省略する。
【０４９４】
以下、本情報処理システムの動作について説明する。まず。第一光出力装置７１０２の動作について図７２のフローチャートを用いて説明する。
【０４９５】
（ステップＳ７２０１）第一位置情報取得手段７１０２１２は、位置情報を取得する。
【０４９６】
（ステップＳ７２０２）第一圧力取得手段７１０２１１は、圧力情報の入力があったか否かを判断する。圧力情報の入力があれば、ステップＳ７２０３に行き、圧力情報の入力がなければステップＳ７２０４に飛ぶ。
【０４９７】
（ステップＳ７２０３）第一圧力取得手段７１０２１１は、圧力情報を生成する。圧力情報の生成とは、１以上の圧力センサの測定結果から送信する圧力情報を構成することを言う。「圧力情報を構成する」とは、例えば、圧力センサが６つある場合に、６つのセンサの測定値の平均をとる処理を言う。また、「圧力情報を構成する」とは、例えば、圧力センサが６つある場合に、圧力を検知できたセンサの数によって、情報処端末をどのように触ったかがわかり、その触った状態を推測して情報として生成するような処理がある。具体的には、５つのセンサが０より大きな値を検知した場合は、使用者は情報処理装置をわし掴みしていると判断する。また、４つのセンサから値を検知できた場合は、使用者は情報処理装置を普通に掴んでいる、と判断する。さらに、１つのセンサのみ値を検知できた場合は、使用者は情報処理装置を指等で触っている（押している）だけである、と判断する。そして、第一圧力取得手段７１０２１１は、触り方（例えば、０より大きな値を示したセンサの数が触り方を示す値である、とする。）と圧力の大きさ（例えば、「０より大きな値を示したセンサの測定値の総和」／「０より大きな値を示したセンサの数」を圧力の大きさとする。）の２つの情報を圧力情報として生成する、ことが考えられる。
【０４９８】
（ステップＳ７２０４）第一外部情報構成手段７１０２１３は、位置情報および／または圧力情報から外部情報を構成する。なお、この外部情報は、情報の種類を示す情報である種類情報と当該種類情報に対応する値である情報値の組を１組以上有する。
【０４９９】
（ステップＳ７２０５）第一遠隔情報送信部６３０２３は、ユーザ識別子受信部１２０１が受信したユーザ識別子を取得する。なお、例えば、常時、ユーザ識別子受信部１２０１は、ユーザ識別子送信装置１１からユーザ識別子を受信している、とする。
【０５００】
（ステップＳ７２０６）第一遠隔情報送信部６３０２３は、予め格納されている中継装置識別子を取得する。
【０５０１】
（ステップＳ７２０７）第一遠隔情報送信部６３０２３は、ステップＳ７２０４で構成した外部情報とステップＳ７２０５で取得したユーザ識別子を有する遠隔情報を、中継装置識別子で識別される中継装置に送信する。
【０５０２】
（ステップＳ７２０８）第一パラメータ受信部７１０２４が、光制御パラメータを受信したか否かを判断する。光制御パラメータを受信すればステップＳ７２０９に行き、光制御パラメータを受信しなければステップＳ７２０８に戻る。
【０５０３】
（ステップＳ７２０９）第一光出力制御部７１０２５は、ステップＳ７２０８で受信した制御パラメータ中に圧力情報の出力に関するパラメータである圧力パラメータが存在するか否かを判断する。圧力パラメータが存在すればステップＳ７２１０に行き、圧力パラメータが存在しなければステップＳ７２１２に飛ぶ。なお、この段階で圧力パラメータを取得する。
【０５０４】
（ステップＳ７２１０）第一光出力制御部７１０２５は、取得した圧力パラメータに基づいて第一一光出力手段７１０２３１に対して光出力するように指示する。
【０５０５】
（ステップＳ７２１１）第一一光出力手段７１０２３１は、圧力パラメータに基づいて光出力する。
【０５０６】
（ステップＳ７２１２）第一光出力制御部７１０２５は、ステップＳ７２０８で受信した制御パラメータ中に位置情報の出力に関するパラメータである位置パラメータが存在するか否かを判断する。位置パラメータが存在すればステップＳ７２１３に行き、位置パラメータが存在しなければステップＳ７２１５に飛ぶ。なお、この段階で位置パラメータを取得する。
【０５０７】
（ステップＳ７２１３）第一光出力制御部７１０２５は、取得した位置パラメータに基づいて第一二光出力手段７１０２３２に対して光出力するように指示する。
【０５０８】
（ステップＳ７２１４）第一二光出力手段７１０２３２は、位置パラメータに基づいて光出力する。
【０５０９】
（ステップＳ７２１５）終了信号が入力されたか否かを判断する。終了信号が入力されれば光出力を終了する。終了信号が入力されなければステップＳ７２０１に戻る。
【０５１０】
なお、図７２のフローチャートによれば、外部情報の取得は、何らのトリガーもなく行われたが、第一光出力装置７１０２の使用者が開始ボタンを押下するなどのトリガーをかけてから、動作が開始されても良い。また、第二光出力装置７１０４や中継装置６７０３や他の装置からトリガーをかける信号を受信した場合に、ステップＳ７２０１の外部情報の取得動作を開始しても良い。
【０５１１】
次に、第二光出力装置７１０４の動作は、第一光出力装置７１０２と同様であるので、説明を省略する。
【０５１２】
以下、本実施の形態における情報処理システムの具体的な動作等を説明する。
【０５１３】
今、図７３に示すように、情報処理システムを構成するユーザ識別子送信装置１１は、指輪の形状をしており、ユーザ識別子を格納している。また、第一光出力装置７１０２と第二光出力装置７１０４の形状が、それぞれ立方体（キューブ形状）であるとする。そして、第一光出力装置７１０２と第二光出力装置７１０４は、６面の各面に１つずつ、合計６つの圧力センサと、１つのＧＰＳの受信機を有している。かかる設備を有する両装置は、図２０に示すような構造の情報を圧力情報取得手段によって得る。具体的な圧力情報の例は、図２１に示す。また、両装置は、ＧＰＳ座標値の構造を有する位置情報（Ｘ，Ｙ，Ｚ）を位置情報取得手段によって得る。具体的な位置情報の例は、図２２に示す。第一外部情報構成手段７１０２１３および第三外部情報構成手段７１０４１３は、６つの圧力情報に基づいて送信する圧力情報を得る。具体的には、「０以外の情報の総和」／「０以外の情報の数」を情報値として計算する。この例の場合は、（０＋０＋２０＋５＋５＋２０）／４により１２．５の値を得る。そして圧力情報として、「＜情報種類＞圧力情報、＜ＩＤ＞１、＜情報値＞１２．５」を得る。
【０５１４】
以上より、第一外部情報構成手段７１０２１３および第三外部情報構成手段７１０４１３は、それぞれ外部情報を構成する。例えば、第一外部情報構成手段７１０２１３は、図２３に示すような２つの種類情報と情報値とＩＤを有するレコードを２組構成する。そして、第三外部情報構成手段７１０４１３は、図７４に示すような２つの種類情報と情報値とＩＤを有するレコードを２組構成する。つまり、両装置の外部情報は、「種類情報」と「情報値」と「ＩＤ」を有するレコードが１組以上存在する構成となる。なお、「ＩＤ」は、種類情報を識別する情報であり、「ＩＤ」を「種類情報」としても良い。
【０５１５】
また、第一光出力装置７１０２は、ユーザ識別子「１２３４」をユーザ識別子送信装置１１から受信する。また、第二光出力装置７１０４は、ユーザ識別子「２２３３」をユーザ識別子送信装置１１から受信する。
【０５１６】
そして、第一遠隔情報送信部６３０２３は、図２３の外部情報と、ユーザ識別子「１２３４」を有する遠隔情報を中継装置６７０３に送信する。また、第三遠隔情報送信部６３０４３は、図７４の外部情報と、ユーザ識別子「２２３３」を中継装置６７０３に送信する。
【０５１７】
そして、中継装置６７０３の光制御パラメータ決定部６７０３１は、上記の二つの沿革情報に基づいて光制御パラメータを決定する。
【０５１８】
具体的には、中継装置６７０３は、まず、ユーザ識別子「１２３４」とユーザ識別子「２２３３」が対で管理されているか否かを判断する。そして、ユーザ識別子「１２３４」とユーザ識別子「２２３３」が対で管理されている場合に、図２３の外部情報と図７４の外部情報に基づいて、光制御パラメータ決定部６７０３１は、光制御パラメータを決定する。その際、圧力パラメータは、図７０の表に従って決定される。つまり、光制御パラメータ決定部６７０３１は内部に図７０の表を格納しており、「１２．５」と「５」の２つの圧力情報を受信すれば、図７０の「ｎ＋ｍ」が適用され、「１２．５＋５」により、圧力パラメータは「１７．５」となる。また、光制御パラメータ決定部６７０３１は、図７５に示す表を格納している。図７５の表は、ユーザ識別子「１２３４」とユーザ識別子「２２３３」の場合に適用される表である。そして、受信した２つの外部情報に含まれる位置情報から、第一光出力装置７１０２と第二光出力装置７１０４の距離を算出する。距離の算出は、２つのＧＰＳ座標（２つの外部情報に含まれる位置情報）から行う。そして、算出した距離に基づいて図７５の表により「電圧」を決定する。この「電圧」が位置パラメータである。つまり、第一光出力装置７１０２と第二光出力装置７１０４の距離が近いほど、第一光出力装置７１０２と第二光出力装置７１０４において、強い電圧で光が出力される。
【０５１９】
次に、第一種類情報格納部７１０２２および第三種類情報格納部７１０４２は、情報種類として、「位置情報」と「圧力情報」を格納している、とする。かかる場合、図２３、図７４に示す情報は、それぞれ２レコードとも光制御の対象になる。そして、本実施の形態において、第一光出力制御部７１０２５、第三光出力制御部７１０４５は、中継装置から送信される光制御パラメータの中の「位置パラメータ」の値に応じて、第一一光出力手段７１０２３１、第三一光出力手段７１０４３１を制御し、光制御パラメータの中の「圧力パラメータ」の値に応じて、第一二光出力手段７１０２３２、および第三二光出力手段７１０４３２を制御する。そして、例えば、第一一光出力手段７１０２３１、および第三一光出力手段７１０４３１は、青のＬＥＤで構成され、加える電圧を強くするほど強く光る。また、第一二光出力手段７１０２３２、および第三二光出力手段７１０４３２は、赤のＬＥＤで構成され、加える電圧を強くするほど強く光る。図７６は、簡単な第一光出力装置７１０２および第二光出力装置７１０４の外観を示した図である。また、図７７は、光出力している第一光出力装置７１０２および第二光出力装置７１０４の様子を示した図である。なお、もし受信した外部情報に「位置情報」についての制御パラメータと「圧力情報」についての制御パラメータ以外の制御パラメータが含まれていれば、その制御パラメータは無視される。
【０５２０】
以上の光制御により、第一光出力装置を持っている人と第一光出力装置を持っている人の距離がやわらかく伝わる。従って、上述した「外部情報に基づいて光出力を制御する」というのは、外部情報以外の情報を利用しても良い。
【０５２１】
また、複数の位置情報と位置情報を取得した時刻に基づいて、第一光出力装置と第一光出力装置の動く方向が取得できる。かかる方向により、第一光出力装置と第一光出力装置が近づいているのか遠ざかっているのかが判断できる。この方向の情報に基づく判断により、中継装置が制御パラメータを決定しても良い。つまり、距離が遠くても近づいているときは位置パラメータ（電圧）を大きくし、距離が近くても遠ざかっているときは位置パラメータ（電圧）を小さくするように、中継装置が制御パラメータを決定しても良い。
【０５２２】
なお、移動する方向を取得する技術として、地磁気センサ等を利用した公知技術等を用いても良い。
【０５２３】
また、第一光出力装置と第一光出力装置を各々が握る強さを、第一光出力部の第一二光出力手段と第三光出力部の第三二光出力手段に出力した。その場合、上述したように、お互いが強く第一光出力装置または第一光出力装置を握ると、その握る強さを光出力の強さとして出力することが考えられた。
【０５２４】
例えば、恋人どうしが会うために接近しており、かつ第一光出力装置、第一光出力装置を持っている各人が各装置を強く握っていた場合に、上記の光出力動作により、立方体の形状を有する光出力装置の青い出力（位置情報の出力）と赤い出力（圧力情報）はどんどん強くなって、相手に会いたい、という気持ちが、やわらかく伝わる。
【０５２５】
以上、本実施の形態によれば、各光出力装置を持っている特定の人の間の複数の種類の情報から各光出力装置を光らせることにより、特定の人の複数の状況が他方の人に伝わり、多数の情報が人から人へのやわらかく伝わる通信システムを提供できる。
【０５２６】
なお、本実施の形態において、外部情報を構成するものとして、位置情報と圧力情報を選択したが、各光出力装置を保持する人の状態を示す情報であれば他でも良い。他の実施の形態においても同様である。
【０５２７】
また、光出力制御は、光の強さを制御する態様で説明したが、実施の形態１等で述べた他の態様でも（５種類の光制御方法のうちどれでも）良い。これは、すべての実施の形態において適用される。
【０５２８】
また、第一光出力部および第三光出力部が有する光出力出段は２つであったが、３以上でも良いし、１つでも良い。これも他の実施の形態においても同様である。
【０５２９】
また、本実施の形態において、位置情報の取得は、ＧＰＳを用いておこなったが、携帯電話の基地局からの電波を利用して位置情報を取得するなど、他の手段でも良い。かかる技術は公知技術であるので、詳細な説明は省略する。これも他の実施の形態においても同様である。
【０５３０】
また、本実施の形態において、固定的に、位置情報に基づいて第一光出力手段を制御し、圧力情報に基づいて第二光出力手段を制御していたが、どの情報に基づいてどの光出力手段を制御するかについてカスタマイズ可能であっても良い。
【０５３１】
また、第一光出力装置および第二光出力装置が受信する遠隔情報が有する種類情報がそれぞれの種類情報格納部に格納されている場合（つまり、遠隔情報が有する種類情報と第一または第三種類情報格納部に格納されている種類情報が一致する場合）に光制御の対象としたが、遠隔情報が有する種類情報と各種類情報格納部に格納されている種類情報が一定の関係にあれば光出力制御の対象として良い。これも他の実施の形態においても同様である。
【０５３２】
また、本実施の形態において、中継装置が受信する２つのユーザ識別子に基づいて、光制御パラメータを変更しても良い。つまり、中継装置は、受信した２つの遠隔情報に基づいて光制御パラメータを決定し、送信する。
【０５３３】
また、本実施の形態において、中継装置が光制御パラメータを決定したが、中継装置は遠隔情報を転送するだけでも良い。かかる場合、光出力装置の光出力部は、光を出力する光出力手段を１以上具備し、第一の外部情報および第二の外部情報は、情報の種類を示す情報である種類情報と当該種類情報が示す情報の値である情報値を有し、光出力制御部は、遠隔情報が有するユーザ識別子と、第一の外部情報が有する種類情報と情報値と、第二の外部情報が有する種類情報と情報値に基づいて１以上の光出力手段における光の出力を制御する構成となる。
【０５３４】
また、本実施の形態において、光出力装置は、実施の形態３で述べたように、以下の構成でも良い。つまり、光出力装置の光出力制御部は、２以上の光出力方法を制御可能であり、種類情報格納部は、光出力方法を識別する光出力方法識別子と種類情報とを対応付けて格納しており、光出力制御部は、遠隔情報が有する種類情報が種類情報格納部に格納されている種類情報と一定の関係がある場合のみ、当該種類情報に対応する光出力方法識別子で識別される光出力方法により光の出力をするように光出力部に指示する、構成でも良い。
【０５３５】
また、本実施の形態において、光出力装置は、実施の形態４で述べたように、２以上の遠隔情報または２以上の外部情報の履歴に基づいて光出力しても良い。具体的には、光出力装置は、遠隔情報受信部が受信する遠隔情報が有する第一の外部情報と外部情報取得部が取得する第二の外部情報を有する外部情報群を記録する外部情報記録部をさらに具備し、光出力制御部は、外部情報記録部が記録した１以上の外部情報群に基づいて前記光出力部における光の出力を制御する構成となる。かかる構成により、光出力装置は、例えば、図３８に示すように、履歴を示す光り方ができる。
【発明の効果】
以上のように、本発明によれば、ユーザの状態に関する情報が送信され、やわらかく光出力により表現されることにより、やわらかいコミュニケーションが可能になる。
【図面の簡単な説明】
【図１】実施の形態１における情報処理システムのブロック図
【図２】実施の形態１における情報処理端末の動作を説明するフローチャート
【図３】実施の形態１における中継装置の動作を説明するフローチャート
【図４】実施の形態１における光出力装置の動作を説明するフローチャート
【図５】実施の形態１におけるユーザ識別子送信装置の外形を示す図
【図６】実施の形態１における情報処理端末と光出力装置の外形を示す図
【図７】実施の形態１における情報処理システムの動作の概念を示す図
【図８】実施の形態１における外部情報の例を示す図
【図９】実施の形態１における遠隔情報の例を示す図
【図１０】実施の形態１における光出力制御するための情報の例を示す図
【図１１】実施の形態１における光出力部の例を示す図
【図１２】実施の形態１における光出力制御の情報の例を示す図
【図１３】実施の形態１における光出力の例を示す図
【図１４】実施の形態１における光出力の例を示す図
【図１５】実施の形態２における情報処理システムのブロック図
【図１６】実施の形態２における情報処理端末の動作を説明するフローチャート
【図１７】実施の形態２における中継装置の動作を説明するフローチャート
【図１８】実施の形態２における光出力装置の動作を説明するフローチャート
【図１９】実施の形態２における情報処理システムの概念を示す図
【図２０】実施の形態２における圧力情報の構造の例を示す図
【図２１】実施の形態２における圧力情報の例を示す図
【図２２】実施の形態２における位置情報の例を示す図
【図２３】実施の形態２における外部情報の例を示す図
【図２４】実施の形態２における遠隔情報の例を示す図
【図２５】実施の形態２における光の点滅パターンの情報の例を示す図
【図２６】実施の形態２における光出力装置の外観の例を示す図
【図２７】実施の形態２における光出力装置が光る様子を示す図
【図２８】実施の形態３における情報処理システムのブロック図
【図２９】実施の形態３における光出力装置の動作を説明するフローチャート
【図３０】実施の形態３における光出力制御表を示す図
【図３１】実施の形態３における光出力制御方法識別子の選択メニューのデータを示す図
【図３２】実施の形態３における種類情報・光出力方法識別子の設定パネルを示す図
【図３３】実施の形態４における情報処理システムの概念を示す図
【図３４】実施の形態４における情報処理システムのブロック図
【図３５】実施の形態４における情報処理端末の動作を説明するフローチャート
【図３６】実施の形態４における光出力装置の動作を説明するフローチャート
【図３７】実施の形態４における履歴情報の例を示す図
【図３８】実施の形態４における光出力装置が光出力する様子を示す図
【図３９】実施の形態４における光出力装置の構造の例を示す図
【図４０】実施の形態４における光出力装置の構造の例を示す図
【図４１】実施の形態５における情報処理システムのブロック図
【図４２】実施の形態５における情報処理端末の動作を示すフローチャート
【図４３】実施の形態６における情報処理システムのブロック図
【図４４】実施の形態６における情報処理端末の動作を示すフローチャート
【図４５】実施の形態６における光出力装置の動作を示すフローチャート
【図４６】実施の形態６における場所情報の送受信の例を示す図
【図４７】実施の形態６における距離管理表を示す図
【図４８】実施の形態７における情報処理システムのブロック図
【図４９】実施の形態７における情報処理端末の動作を説明するフローチャート
【図５０】実施の形態７における情報処理システムの構成例を示す図
【図５１】実施の形態７における健康状態情報取得手段が保持している情報の例を示す図
【図５２】実施の形態７における外部情報の例を示す図
【図５３】実施の形態８における情報処理システムのブロック図
【図５４】実施の形態８における情報処理端末の動作を説明するフローチャート
【図５５】実施の形態９における情報処理システムのブロック図
【図５６】実施の形態９における情報処理端末の動作を説明するフローチャート
【図５７】実施の形態９における情報処理システムの概念を説明する図
【図５８】実施の形態１０における情報処理システムのブロック図
【図５９】実施の形態１０における情報処理端末の動作を説明するフローチャート
【図６０】実施の形態１０における情報処理システムの概念を説明する図
【図６１】実施の形態１１における情報処理システムのブロック図
【図６２】実施の形態１１における情報処理端末の動作を説明するフローチャート
【図６３】実施の形態１２における情報処理システムのブロック図
【図６４】実施の形態１２における光出力装置の動作を示すフローチャート
【図６５】実施の形態１２における光制御パラメータを決定するための表を示す図
【図６６】実施の形態１２における情報処理システムの概念を説明する図
【図６７】実施の形態１３における情報処理システムのブロック図
【図６８】実施の形態１３における光出力装置の動作を示すフローチャート
【図６９】実施の形態１３における中継装置の動作を説明するフローチャート
【図７０】実施の形態１３における光制御パラメータ決定表を示す図
【図７１】実施の形態１４における情報処理システムのブロック図
【図７２】実施の形態１４における光出力装置の動作を示すフローチャート
【図７３】実施の形態１４における情報処理システムの概念を説明する図
【図７４】実施の形態１４における外部情報の例を示す図
【図７５】実施の形態１４における光制御パラメータ決定部の表を示す図
【図７６】実施の形態１４における光出力装置の外観を示した図
【図７７】実施の形態１４における情報処理システムの概念を説明する図
【符号の説明】
１１  ユーザ識別子送信装置
１２、１５０２、３３０２、４１０２、４３０２、４８０２、５３０２、５５０２、５８０２、６１０２  情報処理端末
１３、１５０３、６７０３  中継装置
１４、１５０４、２８０４、３３０４、４３０４  光出力装置
６３０２、６７０２、７１０２  第一光出力装置
６３０４、６７０４、７１０４  第二光出力装置
１１０１  ユーザ識別子格納部
１１０２  ユーザ識別子送信部
１２０１  ユーザ識別子受信部
１２０２、１５０２１、３３０２１、４８０２１、５３０２１、５５０２１、５８０２１、６１０２１、４１０２１、４３０２１  外部情報取得部
１２０３  送信元識別子格納部
１２０４、１５０２３  第一遠隔情報送信部
１３０１  第二遠隔情報受信部
１３０２  送信管理情報格納部
１３０３、１５０３１  送信先識別子取得部
１３０４  第二遠隔情報送信部
１４０１  第三遠隔情報受信部
１４０２、１３０３１、１５０４１、３３０４２  光出力部
１４０３、１５０４３、２３０３３、２８０４３、３３０４３、４３０２３、４３０４３  光出力制御部
３３０５  入力手段
１３０３２、１５０４２、２３０３２、２８０４２  種類情報格納部
３３０４１      遠隔情報記録部
３８０３１、４３０２１、４３０４１  地図情報格納部
３８０３２、４３０２２、４３０４２  距離算出部
６３０２１、７１０２１  第一外部情報取得部
６３０２３  第一遠隔情報送信部
６３０２４  第一遠隔情報受信部
６３０２５、６７０２５、７１０２５  第一光出力制御部
６３０２６、７１０２３  第一光出力部
６３０４１、７１０４１  第三外部情報取得部
６３０４３  第三遠隔情報送信部
６３０４４  第三遠隔情報受信部
６３０４５、７１０４５、６７０４５  第三光出力制御部
６３０４６、７１０４３  第三光出力部
６７０２１  第一パラメータ受信部
６７０３１  光制御パラメータ決定部
６７０３２  パラメータ送信部
６７０４１  第三パラメータ受信部
７１０２２  第一種類情報格納部
７１０２４  第一パラメータ受信部
７１０４２  第三種類情報格納部
７１０４４  第三パラメータ受信部
１３０１１３  外部情報構成手段
１５０２１１  圧力取得手段
１５０２１２  位置情報取得手段
１５０２１３、３３０２１３、４１０２１２、４３０２１２、４８０２１６、５３０１１２、５３０２１２、５５０２１２、５８０２１２、６１０２１２  外部情報構成手段
１５０４１１  第一光出力手段
１５０４１２  第二光出力手段
３３０２１１  入力信号受付手段
３３０２１２  入力速度情報生成手段
４１０２１１  稼働率取得手段
４３０２１１  場所情報取得手段
４８０２１１  心拍数情報取得手段
４８０２１２  体温情報取得手段
４８０２１３  血糖値取得手段
４８０２１３  血糖値情報取得手段
４８０２１４  血圧情報取得手段
４８０２１５  健康状態情報取得手段
４８０２１５  情報健康状態情報取得手段
５３０２１１  ＰＨ値取得手段
５５０２１１  角度情報取得手段
５８０２１１  回転情報取得手段
６１０２１１  脳波情報取得手段
７１０２１１  第一圧力取得手段
７１０２１２  第一位置情報取得手段
７１０２１３  第一外部情報構成手段
７１０２３１  第一一光出力手段
７１０２３２  第一二光出力手段
７１０４１３  第三外部情報構成手段
７１０４３１  第三一光出力手段
７１０４３２  第三二光出力手段
１５０４１１２  第二出力手段
【図１】
2004261276.tif 000003
【図２】
2004261276.tif 000004
【図３】
2004261276.tif 000005
【図４】
2004261276.tif 000006
【図５】
2004261276.tif 000007
【図６】
2004261276.tif 000008
【図７】
2004261276.tif 000009
【図８】
2004261276.tif 000010
【図９】
2004261276.tif 000011
【図１０】
2004261276.tif 000012
【図１１】
2004261276.tif 000013
【図１２】
2004261276.tif 000014
【図１３】
2004261276.tif 000015
【図１４】
2004261276.tif 000016
【図１５】
2004261276.tif 000017
【図１６】
2004261276.tif 000018
【図１７】
2004261276.tif 000019
【図１８】
2004261276.tif 000020
【図１９】
2004261276.tif 000021
【図２０】
2004261276.tif 000022
【図２１】
2004261276.tif 000023
【図２２】
2004261276.tif 000024
【図２３】
2004261276.tif 000025
【図２４】
2004261276.tif 000026
【図２５】
2004261276.tif 000027
【図２６】
2004261276.tif 000028
【図２７】
2004261276.tif 000029
【図２８】
2004261276.tif 000030
【図２９】
2004261276.tif 000031
【図３０】
2004261276.tif 000032
【図３１】
2004261276.tif 000033
【図３２】
2004261276.tif 000034
【図３３】
2004261276.tif 000035
【図３４】
2004261276.tif 000036
【図３５】
2004261276.tif 000037
【図３６】
2004261276.tif 000038
【図３７】
2004261276.tif 000039
【図３８】
2004261276.tif 000040
【図３９】
2004261276.tif 000041
【図４０】
2004261276.tif 000042
【図４１】
2004261276.tif 000043
【図４２】
2004261276.tif 000044
【図４３】
2004261276.tif 000045
【図４４】
2004261276.tif 000046
【図４５】
2004261276.tif 000047
【図４６】
2004261276.tif 000048
【図４７】
2004261276.tif 000049
【図４８】
2004261276.tif 000050
【図４９】
2004261276.tif 000051
【図５０】
2004261276.tif 000052
【図５１】
2004261276.tif 000053
【図５２】
2004261276.tif 000054
【図５３】
2004261276.tif 000055
【図５４】
2004261276.tif 000056
【図５５】
2004261276.tif 000057
【図５６】
2004261276.tif 000058
【図５７】
2004261276.tif 000059
【図５８】
2004261276.tif 000060
【図５９】
2004261276.tif 000061
【図６０】
2004261276.tif 000062
【図６１】
2004261276.tif 000063
【図６２】
2004261276.tif 000064
【図６３】
2004261276.tif 000065
【図６４】
2004261276.tif 000066
【図６５】
2004261276.tif 000067
【図６６】
2004261276.tif 000068
【図６７】
2004261276.tif 000069
【図６８】
2004261276.tif 000070
【図６９】
2004261276.tif 000071
【図７０】
2004261276.tif 000072
【図７１】
2004261276.tif 000073
【図７２】
2004261276.tif 000074
【図７３】
2004261276.tif 000075
【図７４】
2004261276.tif 000076
【図７５】
2004261276.tif 000077
【図７６】
2004261276.tif 000078
【図７７】
2004261276.tif 000079